(57)【要約】本出願の実施形態は、情報送信方法、端末デバイス、およびネットワークデバイスを提供する。情報送信方法は、端末デバイスがダウンリンク制御情報を受信し、ダウンリンク制御情報が第１の情報を含み、第１の情報が、アップリンク制御情報を搬送するためのアップリンク制御チャネルリソースを示すために使用され、アップリンク制御チャネルリソースが第１のアップリンク制御チャネルリソースセットに属し、第１のアップリンク制御チャネルリソースセットが、異なる量のシンボルに対応する少なくとも２つのアップリンク制御チャネルリソースを含むか、または異なる量のリソースブロックに対応する少なくとも２つのアップリンク制御チャネルリソースを含むことと、端末デバイスが、第１の情報に基づいて、アップリンク制御情報を搬送するためのアップリンク制御チャネルリソースを判定することと、端末デバイスが、アップリンク制御チャネルリソースを使用することによってネットワークデバイスにアップリンク制御情報を送ることとを含む。本出願の実施形態において提供される情報送信方法によれば、アップリンク制御チャネルリソースの構成フレキシビリティおよびシステムリソース利用が改善される。
2019535189.tif 000002
【特許請求の範囲】
【請求項１】
ダウンリンク制御情報を受信するステップであって、前記ダウンリンク制御情報は第１の情報を備え、前記第１の情報は、アップリンク制御情報を搬送するためのアップリンク制御チャネルリソースを示すために使用され、前記アップリンク制御チャネルリソースは第１のアップリンク制御チャネルリソースセットに属し、前記第１のアップリンク制御チャネルリソースセットは、異なる量のシンボルに対応する少なくとも２つのアップリンク制御チャネルリソースを備えるか、または異なる量のリソースブロックに対応する少なくとも２つのアップリンク制御チャネルリソースを備える、ステップと、
前記第１の情報に基づいて、アップリンク制御情報を搬送するための前記アップリンク制御チャネルリソースを判定するステップと、
前記アップリンク制御チャネルリソースを使用することによってネットワークデバイスに前記アップリンク制御情報を送るステップと
を備える、端末デバイスによって情報を送るための方法。
【請求項２】
上位レイヤシグナリングを受信するステップと、
前記上位レイヤシグナリングに基づいて前記第１のアップリンク制御チャネルリソースセットを判定するステップと
をさらに備える請求項１に記載の方法。
【請求項３】
前記上位レイヤシグナリングに基づいて前記第１のアップリンク制御チャネルリソースセットを判定する前記ステップは、
前記上位レイヤシグナリングに基づいて、前記第１のアップリンク制御チャネルリソースセット中のアップリンク制御チャネルリソースに対応するシンボルの量を判定するステップ、または
前記上位レイヤシグナリングに基づいて、前記第１のアップリンク制御チャネルリソースセット中のアップリンク制御チャネルリソースに対応するリソースブロックの量を判定するステップ
を備える請求項２に記載の方法。
【請求項４】
前記第１のアップリンク制御チャネルリソースセットが、異なる量のシンボルに対応する少なくとも２つのアップリンク制御チャネルリソースを備えることは、
前記第１のアップリンク制御チャネルリソースセットが第１のアップリンク制御チャネルリソースを備え、前記第１のアップリンク制御チャネルリソースが１つのシンボルに対応することと、
前記第１のアップリンク制御チャネルリソースセットが第２のアップリンク制御チャネルリソースをさらに備え、前記第２のアップリンク制御チャネルリソースが２つのシンボルに対応することと
を備える請求項１に記載の方法。
【請求項５】
前記第１のアップリンク制御チャネルリソースセットが、異なる量のシンボルに対応する少なくとも２つのアップリンク制御チャネルリソースを備えることは、
前記第１のアップリンク制御チャネルリソースセットが第３のアップリンク制御チャネルリソースを備え、前記第３のアップリンク制御チャネルリソースが７つのシンボルに対応することと、
前記第１のアップリンク制御チャネルリソースセットが第４のアップリンク制御チャネルリソースをさらに備え、前記第４のアップリンク制御チャネルリソースが１４個のシンボルに対応することと
を備える請求項１または４に記載の方法。
【請求項６】
ダウンリンク制御情報を送るステップであって、前記ダウンリンク制御情報は第１の情報を備え、前記第１の情報は、アップリンク制御情報を搬送するためのアップリンク制御チャネルリソースを示すために使用され、前記アップリンク制御チャネルリソースは第１のアップリンク制御チャネルリソースセットに属し、前記第１のアップリンク制御チャネルリソースセットは、異なる量のシンボルに対応する少なくとも２つのアップリンク制御チャネルリソースを備えるか、または異なる量のリソースブロックに対応する少なくとも２つのアップリンク制御チャネルリソースを備える、ステップと、
アップリンク制御情報を搬送するための前記アップリンク制御チャネルリソース上で、端末デバイスによって送られたアップリンク制御情報を受信するステップと
を備える、ネットワークデバイスによって情報を受信するための方法。
【請求項７】
上位レイヤシグナリングを送るステップであって、前記上位レイヤシグナリングは、前記第１のアップリンク制御チャネルリソースセットを示すために使用される、ステップ
をさらに備える請求項６に記載の方法。
【請求項８】
前記上位レイヤシグナリングが、前記第１のアップリンク制御チャネルリソースセットを示すために使用されることは、
前記上位レイヤシグナリングが、前記第１のアップリンク制御チャネルリソースセット中のアップリンク制御チャネルリソースに対応するシンボルの量を示すために使用されること、または前記上位レイヤシグナリングが、前記第１のアップリンク制御チャネルリソースセット中のアップリンク制御チャネルリソースに対応するリソースブロックの量を示すために使用されること
を備える請求項７に記載の方法。
【請求項９】
前記第１のアップリンク制御チャネルリソースセットが、異なる量のシンボルに対応する少なくとも２つのアップリンク制御チャネルリソースを備えることは、
前記第１のアップリンク制御チャネルリソースセットが第１のアップリンク制御チャネルリソースを備え、前記第１のアップリンク制御チャネルリソースが１つのシンボルに対応することと、
前記第１のアップリンク制御チャネルリソースセットが第２のアップリンク制御チャネルリソースをさらに備え、前記第２のアップリンク制御チャネルリソースが２つのシンボルに対応することと
を備える請求項６に記載の方法。
【請求項１０】
前記第１のアップリンク制御チャネルリソースセットが、異なる量のシンボルに対応する少なくとも２つのアップリンク制御チャネルリソースを備えることは、
前記第１のアップリンク制御チャネルリソースセットが第３のアップリンク制御チャネルリソースを備え、前記第３のアップリンク制御チャネルリソースが７つのシンボルに対応することと、
前記第１のアップリンク制御チャネルリソースセットが第４のアップリンク制御チャネルリソースをさらに備え、前記第４のアップリンク制御チャネルリソースが１４個のシンボルに対応することと
を備える請求項６または９に記載の方法。
【請求項１１】
ダウンリンク制御情報を受信するステップであって、前記ダウンリンク制御情報は第１の情報を備え、前記第１の情報は、アップリンク制御情報を搬送するためのアップリンク制御チャネルリソースを示すために使用され、前記アップリンク制御チャネルリソースは第１のアップリンク制御チャネルリソースセットに属し、前記第１のアップリンク制御チャネルリソースセットは、第２のアップリンク制御チャネルリソースセットおよび第３のアップリンク制御チャネルリソースセットを備え、前記第２のアップリンク制御チャネルリソースセット中に備えられるアップリンク制御チャネルリソースに対応するリソースインデックスは、第１に周波数領域および第２に時間領域の方式でソートされ、前記第３のアップリンク制御チャネルリソースセット中に備えられるアップリンク制御チャネルリソースに対応するリソースインデックスは、周波数領域においてソートされる、ステップと、
前記第１の情報に基づいて、アップリンク制御情報を搬送するための前記アップリンク制御チャネルリソースを判定するステップと、
前記アップリンク制御チャネルリソースを使用することによってネットワークデバイスに前記アップリンク制御情報を送るステップと
を備える、端末デバイスによって情報を送るための送信方法。
【請求項１２】
前記第２のアップリンク制御チャネルリソースセット中に備えられる前記アップリンク制御チャネルリソースに対応するシンボルの量は、前記第３のアップリンク制御チャネルリソースセット中に備えられる前記アップリンク制御チャネルリソースに対応するシンボルの量よりも少ない請求項１１に記載の方法。
【請求項１３】
前記ダウンリンク制御情報は第４の情報をさらに備え、前記第１の情報に基づいて、アップリンク制御情報を搬送するための前記アップリンク制御チャネルリソースを判定する前記ステップは、
前記第４の情報に基づいて、アップリンク制御情報を搬送するための前記アップリンク制御チャネルリソースが属するリソースセットを判定するステップであって、前記アップリンク制御チャネルリソースが属する前記リソースセットは、前記第２のアップリンク制御チャネルリソースセットまたは前記第３のアップリンク制御チャネルリソースセットである、ステップと、
前記第１の情報と前記アップリンク制御チャネルリソースが属する前記リソースセットとに基づいて、アップリンク制御情報を搬送するための前記アップリンク制御チャネルリソースを判定するステップと
を備える請求項１１または１２に記載の方法。
【請求項１４】
ダウンリンク制御情報を送るステップであって、前記ダウンリンク制御情報は第１の情報を備え、前記第１の情報は、アップリンク制御情報を搬送するためのアップリンク制御チャネルリソースを示すために使用され、前記アップリンク制御チャネルリソースは第１のアップリンク制御チャネルリソースセットに属し、前記第１のアップリンク制御チャネルリソースセットは、第２のアップリンク制御チャネルリソースセットおよび第３のアップリンク制御チャネルリソースセットを備え、前記第２のアップリンク制御チャネルリソースセット中に備えられるアップリンク制御チャネルリソースに対応するリソースインデックスは、第１に周波数領域および第２に時間領域の方式でソートされ、前記第３のアップリンク制御チャネルリソースセット中に備えられるアップリンク制御チャネルリソースに対応するリソースインデックスは、周波数領域においてソートされる、ステップと、
アップリンク制御情報を搬送するための前記アップリンク制御チャネルリソース上で、端末デバイスによって送られたアップリンク制御情報を受信するステップと
を備える、ネットワークデバイスによって情報を受信するための方法。
【請求項１５】
前記ダウンリンク制御情報は第４の情報をさらに備え、前記第４の情報は、アップリンク制御情報を搬送するための前記アップリンク制御チャネルリソースが属するリソースセットを示すために使用され、前記アップリンク制御チャネルリソースが属する前記リソースセットは、前記第２のアップリンク制御チャネルリソースセットまたは前記第３のアップリンク制御チャネルリソースセットである請求項１４に記載の方法。
【請求項１６】
ダウンリンク制御情報を受信するステップであって、前記ダウンリンク制御情報は第１の情報を備え、前記第１の情報は、アップリンク制御情報を搬送するためのアップリンク制御チャネルリソースを示すために使用され、前記アップリンク制御チャネルリソースは第１のアップリンク制御チャネルリソースセットに属し、前記第１のアップリンク制御チャネルリソースセットは、第４のアップリンク制御チャネルリソースセットおよび第５のアップリンク制御チャネルリソースセットを備え、前記第４のアップリンク制御チャネルリソースセット中に備えられるアップリンク制御チャネルリソースは第１のスロットに対応し、前記第５のアップリンク制御チャネルリソースセット中に備えられるアップリンク制御チャネルリソースは第２のスロットに対応する、ステップと、
前記第１の情報に基づいて、アップリンク制御情報を搬送するための前記アップリンク制御チャネルリソースを判定するステップと、
前記アップリンク制御チャネルリソースを使用することによってネットワークデバイスに前記アップリンク制御情報を送るステップと
を備える、端末デバイスによって情報を送るための方法。
【請求項１７】
前記第１のスロットおよび前記第２のスロットは同じサブフレームに属する請求項１６に記載の方法。
【請求項１８】
ダウンリンク制御情報を送るステップであって、前記ダウンリンク制御情報は第１の情報を備え、前記第１の情報は、アップリンク制御情報を搬送するためのアップリンク制御チャネルリソースを示すために使用され、前記アップリンク制御チャネルリソースは第１のアップリンク制御チャネルリソースセットに属し、前記第１のアップリンク制御チャネルリソースセットは、第４のアップリンク制御チャネルリソースセットおよび第５のアップリンク制御チャネルリソースセットを備え、前記第４のアップリンク制御チャネルリソースセット中に備えられるアップリンク制御チャネルリソースは第１のスロットに対応し、前記第５のアップリンク制御チャネルリソースセット中に備えられるアップリンク制御チャネルリソースは第２のスロットに対応する、ステップと、
アップリンク制御情報を搬送するための前記アップリンク制御チャネルリソース上で、端末デバイスによって送られたアップリンク制御情報を受信するステップと
を備える、ネットワークデバイスによって情報を受信するための方法。
【請求項１９】
前記第１のスロットおよび前記第２のスロットは同じサブフレームに属する請求項１８に記載の方法。
【請求項２０】
ダウンリンク制御情報を受信するように構成されたトランシーバユニットであって、前記ダウンリンク制御情報は第１の情報を備え、前記第１の情報は、アップリンク制御情報を搬送するためのアップリンク制御チャネルリソースを示すために使用され、前記アップリンク制御チャネルリソースは第１のアップリンク制御チャネルリソースセットに属し、前記第１のアップリンク制御チャネルリソースセットは、異なる量のシンボルに対応する少なくとも２つのアップリンク制御チャネルリソースを備えるか、または異なる量のリソースブロックに対応する少なくとも２つのアップリンク制御チャネルリソースを備える、トランシーバユニットと、
前記第１の情報に基づいて、アップリンク制御情報を搬送するための前記アップリンク制御チャネルリソースを判定するように構成された処理ユニットと
を備える、端末デバイスであって、
前記トランシーバユニットは、前記アップリンク制御チャネルリソースを使用することによってネットワークデバイスに前記アップリンク制御情報を送るようにさらに構成された
端末デバイス。
【請求項２１】
前記トランシーバユニットは、上位レイヤシグナリングを受信するようにさらに構成され、
前記処理ユニットは、前記上位レイヤシグナリングに基づいて前記第１のアップリンク制御チャネルリソースセットを判定するようにさらに構成された
請求項２０に記載の端末デバイス。
【請求項２２】
前記処理ユニットは、
前記上位レイヤシグナリングに基づいて、前記第１のアップリンク制御チャネルリソースセット中のアップリンク制御チャネルリソースに対応するシンボルの量を判定すること、または
前記上位レイヤシグナリングに基づいて、前記第１のアップリンク制御チャネルリソースセット中のアップリンク制御チャネルリソースに対応するリソースブロックの量を判定すること
を行うように特に構成された請求項２１に記載の端末デバイス。
【請求項２３】
前記第１のアップリンク制御チャネルリソースセットが、異なる量のシンボルに対応する少なくとも２つのアップリンク制御チャネルリソースを備えることは、
前記第１のアップリンク制御チャネルリソースセットが第１のアップリンク制御チャネルリソースを備え、前記第１のアップリンク制御チャネルリソースが１つのシンボルに対応することと、
前記第１のアップリンク制御チャネルリソースセットが第２のアップリンク制御チャネルリソースをさらに備え、前記第２のアップリンク制御チャネルリソースが２つのシンボルに対応することと
を備える請求項２０に記載の端末デバイス。
【請求項２４】
前記第１のアップリンク制御チャネルリソースセットが、異なる量のシンボルに対応する少なくとも２つのアップリンク制御チャネルリソースを備えることは、
前記第１のアップリンク制御チャネルリソースセットが第３のアップリンク制御チャネルリソースを備え、前記第３のアップリンク制御チャネルリソースが７つのシンボルに対応することと、
前記第１のアップリンク制御チャネルリソースセットが第４のアップリンク制御チャネルリソースをさらに備え、前記第４のアップリンク制御チャネルリソースが１４個のシンボルに対応することと
を備える請求項２０または２３に記載の端末デバイス。
【請求項２５】
ダウンリンク制御情報を送るように構成されたトランシーバユニットであって、前記ダウンリンク制御情報は第１の情報を備え、前記第１の情報は、アップリンク制御情報を搬送するためのアップリンク制御チャネルリソースを示すために使用され、前記アップリンク制御チャネルリソースは第１のアップリンク制御チャネルリソースセットに属し、前記第１のアップリンク制御チャネルリソースセットは、異なる量のシンボルに対応する少なくとも２つのアップリンク制御チャネルリソースを備えるか、または異なる量のリソースブロックに対応する少なくとも２つのアップリンク制御チャネルリソースを備える、トランシーバユニット
を備える、ネットワークデバイスであって、
前記トランシーバユニットは、アップリンク制御情報を搬送するための前記アップリンク制御チャネルリソース上で、端末デバイスによって送られたアップリンク制御情報を受信するようにさらに構成された
ネットワークデバイス。
【請求項２６】
前記トランシーバユニットは、
上位レイヤシグナリングを送ることであって、前記上位レイヤシグナリングは、前記第１のアップリンク制御チャネルリソースセットを示すために使用される、こと
を行うようにさらに構成された請求項２５に記載のネットワークデバイス。
【請求項２７】
前記上位レイヤシグナリングが、前記第１のアップリンク制御チャネルリソースセットを示すために使用されることは、
前記上位レイヤシグナリングが、前記第１のアップリンク制御チャネルリソースセット中のアップリンク制御チャネルリソースに対応するシンボルの量を示すために使用されること、または前記上位レイヤシグナリングが、前記第１のアップリンク制御チャネルリソースセット中のアップリンク制御チャネルリソースに対応するリソースブロックの量を示すために使用されること
を備える請求項２６に記載のネットワークデバイス。
【請求項２８】
前記第１のアップリンク制御チャネルリソースセットが、異なる量のシンボルに対応する少なくとも２つのアップリンク制御チャネルリソースを備えることは、
前記第１のアップリンク制御チャネルリソースセットが第１のアップリンク制御チャネルリソースを備え、前記第１のアップリンク制御チャネルリソースが１つのシンボルに対応することと、
前記第１のアップリンク制御チャネルリソースセットが第２のアップリンク制御チャネルリソースをさらに備え、前記第２のアップリンク制御チャネルリソースが２つのシンボルに対応することと
を備える請求項２５に記載のネットワークデバイス。
【請求項２９】
前記第１のアップリンク制御チャネルリソースセットが、異なる量のシンボルに対応する少なくとも２つのアップリンク制御チャネルリソースを備えることは、
前記第１のアップリンク制御チャネルリソースセットが第３のアップリンク制御チャネルリソースを備え、前記第３のアップリンク制御チャネルリソースが７つのシンボルに対応することと、
前記第１のアップリンク制御チャネルリソースセットが第４のアップリンク制御チャネルリソースをさらに備え、前記第４のアップリンク制御チャネルリソースが１４個のシンボルに対応することと
を備える請求項２５または２８に記載のネットワークデバイス。
【請求項３０】
ダウンリンク制御情報を受信するように構成されたトランシーバユニットであって、前記ダウンリンク制御情報は第１の情報を備え、前記第１の情報は、アップリンク制御情報を搬送するためのアップリンク制御チャネルリソースを示すために使用され、前記アップリンク制御チャネルリソースは第１のアップリンク制御チャネルリソースセットに属し、前記第１のアップリンク制御チャネルリソースセットは、第２のアップリンク制御チャネルリソースセットおよび第３のアップリンク制御チャネルリソースセットを備え、前記第２のアップリンク制御チャネルリソースセット中に備えられるアップリンク制御チャネルリソースに対応するリソースインデックスは、第１に周波数領域および第２に時間領域の方式でソートされ、前記第３のアップリンク制御チャネルリソースセット中に備えられるアップリンク制御チャネルリソースに対応するリソースインデックスは、周波数領域においてソートされる、トランシーバユニットと、
前記第１の情報に基づいて、アップリンク制御情報を搬送するための前記アップリンク制御チャネルリソースを判定するように構成された処理ユニットと
を備える、端末デバイスであって、
前記トランシーバユニットは、前記アップリンク制御チャネルリソースを使用することによってネットワークデバイスに前記アップリンク制御情報を送るようにさらに構成された
端末デバイス。
【請求項３１】
前記第２のアップリンク制御チャネルリソースセット中に備えられる前記アップリンク制御チャネルリソースに対応するシンボルの量は、前記第３のアップリンク制御チャネルリソースセット中に備えられる前記アップリンク制御チャネルリソースに対応するシンボルの量よりも少ない請求項３０に記載の端末デバイス。
【請求項３２】
前記ダウンリンク制御情報は第４の情報をさらに備え、前記処理ユニットは、
前記第４の情報に基づいて、アップリンク制御情報を搬送するための前記アップリンク制御チャネルリソースが属するリソースセットを判定することであって、前記アップリンク制御チャネルリソースが属する前記リソースセットは、前記第２のアップリンク制御チャネルリソースセットまたは前記第３のアップリンク制御チャネルリソースセットである、ことと、
前記第１の情報と前記アップリンク制御チャネルリソースが属する前記リソースセットとに基づいて、アップリンク制御情報を搬送するための前記アップリンク制御チャネルリソースを判定することと
を行うように特に構成された請求項３０または３１に記載の端末デバイス。
【請求項３３】
ダウンリンク制御情報を送るように構成されたトランシーバユニットであって、前記ダウンリンク制御情報は第１の情報を備え、前記第１の情報は、アップリンク制御情報を搬送するためのアップリンク制御チャネルリソースを示すために使用され、前記アップリンク制御チャネルリソースは第１のアップリンク制御チャネルリソースセットに属し、前記第１のアップリンク制御チャネルリソースセットは、第２のアップリンク制御チャネルリソースセットおよび第３のアップリンク制御チャネルリソースセットを備え、前記第２のアップリンク制御チャネルリソースセット中に備えられるアップリンク制御チャネルリソースに対応するリソースインデックスは、第１に周波数領域および第２に時間領域の方式でソートされ、前記第３のアップリンク制御チャネルリソースセット中に備えられるアップリンク制御チャネルリソースに対応するリソースインデックスは、周波数領域においてソートされる、トランシーバユニット
を備える、ネットワークデバイスであって、
前記トランシーバユニットは、アップリンク制御情報を搬送するための前記アップリンク制御チャネルリソース上で、端末デバイスによって送られたアップリンク制御情報を受信するようにさらに構成された
ネットワークデバイス。
【請求項３４】
前記ダウンリンク制御情報は第４の情報をさらに備え、前記第４の情報は、アップリンク制御情報を搬送するための前記アップリンク制御チャネルリソースが属するリソースセットを示すために使用され、前記アップリンク制御チャネルリソースが属する前記リソースセットは、前記第２のアップリンク制御チャネルリソースセットまたは前記第３のアップリンク制御チャネルリソースセットである請求項３３に記載のネットワークデバイス。
【請求項３５】
ダウンリンク制御情報を受信するように構成されたトランシーバユニットであって、前記ダウンリンク制御情報は第１の情報を備え、前記第１の情報は、アップリンク制御情報を搬送するためのアップリンク制御チャネルリソースを示すために使用され、前記アップリンク制御チャネルリソースは第１のアップリンク制御チャネルリソースセットに属し、前記第１のアップリンク制御チャネルリソースセットは、第４のアップリンク制御チャネルリソースセットおよび第５のアップリンク制御チャネルリソースセットを備え、前記第４のアップリンク制御チャネルリソースセット中に備えられるアップリンク制御チャネルリソースは第１のスロットに対応し、前記第５のアップリンク制御チャネルリソースセット中に備えられるアップリンク制御チャネルリソースは第２のスロットに対応する、トランシーバユニットと、
前記第１の情報に基づいて、アップリンク制御情報を搬送するための前記アップリンク制御チャネルリソースを判定するように構成された処理ユニットと
を備える、端末デバイスであって、
前記トランシーバユニットは、前記アップリンク制御チャネルリソースを使用することによってネットワークデバイスに前記アップリンク制御情報を送るようにさらに構成された
端末デバイス。
【請求項３６】
前記第１のスロットおよび前記第２のスロットは同じサブフレームに属する請求項３５に記載の端末デバイス。
【請求項３７】
ダウンリンク制御情報を送るように構成されたトランシーバユニットであって、前記ダウンリンク制御情報は第１の情報を備え、前記第１の情報は、アップリンク制御情報を搬送するためのアップリンク制御チャネルリソースを示すために使用され、前記アップリンク制御チャネルリソースは第１のアップリンク制御チャネルリソースセットに属し、前記第１のアップリンク制御チャネルリソースセットは、第４のアップリンク制御チャネルリソースセットおよび第５のアップリンク制御チャネルリソースセットを備え、前記第４のアップリンク制御チャネルリソースセット中に備えられるアップリンク制御チャネルリソースは第１のスロットに対応し、前記第５のアップリンク制御チャネルリソースセット中に備えられるアップリンク制御チャネルリソースは第２のスロットに対応する、トランシーバユニット
を備える、ネットワークデバイスであって、
前記トランシーバユニットは、アップリンク制御情報を搬送するための前記アップリンク制御チャネルリソース上で、端末デバイスによって送られたアップリンク制御情報を受信するようにさらに構成された
ネットワークデバイス。
【請求項３８】
前記第１のスロットおよび前記第２のスロットは同じサブフレームに属する請求項３７に記載のネットワークデバイス。
【請求項３９】
可読記憶媒体であって、前記可読記憶媒体はプログラムを記憶し、前記プログラムが実行されたとき、請求項１乃至１９のいずれか一項に記載の方法におけるステップが実施される、可読記憶媒体。
【請求項４０】
プログラム命令に関係するハードウェアであって、前記ハードウェアは、請求項１乃至１９のいずれか一項に記載の方法におけるステップを実施するように構成された、ハードウェア
を備える、通信装置。
【発明の詳細な説明】
【技術分野】
【０００１】
本出願は、通信技術の分野に関し、詳細には、情報送信方法、端末デバイス、およびネットワークデバイスに関する。
【０００２】
本出願は、その全体が参照により本明細書に組み込まれる、２０１６年９月３０日に中国特許庁で出願され「ＩＮＦＯＲＭＡＴＩＯＮ  ＴＲＡＮＳＭＩＳＳＩＯＮ  ＭＥＴＨＯＤ，  ＴＥＲＭＩＮＡＬ  ＤＥＶＩＣＥ，  ＡＮＤ  ＮＥＴＷＯＲＫ  ＤＥＶＩＣＥ」と題する中国特許出願第２０１６１０８７８９０６．２号の優先権を主張する。
【背景技術】
【０００３】
５Ｇ通信システムは、より高いシステム性能をサポートすることを意図され、異なるサービス、異なる展開シナリオ、および異なるスペクトルをサポートすることができる。サポートされるサービスは、拡張モバイルブロードバンド（ｅｎｈａｎｃｅｄ  Ｍｏｂｉｌｅ  Ｂｒｏａｄｂａｎｄ、略してｅＭＢＢ）サービス、マシンタイプ通信（Ｍａｃｈｉｎｅ  Ｔｙｐｅ  Ｃｏｍｍｕｎｉｃａｔｉｏｎ、略してＭＴＣ）サービス、超高信頼および低レイテンシ通信（Ｕｌｔｒａ−ｒｅｌｉａｂｌｅ  ａｎｄ  ｌｏｗ  ｌａｔｅｎｃｙ  ｃｏｍｍｕｎｉｃａｔｉｏｎｓ、略してＵＲＬＬＣ）サービス、マルチメディアブロードキャストマルチキャストサービス（Ｍｕｌｔｉｍｅｄｉａ  Ｂｒｏａｄｃａｓｔ  Ｍｕｌｔｉｃａｓｔ  Ｓｅｒｖｉｃｅ、略してＭＢＭＳ）、測位サービスなどを含み得る。サポートされる展開シナリオは、屋内ホットスポット（Ｉｎｄｏｏｒ  ｈｏｔｓｐｏｔ）シナリオ、高密度都市（ｄｅｎｓｅ  ｕｒｂａｎ）シナリオ、近郊シナリオ、都市マクロ（Ｕｒｂａｎ  Ｍａｃｒｏ）カバレージシナリオ、高速鉄道シナリオなどを含み得る。サポートされるスペクトルは、１００ＧＨｚ内のどんな周波数範囲をも含み得る。
【０００４】
５Ｇ通信システムでは、ユーザプレーンレイテンシが重要なカウンタである。異なるサービスのレイテンシ要件を満たすために、異なるサービスおよび異なるユーザ能力について、５Ｇ通信システムは、フレキシブルなハイブリッド自動再送要求（Ｈｙｂｒｉｄ  Ａｕｔｏｍａｔｉｃ  Ｒｅｐｅａｔ  ｒｅＱｕｅｓｔ、略してＨＡＲＱ）フィードバックをサポートする。言い換えれば、異なるＨＡＲＱタイミングが使用され得る。異なるサブフレームに対応するＨＡＲＱ−ＡＣＫフィードバックの量は、フレキシブルなＨＡＲＱタイミングに起因して異なり得る。結果的に、アップリンク制御情報をフィードバックするためにいくつかのサブフレーム中で少数のリソースが使用され、アップリンク制御情報をフィードバックするためにいくつかのサブフレーム中で多くのリソースが使用される。
【０００５】
現在、アップリンク制御情報を送信するために固定のアップリンク制御チャネルリソースが通常予約される。しかしながら、最大利用可能リソースに従って各サブフレーム中でアップリンク制御チャネルリソースが予約された場合、リソース利用は低減され、最小利用可能リソースに従って各サブフレーム中でアップリンク制御チャネルリソースが予約された場合、アップリンク制御チャネルの容量は、一部のアップリンク制御情報をフィードバックするには不十分であり得、不要なデータ再送信を引き起こし、リソース利用を低減させる。
【０００６】
アップリンク制御チャネルリソースをどのようにフレキシブルに構成すべきであるかが、解決されるべき喫緊の技術的問題であることがわかろう。
【発明の概要】
【０００７】
本出願の実施形態は、アップリンク制御チャネルリソースの構成フレキシビリティおよびシステムリソース利用が改善されるように、異なるサブフレーム中でアップリンク制御チャネルリソースをフレキシブルに予約し示すための、情報送信方法、端末デバイス、およびネットワークデバイスを提供する。
【０００８】
第１の態様によれば、本出願の一実施形態は情報送信方法を提供し、本方法は、端末デバイスがダウンリンク制御情報を受信し、ダウンリンク制御情報が第１の情報を含み、第１の情報が、アップリンク制御情報を搬送するためのアップリンク制御チャネルリソースを示すために使用され、アップリンク制御チャネルリソースが第１のアップリンク制御チャネルリソースセットに属し、第１のアップリンク制御チャネルリソースセットが、異なる量のシンボルに対応する少なくとも２つのアップリンク制御チャネルリソースを含むか、または異なる量のリソースブロックに対応する少なくとも２つのアップリンク制御チャネルリソースを含むことと、端末デバイスが、第１の情報に基づいて、アップリンク制御情報を搬送するためのアップリンク制御チャネルリソースを判定することと、端末デバイスが、アップリンク制御チャネルリソースを使用することによってネットワークデバイスにアップリンク制御情報を送ることとを含み得る。
【０００９】
第１の態様において提供される情報送信方法によれば、端末デバイスはダウンリンク制御情報中で第１の情報を受信する。アップリンク制御情報を搬送するために使用され第１の情報によって示される、予約されたアップリンク制御チャネルリソースに対応するシンボルまたはリソースブロックの量は、固定ではなく、変更され得る。言い換えれば、各サブフレーム中でアップリンク制御情報を送信するために使用されるアップリンク制御チャネルリソースは、フレキシブルに変更され得る。したがって、第１の情報は、各サブフレーム中でアップリンク制御情報を送信するために使用されるアップリンク制御チャネルリソースをフレキシブルに予約し示すために使用され得る。このようにして、アップリンク制御チャネルリソースの構成フレキシビリティが改善され、システムリソース利用が改善される。
【００１０】
任意選択で、第１の態様の可能な実装では、本方法は、端末デバイスが上位レイヤシグナリングを受信することと、端末デバイスが、上位レイヤシグナリングに基づいて第１のアップリンク制御チャネルリソースセットを判定することとをさらに含み得る。
【００１１】
この可能な実装において提供される情報送信方法によれば、端末デバイスは上位レイヤシグナリングを受信し、端末デバイスは、上位レイヤシグナリングを使用することによって、ネットワークデバイスによって構成された第１のアップリンク制御チャネルリソースセット中に含まれるすべてのアップリンク制御チャネルリソースを知り得る。端末デバイスは、異なるシナリオ要件および異なるサービス要件に基づいてネットワークデバイスによってフレキシブルに構成されたシンボルまたはリソースブロックの量を知り得るので、アップリンク制御チャネルリソースの構成フレキシビリティがさらに改善され、アップリンク制御情報送信性能が保証される。
【００１２】
任意選択で、第１の態様の可能な実装では、端末デバイスが上位レイヤシグナリングに基づいて第１のアップリンク制御チャネルリソースセットを判定することは、端末デバイスが、上位レイヤシグナリングに基づいて、第１のアップリンク制御チャネルリソースセット中のアップリンク制御チャネルリソースに対応するシンボルの量を判定すること、または端末デバイスが、上位レイヤシグナリングに基づいて、第１のアップリンク制御チャネルリソースセット中のアップリンク制御チャネルリソースに対応するリソースブロックの量を判定することを含む。
【００１３】
任意選択で、第１の態様の可能な実装では、第１のアップリンク制御チャネルリソースセットが、異なる量のシンボルに対応する少なくとも２つのアップリンク制御チャネルリソースを含むことは、第１のアップリンク制御チャネルリソースセットが第１のアップリンク制御チャネルリソースを含み、第１のアップリンク制御チャネルリソースが１つのシンボルに対応することと、第１のアップリンク制御チャネルリソースセットが第２のアップリンク制御チャネルリソースをさらに含み、第２のアップリンク制御チャネルリソースが２つのシンボルに対応することとを含み得る。
【００１４】
任意選択で、第１の態様の可能な実装では、第１のアップリンク制御チャネルリソースセットが、異なる量のシンボルに対応する少なくとも２つのアップリンク制御チャネルリソースを含むことは、第１のアップリンク制御チャネルリソースセットが第３のアップリンク制御チャネルリソースを含み、第３のアップリンク制御チャネルリソースが７つのシンボルに対応することと、第１のアップリンク制御チャネルリソースセットが第４のアップリンク制御チャネルリソースをさらに含み、第４のアップリンク制御チャネルリソースが１４個のシンボルに対応することとを含み得る。
【００１５】
任意選択で、第１の態様の可能な実装では、第１のアップリンク制御チャネルリソースセットが、異なる量のシンボルに対応する少なくとも２つのアップリンク制御チャネルリソースを含むことは、第１のアップリンク制御チャネルリソースセットが第１のアップリンク制御チャネルリソースを含み、第１のアップリンク制御チャネルリソースが１つのシンボルに対応することと、第１のアップリンク制御チャネルリソースセットが第２のアップリンク制御チャネルリソースをさらに含み、第２のアップリンク制御チャネルリソースが２つのシンボルに対応することと、第１のアップリンク制御チャネルリソースセットが第５のアップリンク制御チャネルリソースをさらに含み、第３のアップリンク制御チャネルリソースが３つのシンボルに対応することと、第１のアップリンク制御チャネルリソースセットが第６のアップリンク制御チャネルリソースをさらに含み、第４のアップリンク制御チャネルリソースが４つのシンボルに対応することとを含み得る。
【００１６】
任意選択で、第１の態様の可能な実装では、第１のアップリンク制御チャネルリソースセットが、異なる量のリソースブロックに対応する少なくとも２つのアップリンク制御チャネルリソースを含むことは、第１のアップリンク制御チャネルリソースセットが第７のアップリンク制御チャネルリソースを含み、第７のアップリンク制御チャネルリソースが１つのリソースブロックに対応することと、第１のアップリンク制御チャネルリソースセットが第８のアップリンク制御チャネルリソースをさらに含み、第８のアップリンク制御チャネルリソースが２つのリソースブロックに対応することとを含み得る。
【００１７】
任意選択で、第１の態様の可能な実装では、第１のアップリンク制御チャネルリソースセットが、異なる量のリソースブロックに対応する少なくとも２つのアップリンク制御チャネルリソースを含むことは、第１のアップリンク制御チャネルリソースセットが第９のアップリンク制御チャネルリソースを含み、第９のアップリンク制御チャネルリソースが３つのリソースブロックに対応することと、第１のアップリンク制御チャネルリソースセットが第１０のアップリンク制御チャネルリソースをさらに含み、第１０のアップリンク制御チャネルリソースが４つのリソースブロックに対応することとを含み得る。
【００１８】
上記の５つの可能な実装において提供される情報送信方法によれば、アップリンク制御情報を搬送するために使用され第１の情報によって示されるアップリンク制御チャネルリソースに対応するシンボルまたはリソースブロックの量は、上記の実装のいずれか１つであり得る。したがって、第１の情報は、アップリンク制御チャネルリソースのリソースブロックの量をフレキシブルに予約し示すために使用され得る。このようにして、アップリンク制御チャネルリソースの構成フレキシビリティが改善される。
【００１９】
任意選択で、第１の態様の可能な実装では、端末デバイスがダウンリンク制御情報を受信し、ダウンリンク制御情報が第１の情報を含み、第１の情報が、アップリンク制御情報を搬送するためのアップリンク制御チャネルリソースを示すために使用されることは、端末デバイスがダウンリンク制御チャネルを受信し、ダウンリンク制御チャネル上で搬送されるダウンリンク制御情報が第１の情報を含み、第１の情報が、アップリンク制御情報を搬送するためのアップリンク制御チャネルリソースを示すために使用されること、または端末デバイスがダウンリンク制御チャネルを受信し、ダウンリンク制御チャネルに対応するダウンリンク制御情報フォーマットが第１の情報フィールドを含み、第１の情報フィールドが、アップリンク制御情報を搬送するためのアップリンク制御チャネルリソースを示すために使用されること、または端末デバイスがダウンリンク制御情報フォーマットを検出し、ダウンリンク制御情報フォーマットが第１の情報フィールドを含み、第１の情報フィールドが、アップリンク制御情報を搬送するためのアップリンク制御チャネルリソースを示すために使用されることを含み得る。
【００２０】
この可能な実装において提供される情報送信方法は、端末デバイスによってダウンリンク制御チャネルを受信する特定の実装を提供する。これは情報送信フレキシビリティを改善する。
【００２１】
任意選択で、第１の態様の可能な実装では、アップリンク制御チャネルリソースは、アップリンク制御チャネルに対応する時間周波数領域リソースおよび／またはコードリソースであり得る。
【００２２】
任意選択で、第１の態様の可能な実装では、コードリソースは、アップリンク制御チャネルに対応するシーケンスのサイクリックシフトおよび／または直交拡散コードであり得る。
【００２３】
任意選択で、第１の態様の可能な実装では、端末デバイスが上位レイヤシグナリングに基づいて第１のアップリンク制御チャネルリソースセットを判定することは、端末デバイスが、上位レイヤシグナリングに基づいて、第１のアップリンク制御チャネルリソースセット中のアップリンク制御チャネルリソースに対応するシンボルの量、もしくは第１のアップリンク制御チャネルリソースセット中のアップリンク制御チャネルリソースに対応するリソースブロックの量を判定すること、または端末デバイスが、上位レイヤシグナリングに基づいて、第１のアップリンク制御チャネルリソースセット中のアップリンク制御チャネルリソースに対応するリソースインデックスを判定すること、または端末デバイスが、上位レイヤシグナリングに基づいて、第１のアップリンク制御チャネルリソースセット中のアップリンク制御チャネルリソースに対応するリソースインデックスを判定し、端末デバイスが、リソースインデックスに基づいて、リソースインデックスに対応するシンボルもしくはリソースブロックの量を判定することを含み得る。
【００２４】
任意選択で、第１の態様の可能な実装では、第１の情報が２ビット情報フィールドに対応する場合、第１の情報が、アップリンク制御情報を搬送するためのアップリンク制御チャネルリソースを示すために使用されることは、第１の情報に対応する２ビット情報フィールドが００である場合、アップリンク制御情報を搬送するためのアップリンク制御チャネルリソースが第１のアップリンク制御チャネルリソースであること、第１の情報に対応する２ビット情報フィールドが０１である場合、アップリンク制御情報を搬送するためのアップリンク制御チャネルリソースが第２のアップリンク制御チャネルリソースであること、第１の情報に対応する２ビット情報フィールドが１０である場合、アップリンク制御情報を搬送するためのアップリンク制御チャネルリソースが第３のアップリンク制御チャネルリソースであること、または第１の情報に対応する２ビット情報フィールドが１１である場合、アップリンク制御情報を搬送するためのアップリンク制御チャネルリソースが第４のアップリンク制御チャネルリソースであることであり得る。
【００２５】
この可能な実装において提供される情報送信方法によれば、アップリンク制御情報を搬送するために使用され第１の情報によって示されるアップリンク制御チャネルリソースに対応するシンボルまたはリソースブロックの量は変動する。したがって、第１の情報は、アップリンク制御チャネルリソースのリソースブロックの量をフレキシブルに予約し示すために使用され得る。このようにして、アップリンク制御チャネルリソースの構成フレキシビリティが改善される。
【００２６】
第２の態様によれば、本出願の一実施形態は情報送信方法を提供し、本方法は、ネットワークデバイスがダウンリンク制御情報を送り、ダウンリンク制御情報が第１の情報を含み、第１の情報が、アップリンク制御情報を搬送するためのアップリンク制御チャネルリソースを示すために使用され、アップリンク制御チャネルリソースが第１のアップリンク制御チャネルリソースセットに属し、第１のアップリンク制御チャネルリソースセットが、異なる量のシンボルに対応する少なくとも２つのアップリンク制御チャネルリソースを含むか、または異なる量のリソースブロックに対応する少なくとも２つのアップリンク制御チャネルリソースを含むことと、ネットワークデバイスが、アップリンク制御情報を搬送するためのアップリンク制御チャネルリソース上で、端末デバイスによって送られたアップリンク制御情報を受信することとを含み得る。
【００２７】
第２の態様において提供される情報送信方法によれば、ネットワークデバイスはダウンリンク制御情報を送り、ダウンリンク制御情報は第１の情報を含み、アップリンク制御情報を搬送するために使用され第１の情報によって示される、予約されたアップリンク制御チャネルリソースに対応するシンボルまたはリソースブロックの量は、固定ではなく、変更され得る。したがって、第１の情報は、各サブフレーム中でアップリンク制御情報を送信するために使用されるアップリンク制御チャネルリソースをフレキシブルに予約し示すために使用され得る。このようにして、アップリンク制御チャネルリソースの構成フレキシビリティが改善され、システムリソース利用が改善される。
【００２８】
任意選択で、第２の態様の可能な実装では、本方法は、ネットワークデバイスが上位レイヤシグナリングを送り、上位レイヤシグナリングが、第１のアップリンク制御チャネルリソースセットを示すために使用されることをさらに含み得る。
【００２９】
この可能な実装において提供される情報送信方法によれば、ネットワークデバイスは、異なるシナリオ要件および異なるサービス送信要件を満たすように、必要とされるシンボルまたはリソースブロックの量をフレキシブルに構成し得、ネットワークデバイスは、上位レイヤシグナリングを使用することによって端末デバイスのために第１のアップリンク制御チャネルリソースセット中に含まれるすべてのアップリンク制御チャネルリソースを構成し得る。このようにして、アップリンク制御チャネルリソースの構成フレキシビリティがさらに改善され、アップリンク制御情報送信性能が保証される。
【００３０】
任意選択で、第２の態様の可能な実装では、上位レイヤシグナリングが、第１のアップリンク制御チャネルリソースセットを示すために使用されることは、上位レイヤシグナリングが、第１のアップリンク制御チャネルリソースセット中のアップリンク制御チャネルリソースに対応するシンボルの量を示すために使用されること、または上位レイヤシグナリングが、第１のアップリンク制御チャネルリソースセット中のアップリンク制御チャネルリソースに対応するリソースブロックの量を示すために使用されることを含む。
【００３１】
任意選択で、第２の態様の可能な実装では、第１のアップリンク制御チャネルリソースセットが、異なる量のシンボルに対応する少なくとも２つのアップリンク制御チャネルリソースを含むことは、第１のアップリンク制御チャネルリソースセットが第１のアップリンク制御チャネルリソースを含み、第１のアップリンク制御チャネルリソースが１つのシンボルに対応することと、第１のアップリンク制御チャネルリソースセットが第２のアップリンク制御チャネルリソースをさらに含み、第２のアップリンク制御チャネルリソースが２つのシンボルに対応することとを含み得る。
【００３２】
任意選択で、第２の態様の可能な実装では、第１のアップリンク制御チャネルリソースセットが、異なる量のシンボルに対応する少なくとも２つのアップリンク制御チャネルリソースを含むことは、第１のアップリンク制御チャネルリソースセットが第３のアップリンク制御チャネルリソースを含み、第３のアップリンク制御チャネルリソースが７つのシンボルに対応することと、第１のアップリンク制御チャネルリソースセットが第４のアップリンク制御チャネルリソースをさらに含み、第４のアップリンク制御チャネルリソースが１４個のシンボルに対応することとを含み得る。
【００３３】
任意選択で、第２の態様の可能な実装では、第１のアップリンク制御チャネルリソースセットが、異なる量のリソースブロックに対応する少なくとも２つのアップリンク制御チャネルリソースを含むことは、第１のアップリンク制御チャネルリソースセットが第７のアップリンク制御チャネルリソースを含み、第７のアップリンク制御チャネルリソースが１つのリソースブロックに対応することと、第１のアップリンク制御チャネルリソースセットが第８のアップリンク制御チャネルリソースをさらに含み、第８のアップリンク制御チャネルリソースが２つのリソースブロックに対応することとを含み得る。
【００３４】
任意選択で、第２の態様の可能な実装では、第１のアップリンク制御チャネルリソースセットが、異なる量のリソースブロックに対応する少なくとも２つのアップリンク制御チャネルリソースを含むことは、第１のアップリンク制御チャネルリソースセットが第９のアップリンク制御チャネルリソースを含み、第９のアップリンク制御チャネルリソースが３つのリソースブロックに対応することと、第１のアップリンク制御チャネルリソースセットが第１０のアップリンク制御チャネルリソースをさらに含み、第１０のアップリンク制御チャネルリソースが４つのリソースブロックに対応することとを含み得る。
【００３５】
上記の４つの可能な実装において提供される情報送信方法によれば、アップリンク制御情報を搬送するために使用され第１の情報によって示されるアップリンク制御チャネルリソースに対応するシンボルまたはリソースブロックの量は変動する。したがって、第１の情報は、アップリンク制御チャネルリソースのリソースブロックの量をフレキシブルに予約し示すために使用され得る。このようにして、アップリンク制御チャネルリソースの構成フレキシビリティが改善される。
【００３６】
第３の態様によれば、本出願の一実施形態は情報送信方法を提供し、本方法は、端末デバイスがダウンリンク制御情報を受信し、ダウンリンク制御情報が第１の情報を含み、第１の情報が、アップリンク制御情報を搬送するためのアップリンク制御チャネルリソースを示すために使用され、アップリンク制御チャネルリソースが第１のアップリンク制御チャネルリソースセットに属し、第１のアップリンク制御チャネルリソースセットが、第２のアップリンク制御チャネルリソースセットおよび第３のアップリンク制御チャネルリソースセットを含み、第２のアップリンク制御チャネルリソースセット中に含まれるアップリンク制御チャネルリソースに対応するリソースインデックスが、第１に周波数領域および第２に時間領域の方式でソートされ、第３のアップリンク制御チャネルリソースセット中に含まれるアップリンク制御チャネルリソースに対応するリソースインデックスが、周波数領域においてソートされることと、端末デバイスが、第１の情報に基づいて、アップリンク制御情報を搬送するためのアップリンク制御チャネルリソースを判定することと、端末デバイスが、アップリンク制御チャネルリソースを使用することによってネットワークデバイスにアップリンク制御情報を送ることとを含む。
【００３７】
第３の態様において提供される情報送信方法によれば、アップリンク制御情報を搬送するために使用され第１の情報によって示される、予約されたアップリンク制御チャネルリソースに対応するリソースインデックスは、固定ではなく、異なるソート方式に基づいて変更され得る。言い換えれば、各サブフレーム中でアップリンク制御情報を送信するために使用されるアップリンク制御チャネルリソースは、フレキシブルに変更され得る。したがって、第１の情報は、各サブフレーム中でアップリンク制御情報を送信するために使用されるアップリンク制御チャネルリソースをフレキシブルに予約し示すために使用され得る。このようにして、アップリンク制御チャネルリソースの構成フレキシビリティが改善され、アップリンク制御チャネルリソースの構成フレキシビリティが改善される。
【００３８】
任意選択で、第３の態様の可能な実装では、第２のアップリンク制御チャネルリソースセット中に含まれるアップリンク制御チャネルリソースに対応するシンボルの量は、第３のアップリンク制御チャネルリソースセット中に含まれるアップリンク制御チャネルリソースに対応するシンボルの量よりも少ない。
【００３９】
任意選択で、第３の態様の可能な実装では、ダウンリンク制御情報は第４の情報をさらに含み、端末デバイスが、第１の情報に基づいて、アップリンク制御情報を搬送するためのアップリンク制御チャネルリソースを判定することは、端末デバイスが、第４の情報に基づいて、アップリンク制御情報を搬送するためのアップリンク制御チャネルリソースが属するリソースセットを判定し、アップリンク制御チャネルリソースが属するリソースセットが、第２のアップリンク制御チャネルリソースセットまたは第３のアップリンク制御チャネルリソースセットであることと、端末デバイスが、第１の情報とアップリンク制御チャネルリソースが属するリソースセットとに基づいて、アップリンク制御情報を搬送するためのアップリンク制御チャネルリソースを判定することとを含む。
【００４０】
第４の態様によれば、本出願の一実施形態は情報送信方法を提供し、本方法は、ネットワークデバイスがダウンリンク制御情報を送り、ダウンリンク制御情報が第１の情報を含み、第１の情報が、アップリンク制御情報を搬送するためのアップリンク制御チャネルリソースを示すために使用され、アップリンク制御チャネルリソースが第１のアップリンク制御チャネルリソースセットに属し、第１のアップリンク制御チャネルリソースセットが、第２のアップリンク制御チャネルリソースセットおよび第３のアップリンク制御チャネルリソースセットを含み、第２のアップリンク制御チャネルリソースセット中に含まれるアップリンク制御チャネルリソースに対応するリソースインデックスが、第１に周波数領域および第２に時間領域の方式でソートされ、第３のアップリンク制御チャネルリソースセット中に含まれるアップリンク制御チャネルリソースに対応するリソースインデックスが、周波数領域においてソートされることと、ネットワークデバイスが、アップリンク制御情報を搬送するためのアップリンク制御チャネルリソース上で、端末デバイスによって送られたアップリンク制御情報を受信することとを含む。
【００４１】
第４の態様において提供される情報送信方法によれば、アップリンク制御情報を搬送するために使用され第１の情報によって示される、予約されたアップリンク制御チャネルリソースに対応するリソースインデックスは、固定ではなく、異なるソート方式に基づいて変更され得る。したがって、第１の情報は、各サブフレーム中でアップリンク制御情報を送信するために使用されるアップリンク制御チャネルリソースをフレキシブルに予約し示すために使用され得る。このようにして、アップリンク制御チャネルリソースの構成フレキシビリティが改善される。
【００４２】
任意選択で、第４の態様の可能な実装では、ダウンリンク制御情報は第４の情報をさらに含み、第４の情報は、アップリンク制御情報を搬送するためのアップリンク制御チャネルリソースが属するリソースセットを示すために使用され、アップリンク制御チャネルリソースが属するリソースセットは、第２のアップリンク制御チャネルリソースセットまたは第３のアップリンク制御チャネルリソースセットである。
【００４３】
第５の態様によれば、本出願の一実施形態は情報送信方法を提供し、本方法は、端末デバイスがダウンリンク制御情報を受信し、ダウンリンク制御情報が第１の情報を含み、第１の情報が、アップリンク制御情報を搬送するためのアップリンク制御チャネルリソースを示すために使用され、アップリンク制御チャネルリソースが第１のアップリンク制御チャネルリソースセットに属し、第１のアップリンク制御チャネルリソースセットが、第４のアップリンク制御チャネルリソースセットおよび第５のアップリンク制御チャネルリソースセットを含み、第４のアップリンク制御チャネルリソースセット中に含まれるアップリンク制御チャネルリソースが第１のスロットに対応し、第５のアップリンク制御チャネルリソースセット中に含まれるアップリンク制御チャネルリソースが第２のスロットに対応することと、端末デバイスが、第１の情報に基づいて、アップリンク制御情報を搬送するためのアップリンク制御チャネルリソースを判定することと、端末デバイスが、アップリンク制御チャネルリソースを使用することによってネットワークデバイスにアップリンク制御情報を送ることとを含み得る。
【００４４】
第５の態様において提供される情報送信方法によれば、アップリンク制御情報を搬送するために使用され第１の情報によって示される、予約されたアップリンク制御チャネルリソースに対応するスロットは、固定ではなく、変更され得る。言い換えれば、各サブフレーム中でアップリンク制御情報を送信するために使用されるアップリンク制御チャネルリソースは、フレキシブルに変更され得る。したがって、第１の情報は、各サブフレーム中でアップリンク制御情報を送信するために使用されるアップリンク制御チャネルリソースをフレキシブルに予約し示すために使用され得る。このようにして、アップリンク制御チャネルリソースの構成フレキシビリティが改善される。
【００４５】
任意選択で、第５の態様の可能な実装では、第１のスロットおよび第２のスロットは同じサブフレームに属する。
【００４６】
第６の態様によれば、本出願の一実施形態は情報送信方法を提供し、本方法は、ネットワークデバイスがダウンリンク制御情報を送り、ダウンリンク制御情報が第１の情報を含み、第１の情報が、アップリンク制御情報を搬送するためのアップリンク制御チャネルリソースを示すために使用され、アップリンク制御チャネルリソースが第１のアップリンク制御チャネルリソースセットに属し、第１のアップリンク制御チャネルリソースセットが、第４のアップリンク制御チャネルリソースセットおよび第５のアップリンク制御チャネルリソースセットを含み、第４のアップリンク制御チャネルリソースセット中に含まれるアップリンク制御チャネルリソースが第１のスロットに対応し、第５のアップリンク制御チャネルリソースセット中に含まれるアップリンク制御チャネルリソースが第２のスロットに対応することと、ネットワークデバイスが、アップリンク制御情報を搬送するためのアップリンク制御チャネルリソース上で、端末デバイスによって送られたアップリンク制御情報を受信することとを含み得る。
【００４７】
第６の態様において提供される情報送信方法によれば、アップリンク制御情報を搬送するために使用され第１の情報によって示される、予約されたアップリンク制御チャネルリソースに対応するスロットは、固定ではなく、変更され得る。言い換えれば、各サブフレーム中でアップリンク制御情報を送信するために使用されるアップリンク制御チャネルリソースは、フレキシブルに変更され得る。したがって、第１の情報は、各サブフレーム中でアップリンク制御情報を送信するために使用されるアップリンク制御チャネルリソースをフレキシブルに予約し示すために使用され得る。このようにして、アップリンク制御チャネルリソースの構成フレキシビリティが改善される。
【００４８】
任意選択で、第６の態様の可能な実装では、第１のスロットおよび第２のスロットは同じサブフレームに属する。
【００４９】
第７の態様によれば、本出願の一実施形態は端末装置を提供し、端末装置は、ダウンリンク制御情報を受信するように構成されたトランシーバユニットであって、ダウンリンク制御情報が第１の情報を含み、第１の情報が、アップリンク制御情報を搬送するためのアップリンク制御チャネルリソースを示すために使用され、アップリンク制御チャネルリソースが第１のアップリンク制御チャネルリソースセットに属し、第１のアップリンク制御チャネルリソースセットが、異なる量のシンボルに対応する少なくとも２つのアップリンク制御チャネルリソースを含むか、または異なる量のリソースブロックに対応する少なくとも２つのアップリンク制御チャネルリソースを含む、トランシーバユニットと、第１の情報に基づいて、アップリンク制御情報を搬送するためのアップリンク制御チャネルリソースを判定するように構成された処理ユニットとを含んでよく、トランシーバユニットは、アップリンク制御チャネルリソースを使用することによってネットワークデバイスにアップリンク制御情報を送るようにさらに構成される。
【００５０】
任意選択で、第７の態様の可能な実装では、トランシーバユニットは、上位レイヤシグナリングを受信するようにさらに構成され、処理ユニットは、上位レイヤシグナリングに基づいて第１のアップリンク制御チャネルリソースセットを判定するようにさらに構成される。
【００５１】
任意選択で、第７の態様の可能な実装では、処理ユニットは、上位レイヤシグナリングに基づいて、第１のアップリンク制御チャネルリソースセット中のアップリンク制御チャネルリソースに対応するシンボルの量を判定すること、または上位レイヤシグナリングに基づいて、第１のアップリンク制御チャネルリソースセット中のアップリンク制御チャネルリソースに対応するリソースブロックの量を判定することを行うように特に構成される。
【００５２】
任意選択で、第７の態様の可能な実装では、第１のアップリンク制御チャネルリソースセットが、異なる量のシンボルに対応する少なくとも２つのアップリンク制御チャネルリソースを含むことは、第１のアップリンク制御チャネルリソースセットが第１のアップリンク制御チャネルリソースを含み、第１のアップリンク制御チャネルリソースが１つのシンボルに対応することと、第１のアップリンク制御チャネルリソースセットが第２のアップリンク制御チャネルリソースをさらに含み、第２のアップリンク制御チャネルリソースが２つのシンボルに対応することとを含む。
【００５３】
任意選択で、第７の態様の可能な実装では、第１のアップリンク制御チャネルリソースセットが、異なる量のシンボルに対応する少なくとも２つのアップリンク制御チャネルリソースを含むことは、第１のアップリンク制御チャネルリソースセットが第３のアップリンク制御チャネルリソースを含み、第３のアップリンク制御チャネルリソースが７つのシンボルに対応することと、第１のアップリンク制御チャネルリソースセットが第４のアップリンク制御チャネルリソースをさらに含み、第４のアップリンク制御チャネルリソースが１４個のシンボルに対応することとを含む。
【００５４】
第８の態様によれば、本出願の一実施形態はネットワーク装置を提供し、ネットワーク装置は、ダウンリンク制御情報を送るように構成されたトランシーバユニットであって、ダウンリンク制御情報が第１の情報を含み、第１の情報が、アップリンク制御情報を搬送するためのアップリンク制御チャネルリソースを示すために使用され、アップリンク制御チャネルリソースが第１のアップリンク制御チャネルリソースセットに属し、第１のアップリンク制御チャネルリソースセットが、異なる量のシンボルに対応する少なくとも２つのアップリンク制御チャネルリソースを含むか、または異なる量のリソースブロックに対応する少なくとも２つのアップリンク制御チャネルリソースを含む、トランシーバユニットを含んでよく、トランシーバユニットは、アップリンク制御情報を搬送するためのアップリンク制御チャネルリソース上で、端末デバイスによって送られたアップリンク制御情報を受信するようにさらに構成される。
【００５５】
任意選択で、第８の態様の可能な実装では、トランシーバユニットは、上位レイヤシグナリングを送ることであって、上位レイヤシグナリングが、第１のアップリンク制御チャネルリソースセットを示すために使用される、ことを行うようにさらに構成される。
【００５６】
任意選択で、第８の態様の可能な実装では、上位レイヤシグナリングが、第１のアップリンク制御チャネルリソースセットを示すために使用されることは、上位レイヤシグナリングが、第１のアップリンク制御チャネルリソースセット中のアップリンク制御チャネルリソースに対応するシンボルの量を示すために使用されること、または上位レイヤシグナリングが、第１のアップリンク制御チャネルリソースセット中のアップリンク制御チャネルリソースに対応するリソースブロックの量を示すために使用されることを含む。
【００５７】
任意選択で、第８の態様の可能な実装では、第１のアップリンク制御チャネルリソースセットが、異なる量のシンボルに対応する少なくとも２つのアップリンク制御チャネルリソースを含むことは、第１のアップリンク制御チャネルリソースセットが第１のアップリンク制御チャネルリソースを含み、第１のアップリンク制御チャネルリソースが１つのシンボルに対応することと、第１のアップリンク制御チャネルリソースセットが第２のアップリンク制御チャネルリソースをさらに含み、第２のアップリンク制御チャネルリソースが２つのシンボルに対応することとを含む。
【００５８】
任意選択で、第８の態様の可能な実装では、第１のアップリンク制御チャネルリソースセットが、異なる量のシンボルに対応する少なくとも２つのアップリンク制御チャネルリソースを含むことは、第１のアップリンク制御チャネルリソースセットが第３のアップリンク制御チャネルリソースを含み、第３のアップリンク制御チャネルリソースが７つのシンボルに対応することと、第１のアップリンク制御チャネルリソースセットが第４のアップリンク制御チャネルリソースをさらに含み、第４のアップリンク制御チャネルリソースが１４個のシンボルに対応することとを含む。
【００５９】
第９の態様によれば、本出願の一実施形態は端末装置を提供し、端末装置は、ダウンリンク制御情報を受信するように構成されたトランシーバユニットであって、ダウンリンク制御情報が第１の情報を含み、第１の情報が、アップリンク制御情報を搬送するためのアップリンク制御チャネルリソースを示すために使用され、アップリンク制御チャネルリソースが第１のアップリンク制御チャネルリソースセットに属し、第１のアップリンク制御チャネルリソースセットが、第２のアップリンク制御チャネルリソースセットおよび第３のアップリンク制御チャネルリソースセットを含み、第２のアップリンク制御チャネルリソースセット中に含まれるアップリンク制御チャネルリソースに対応するリソースインデックスが、第１に周波数領域および第２に時間領域の方式でソートされ、第３のアップリンク制御チャネルリソースセット中に含まれるアップリンク制御チャネルリソースに対応するリソースインデックスが、周波数領域においてソートされる、トランシーバユニットと、第１の情報に基づいて、アップリンク制御情報を搬送するためのアップリンク制御チャネルリソースを判定するように構成された処理ユニットとを含んでよく、トランシーバユニットは、アップリンク制御チャネルリソースを使用することによってネットワークデバイスにアップリンク制御情報を送るようにさらに構成される。
【００６０】
任意選択で、第９の態様の可能な実装では、第２のアップリンク制御チャネルリソースセット中に含まれるアップリンク制御チャネルリソースに対応するシンボルの量は、第３のアップリンク制御チャネルリソースセット中に含まれるアップリンク制御チャネルリソースに対応するシンボルの量よりも少ない。
【００６１】
任意選択で、第９の態様の可能な実装では、ダウンリンク制御情報は第４の情報をさらに含み、処理ユニットは、第４の情報に基づいて、アップリンク制御情報を搬送するためのアップリンク制御チャネルリソースが属するリソースセットを判定することであって、アップリンク制御チャネルリソースが属するリソースセットが、第２のアップリンク制御チャネルリソースセットまたは第３のアップリンク制御チャネルリソースセットである、ことと、第１の情報とアップリンク制御チャネルリソースが属するリソースセットとに基づいて、アップリンク制御情報を搬送するためのアップリンク制御チャネルリソースを判定することとを行うように特に構成される。
【００６２】
第１０の態様によれば、本出願の一実施形態はネットワークデバイスを提供し、ネットワークデバイスは、ダウンリンク制御情報を送るように構成されたトランシーバユニットであって、ダウンリンク制御情報が第１の情報を含み、第１の情報が、アップリンク制御情報を搬送するためのアップリンク制御チャネルリソースを示すために使用され、アップリンク制御チャネルリソースが第１のアップリンク制御チャネルリソースセットに属し、第１のアップリンク制御チャネルリソースセットが、第２のアップリンク制御チャネルリソースセットおよび第３のアップリンク制御チャネルリソースセットを含み、第２のアップリンク制御チャネルリソースセット中に含まれるアップリンク制御チャネルリソースに対応するリソースインデックスが、第１に周波数領域および第２に時間領域の方式でソートされ、第３のアップリンク制御チャネルリソースセット中に含まれるアップリンク制御チャネルリソースに対応するリソースインデックスが、周波数領域においてソートされる、トランシーバユニットを含んでよく、トランシーバユニットは、アップリンク制御情報を搬送するためのアップリンク制御チャネルリソース上で、端末デバイスによって送られたアップリンク制御情報を受信するようにさらに構成される。
【００６３】
任意選択で、第１０の態様の可能な実装では、ダウンリンク制御情報は第４の情報をさらに含み、第４の情報は、アップリンク制御情報を搬送するためのアップリンク制御チャネルリソースが属するリソースセットを示すために使用され、アップリンク制御チャネルリソースが属するリソースセットは、第２のアップリンク制御チャネルリソースセットまたは第３のアップリンク制御チャネルリソースセットである。
【００６４】
第１１の態様によれば、本出願の一実施形態は端末デバイスを提供し、端末デバイスは、ダウンリンク制御情報を受信するように構成されたトランシーバユニットであって、ダウンリンク制御情報が第１の情報を含み、第１の情報が、アップリンク制御情報を搬送するためのアップリンク制御チャネルリソースを示すために使用され、アップリンク制御チャネルリソースが第１のアップリンク制御チャネルリソースセットに属し、第１のアップリンク制御チャネルリソースセットが、第４のアップリンク制御チャネルリソースセットおよび第５のアップリンク制御チャネルリソースセットを含み、第４のアップリンク制御チャネルリソースセット中に含まれるアップリンク制御チャネルリソースが第１のスロットに対応し、第５のアップリンク制御チャネルリソースセット中に含まれるアップリンク制御チャネルリソースが第２のスロットに対応する、トランシーバユニットと、第１の情報に基づいて、アップリンク制御情報を搬送するためのアップリンク制御チャネルリソースを判定するように構成された処理ユニットとを含んでよく、トランシーバユニットは、アップリンク制御チャネルリソースを使用することによってネットワークデバイスにアップリンク制御情報を送るようにさらに構成される。
【００６５】
任意選択で、第１１の態様の可能な実装では、第１のスロットおよび第２のスロットは同じサブフレームに属する。
【００６６】
第１２の態様によれば、本出願の一実施形態はネットワークデバイスを提供し、ネットワークデバイスは、ダウンリンク制御情報を送るように構成されたトランシーバユニットであって、ダウンリンク制御情報が第１の情報を含み、第１の情報が、アップリンク制御情報を搬送するためのアップリンク制御チャネルリソースを示すために使用され、アップリンク制御チャネルリソースが第１のアップリンク制御チャネルリソースセットに属し、第１のアップリンク制御チャネルリソースセットが、第４のアップリンク制御チャネルリソースセットおよび第５のアップリンク制御チャネルリソースセットを含み、第４のアップリンク制御チャネルリソースセット中に含まれるアップリンク制御チャネルリソースが第１のスロットに対応し、第５のアップリンク制御チャネルリソースセット中に含まれるアップリンク制御チャネルリソースが第２のスロットに対応する、トランシーバユニットを含んでよく、トランシーバユニットは、アップリンク制御情報を搬送するためのアップリンク制御チャネルリソース上で、端末デバイスによって送られたアップリンク制御情報を受信するようにさらに構成される。
【００６７】
任意選択で、第１２の態様の可能な実装では、第１のスロットおよび第２のスロットは同じサブフレームに属する。
【００６８】
本出願の実施形態は、情報送信方法、端末デバイス、およびネットワークデバイスを提供する。情報送信方法は、ネットワークデバイスがダウンリンク制御情報を送り、ダウンリンク制御情報が第１の情報を含むことと、端末デバイスが、ダウンリンク制御情報を受信し、第１の情報に基づいて、アップリンク制御情報を搬送するためのアップリンク制御チャネルリソースを判定し、アップリンク制御チャネルリソースを使用することによってネットワークデバイスにアップリンク制御情報を送ることと、ネットワークデバイスが、アップリンク制御情報を搬送するためのアップリンク制御チャネルリソース上で、端末デバイスによって送られたアップリンク制御情報を受信することとを含み得る。したがって、本出願の実施形態において提供される情報送信方法によれば、第１の情報は、各サブフレーム中でアップリンク制御情報を送信するために使用されるアップリンク制御チャネルリソースをフレキシブルに予約し示すために使用され得る。このようにして、アップリンク制御チャネルリソースの構成フレキシビリティが改善され、システムリソース利用が改善される。
【図面の簡単な説明】
【００６９】
【図１】５Ｇ通信システムにおけるサブフレームタイプの概略図である。
【図２】本出願の一実施形態による情報送信方法の実施形態１の概略フローチャートである。
【図３】本出願の一実施形態による情報送信方法の実施形態１におけるアップリンク制御チャネルリソースの概略構造図である。
【図４】本出願の一実施形態による情報送信方法の実施形態１におけるアップリンク制御チャネルリソースの別の概略構造図である。
【図５】本出願の一実施形態による情報送信方法の実施形態２の概略フローチャートである。
【図６】本出願の一実施形態による情報送信方法の実施形態２におけるアップリンク制御チャネルリソースの概略構造図である。
【図７】本出願の一実施形態による情報送信方法の実施形態２におけるアップリンク制御チャネルリソースの別の概略構造図である。
【図８】本出願の一実施形態による情報送信方法の実施形態２におけるアップリンク制御チャネルリソースのさらに別の概略構造図である。
【図９】本出願の一実施形態による情報送信方法の実施形態３の概略フローチャートである。
【図１０】本出願の一実施形態による情報送信方法の実施形態３におけるアップリンク制御チャネルリソースの概略構造図である。
【図１１】本出願の一実施形態による端末デバイスの実施形態１の概略構造図である。
【図１２】本出願の一実施形態によるネットワークデバイスの実施形態１の概略構造図である。
【図１３】本出願の一実施形態による端末デバイスの実施形態１の概略構造図である。
【図１４】本出願の一実施形態によるネットワークデバイスの実施形態１の概略構造図である。
【発明を実施するための形態】
【００７０】
本出願の実施形態における端末デバイス（ユーザ機器ＵＥ、Ｕｓｅｒ  Ｅｑｕｉｐｍｅｎｔとも呼ばれる）は、モバイルフォンまたはタブレットコンピュータなどのワイヤレス端末であり得る。ワイヤレス端末は、ユーザに音声および／またはデータサービスを提供するデバイスを含む。任意選択で、デバイスは、ワイヤレスモデムに接続されたワイヤレス接続機能または別の処理デバイスをもつハンドヘルドデバイスであり得る。加えて、ワイヤレス端末は、無線アクセスネットワーク（たとえば、ＲＡＮ、Ｒａｄｉｏ  Ａｃｃｅｓｓ  Ｎｅｔｗｏｒｋ）を使用することによって１つまたは複数のコアネットワークと通信し得る。たとえば、ワイヤレス端末は、特に、モバイルフォン（または「セルラー」フォンと呼ばれる）などのモバイル端末およびモバイル端末をもつコンピュータであり得る。モバイル端末をもつコンピュータは、コアネットワークと音声および／またはデータを交換することができるポータブル、ポケットサイズ、ハンドヘルド、コンピュータ内蔵、または車載モバイル装置であり得る。たとえば、モバイル端末をもつコンピュータは、パーソナル通信サービス（ＰＣＳ、Ｐｅｒｓｏｎａｌ  Ｃｏｍｍｕｎｉｃａｔｉｏｎｓ  Ｓｅｒｖｉｃｅ）フォン、コードレス電話機、セッション開始プロトコル（ＳＩＰ）フォン、ワイヤレスローカルループ（ＷＬＬ、Ｗｉｒｅｌｅｓｓ  Ｌｏｃａｌ  Ｌｏｏｐ）局、または携帯情報端末（ＰＤＡ、Ｐｅｒｓｏｎａｌ  Ｄｉｇｉｔａｌ  Ａｓｓｉｓｔａｎｔ）などのデバイスであり得る。ワイヤレス端末は、システム、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、モバイルコンソール（Ｍｏｂｉｌｅ）、リモート局（Ｒｅｍｏｔｅ  Ｓｔａｔｉｏｎ）、アクセスポイント（Ａｃｃｅｓｓ  Ｐｏｉｎｔ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）、またはユーザ機器（Ｕｓｅｒ  Ｅｑｕｉｐｍｅｎｔ）と呼ばれることもある。代替として、本出願の実施形態における端末デバイスは、Ｖ２Ｘ（Ｖｅｈｉｃｌｅ  ｔｏ  Ｘ）通信している車両などであり得る。
【００７１】
本出願の実施形態におけるネットワークデバイスは、セルラー通信ネットワーク中の任意のデバイス、たとえば、（アクセスポイントなどの）基地局であってよく、基地局は、アクセスネットワーク中にあり、１つまたは複数のセクタを使用することによってエアインターフェースを介してワイヤレス端末と通信するデバイスであってよい。基地局は、受信されたオーバージエアフレームとＩＰパケットとを相互に変換し、ワイヤレス端末とアクセスネットワークの残りの部分との間のルータとして働くように構成されることがあり、アクセスネットワークの残りの部分はインターネットプロトコル（ＩＰ）ネットワークを含み得る。基地局は、エアインターフェースの属性管理をさらに協調させ得る。たとえば、基地局は、ＧＳＭもしくはＣＤＭＡにおける基地トランシーバ局（ＢＴＳ、Ｂａｓｅ  Ｔｒａｎｓｃｅｉｖｅｒ  Ｓｔａｔｉｏｎ）であり得るか、またはＷＣＤＭＡにおけるノードＢ（ＮｏｄｅＢ）であり得るか、またはＬＴＥにおける発展型ノードＢ（ＮｏｄｅＢもしくはｅＮＢもしくはｅ−ＮｏｄｅＢ、ｅｖｏｌｖｅｄ  ＮｏｄｅＢ）であり得、これは、本出願の実施形態では限定されない。
【００７２】
本出願の実施形態において提供される情報送信方法は、５Ｇ通信システム、ロングタームエボリューション（Ｌｏｎｇ  Ｔｅｒｍ  Ｅｖｏｌｕｔｉｏｎ、略してＬＴＥ）通信システム、および発展型ＬＴＥ通信システムにおける端末デバイスおよびネットワークデバイスに適用されてよく、情報送信方法は、シングルキャリアシナリオまたはキャリアアグリゲーションシナリオに適用されてよい。確かに、本出願の実施形態における情報送信方法は、限定はされないが、上記の適用シナリオを含む。本出願の実施形態において提供される情報送信方法は、アップリンク制御チャネルリソースが動的に予約され示されるどんなシナリオにおいても使用され得る。
【００７３】
５Ｇ通信システムに対応するフレーム構造は、図１に示されている４つのサブフレームタイプを含み得る。図１は、５Ｇ通信システムにおけるサブフレームタイプの概略図である。図１に示されているように、タイプ１サブフレームはダウンリンクサブフレームであり、タイプ２サブフレームはアップリンクサブフレームであり、タイプ３サブフレームおよびタイプ４サブフレームは、ダウンリンク送信のために使用されるシンボル、ガード期間（Ｇｕａｒｄ  Ｐｅｒｉｏｄ、略してＧＰ）、およびアップリンク送信のために使用されるシンボルをそれぞれ含む。タイプ３サブフレームおよびタイプ４サブフレームは、同じタイプのサブフレームの下に分類され得る。タイプ３サブフレームにおいて、ダウンリンク送信のために使用されるシンボルは、ダウンリンク制御チャネル送信およびダウンリンクデータ送信のために主に使用され、アップリンク送信のために使用されるシンボルは、アップリンク制御情報および／またはアップリンク基準信号（たとえば、サウンディング基準信号ＳＲＳ、Ｓｏｕｎｄｉｎｇ  Ｒｅｆｅｒｅｎｃｅ  Ｓｉｇｎａｌ）の送信のために主に使用される。タイプ４サブフレームにおいて、ダウンリンク送信のために使用されるシンボルは、ダウンリンク制御チャネル送信のために主に使用され、アップリンク送信のために使用されるシンボルは、アップリンクデータ、アップリンク制御、およびアップリンク基準信号の送信のために主に使用される。タイプ３サブフレームは１次ダウンリンクサブフレームと呼ばれることもある（ＤＬ優勢サブフレームまたはＤＬ中心サブフレームとも呼ばれる）。タイプ４サブフレームは１次アップリンクサブフレームと呼ばれることもある（ＵＬ優勢サブフレームまたはＵＬ中心サブフレームとも呼ばれる）。タイプ３サブフレームでは、ダウンリンク送信のために使用される時間領域シンボルの量は、アップリンク送信のために使用される時間領域シンボルの量以上であり得る。タイプ４サブフレームでは、ダウンリンク送信のために使用される時間領域シンボルの量は、アップリンク送信のために使用される時間領域シンボルの量未満であり得る。
【００７４】
本出願のすべての実施形態におけるサブフレームタイプはスロットタイプと呼ばれることもあることに留意されたい。この場合、タイプ１サブフレームは、タイプ１スロットと呼ばれることがあり、ダウンリンクスロットであり得、タイプ２サブフレームは、タイプ２スロットと呼ばれることがあり、アップリンクスロットであり得、タイプ３サブフレームはタイプ３スロットと呼ばれることがあり、タイプ４サブフレームはタイプ４スロットと呼ばれることがある。
【００７５】
本出願のすべての実施形態におけるスロットおよびサブフレームは、時間領域において長さが等しいことがあるか、または等しくないことがあることに留意されたい。
【００７６】
本出願のすべての実施形態におけるサブフレームタイプは時間領域構造と呼ばれることもあることに留意されたい。この場合、タイプ１サブフレームは第１の時間領域構造と呼ばれることがあり、タイプ２サブフレームは第２の時間領域構造と呼ばれることがあり、タイプ３サブフレームは第３の時間領域構造と呼ばれることがあり、タイプ４サブフレームは第４の時間領域構造と呼ばれることがある。
【００７７】
本出願の実施形態において提供される情報送信方法、端末デバイス、およびネットワークデバイスは、サブフレーム中でアップリンク制御チャネルリソースをフレキシブルに予約し示すことができないという従来技術の技術的問題を解決して、高速なＨＡＲＱ−ＡＣＫフィードバックおよび高速な再送信を実施し、フレキシブルなＨＡＲＱタイミングに適応することを意図される。
【００７８】
以下で、特定の実施形態を使用することによって本出願の技術的解決策について詳細に説明する。以下の特定の実施形態は相互に組み合わされてよく、同じまたは同様の概念または処理は、いくつかの実施形態では再び説明されないことがある。
【００７９】
図２は、本出願の一実施形態による情報送信方法の実施形態１の概略フローチャートである。図２に示されているように、本出願のこの実施形態において提供される情報送信方法は以下のステップを含み得る。
【００８０】
Ｓ１０１．ネットワークデバイスがダウンリンク制御情報を送り、ダウンリンク制御情報が第１の情報を含む。
【００８１】
第１の情報は、アップリンク制御情報を搬送するためのアップリンク制御チャネルリソースを示すために使用される。
【００８２】
アップリンク制御チャネルリソースは第１のアップリンク制御チャネルリソースセットに属し、第１のアップリンク制御チャネルリソースセットは、異なる量のシンボルに対応する少なくとも２つのアップリンク制御チャネルリソースを含むか、または異なる量のリソースブロックに対応する少なくとも２つのアップリンク制御チャネルリソースを含む。
【００８３】
特に、ネットワークデバイスは端末デバイスにダウンリンク制御情報を送り、ダウンリンク制御情報は第１の情報を含み、第１の情報はアップリンク制御チャネルリソースを示し、アップリンク制御チャネルリソースは、アップリンク制御情報を搬送するために使用される。アップリンク制御チャネルリソースは第１のアップリンク制御チャネルリソースセットに属し、第１のアップリンク制御チャネルリソースセットは少なくとも２つのアップリンク制御チャネルリソースを含み、少なくとも２つのアップリンク制御チャネルリソースは、異なる量のシンボルに対応するかまたは異なる量のリソースブロックに対応する。言い換えれば、アップリンク制御情報を搬送するために使用され第１の情報によって示される、予約されたアップリンク制御チャネルリソースに対応するシンボルまたはリソースブロックの量は、固定ではなく、変更され得る。言い換えれば、各サブフレーム中でアップリンク制御情報を送信するために使用されるアップリンク制御チャネルリソースは、フレキシブルに変更され得る。
【００８４】
固定のアップリンク制御チャネルリソースが予約される従来技術と比較して、本出願のこの実施形態において提供される情報送信方法では、第１の情報は、各サブフレーム中でアップリンク制御情報を送信するために使用されるアップリンク制御チャネルリソースをフレキシブルに予約し示すために使用され得ることがわかろう。このようにして、アップリンク制御チャネルリソースの構成フレキシビリティが改善される。
【００８５】
加えて、各サブフレーム中でアップリンク制御チャネルを送信するために使用されるアップリンク制御チャネルリソースがフレキシブルに予約され示され得るので、アップリンク制御チャネルリソースのサイズは、アップリンク制御情報フィードバックの量に基づいて変更されてよく、したがって、リソースの浪費またはリソースの不足が回避され、システムリソース利用が改善される。
【００８６】
異なる量のリソースブロックに対応する異なるアップリンク制御チャネルリソースは、同じ量のシンボルまたは異なる量のシンボルに対応し得ることに留意されたい。
【００８７】
たとえば、１つのリソースブロックに対応するアップリンク制御チャネルリソースが２つのシンボルに対応するか、または２つのリソースブロックに対応するアップリンク制御チャネルリソースが２つのシンボルに対応するか、または２つのリソースブロックに対応するアップリンク制御チャネルリソースが１つのシンボルに対応する。
【００８８】
本出願のこの実施形態におけるリソースブロックは、時間領域において長さが１つのスロットまたは１つのサブフレームに対応し得ることに留意されたい。リソースブロックが時間領域において長さが１つのサブフレームに対応するとき、リソースブロックはリソースブロックペアと呼ばれることもあり、リソースブロックの量はリソースブロックペアの量と呼ばれることもある。本出願のこの実施形態では、代替として、リソースブロックは、時間領域において長さがただ１つまたは複数のシンボルであることがあり、たとえば、１つのシンボルであり得るか、または２つのシンボルであり得る。サブフレームおよびスロットの定義は、異なる通信システムに従って変わり得る。本出願のこの実施形態は、サブフレームおよびスロットの定義ならびに対応に対していかなる特別な限定をも課さない。
【００８９】
本出願のこの実施形態におけるサブフレームは、送信時間単位と交換され得るか、または送信時間間隔と交換され得るか、またはリソース要素と交換され得ることに留意されたい。本出願のこの実施形態は、それに対していかなる特別な限定をも課さない。代替として、本出願のこの実施形態におけるサブフレームはスロットと交換され得る。
【００９０】
本出願のこの実施形態におけるシンボルは時間領域シンボルであってよく、たとえば、直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、略してＯＦＤＭ）シンボルであり得るか、またはシングルキャリア周波数分割多元接続（Ｓｉｎｇｌｅ−ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ、略してＳＣ−ＦＤＭＡ）シンボルであり得ることに留意されたい。
【００９１】
任意選択で、第１のアップリンク制御チャネルリソースセットが、異なる量のシンボルに対応する少なくとも２つのアップリンク制御チャネルリソースを含むことは、以下の４つの実装を有し得る。
【００９２】
第１の実装：
【００９３】
第１のアップリンク制御チャネルリソースセットが第１のアップリンク制御チャネルリソースを含み、第１のアップリンク制御チャネルリソースが１つのシンボルに対応し、
第１のアップリンク制御チャネルリソースセットが第２のアップリンク制御チャネルリソースをさらに含み、第２のアップリンク制御チャネルリソースが２つのシンボルに対応する。
【００９４】
第２の実装：
【００９５】
第１のアップリンク制御チャネルリソースセットが第３のアップリンク制御チャネルリソースを含み、第３のアップリンク制御チャネルリソースが７つのシンボルに対応し、
第１のアップリンク制御チャネルリソースセットが第４のアップリンク制御チャネルリソースをさらに含み、第４のアップリンク制御チャネルリソースが１４個のシンボルに対応する。
【００９６】
第３の実装：
【００９７】
第１のアップリンク制御チャネルリソースセットが第１のアップリンク制御チャネルリソースを含み、第１のアップリンク制御チャネルリソースが１つのシンボルに対応し、
第１のアップリンク制御チャネルリソースセットが第２のアップリンク制御チャネルリソースをさらに含み、第２のアップリンク制御チャネルリソースが２つのシンボルに対応し、
第１のアップリンク制御チャネルリソースセットが第３のアップリンク制御チャネルリソースをさらに含み、第３のアップリンク制御チャネルリソースが７つのシンボルに対応し、
第１のアップリンク制御チャネルリソースセットが第４のアップリンク制御チャネルリソースをさらに含み、第４のアップリンク制御チャネルリソースが１４個のシンボルに対応する。
【００９８】
第４の実装：
【００９９】
第１のアップリンク制御チャネルリソースセットが第１のアップリンク制御チャネルリソースを含み、第１のアップリンク制御チャネルリソースが１つのシンボルに対応し、
第１のアップリンク制御チャネルリソースセットが第２のアップリンク制御チャネルリソースをさらに含み、第２のアップリンク制御チャネルリソースが２つのシンボルに対応し、
第１のアップリンク制御チャネルリソースセットが第５のアップリンク制御チャネルリソースをさらに含み、第３のアップリンク制御チャネルリソースが３つのシンボルに対応し、
第１のアップリンク制御チャネルリソースセットが第６のアップリンク制御チャネルリソースをさらに含み、第４のアップリンク制御チャネルリソースが４つのシンボルに対応する。
【０１００】
特に、第１のアップリンク制御チャネルリソースセットは、１つのシンボルおよび２つのシンボル、もしくは７つのシンボルおよび１４個のシンボルにそれぞれ対応する２つのアップリンク制御チャネルリソースを含み得るか、または第１のアップリンク制御チャネルリソースセットは、１つのシンボル、２つのシンボル、７つのシンボル、および１４個のシンボル、もしくは１つのシンボル、２つのシンボル、３つのシンボル、および４つのシンボルにそれぞれ対応する４つのアップリンク制御チャネルリソースを含み得る。アップリンク制御情報を搬送するために使用され第１の情報によって示されるアップリンク制御チャネルリソースに対応するシンボルの量は、上記の実装のいずれか１つであり得る。したがって、第１の情報は、アップリンク制御チャネルリソースのシンボルの量をフレキシブルに予約し示すために使用され得る。このようにして、アップリンク制御チャネルリソースの構成フレキシビリティが改善される。
【０１０１】
本出願のこの実施形態では、第１のアップリンク制御チャネルリソースセット中のアップリンク制御チャネルリソースに対応するシンボルの量の実装は上記の４つの実装に限定されず、別の実装をさらに含み得ることに留意されたい。
【０１０２】
任意選択で、第１のアップリンク制御チャネルリソースセットが、異なる量のリソースブロックに対応する少なくとも２つのアップリンク制御チャネルリソースを含むことは、以下の３つの実装を有し得る。
【０１０３】
第１の実装：
【０１０４】
第１のアップリンク制御チャネルリソースセットが第７のアップリンク制御チャネルリソースを含み、第７のアップリンク制御チャネルリソースが１つのリソースブロックに対応し、
第１のアップリンク制御チャネルリソースセットが第８のアップリンク制御チャネルリソースをさらに含み、第８のアップリンク制御チャネルリソースが２つのリソースブロックに対応する。
【０１０５】
第２の実装：
【０１０６】
第１のアップリンク制御チャネルリソースセットが第９のアップリンク制御チャネルリソースを含み、第９のアップリンク制御チャネルリソースが３つのリソースブロックに対応し、
第１のアップリンク制御チャネルリソースセットが第１０のアップリンク制御チャネルリソースをさらに含み、第１０のアップリンク制御チャネルリソースが４つのリソースブロックに対応する。
【０１０７】
第３の実装：
【０１０８】
第１のアップリンク制御チャネルリソースセットが第７のアップリンク制御チャネルリソースを含み、第７のアップリンク制御チャネルリソースが１つのリソースブロックに対応し、
第１のアップリンク制御チャネルリソースセットが第８のアップリンク制御チャネルリソースをさらに含み、第８のアップリンク制御チャネルリソースが２つのリソースブロックに対応し、
第１のアップリンク制御チャネルリソースセットが第９のアップリンク制御チャネルリソースをさらに含み、第９のアップリンク制御チャネルリソースが３つのリソースブロックに対応し、
第１のアップリンク制御チャネルリソースセットが第１０のアップリンク制御チャネルリソースをさらに含み、第１０のアップリンク制御チャネルリソースが４つのリソースブロックに対応する。
【０１０９】
特に、第１のアップリンク制御チャネルリソースセットは、１つのリソースブロックおよび２つのリソースブロック、もしくは３つのリソースブロックおよび４つのリソースブロックにそれぞれ対応する２つのアップリンク制御チャネルリソースを含み得るか、または第１のアップリンク制御チャネルリソースセットは、１つのリソースブロック、２つのリソースブロック、３つのリソースブロック、および４つのリソースブロックにそれぞれ対応する４つのアップリンク制御チャネルリソースを含み得る。アップリンク制御情報を搬送するために使用され第１の情報によって示されるアップリンク制御チャネルリソースに対応するリソースブロックの量は、上記の実装のいずれか１つであり得る。したがって、第１の情報は、アップリンク制御チャネルリソースのリソースブロックの量をフレキシブルに予約し示すために使用され得る。このようにして、アップリンク制御チャネルリソースの構成フレキシビリティが改善される。
【０１１０】
本出願のこの実施形態では、第１のアップリンク制御チャネルリソースセット中のアップリンク制御チャネルリソースに対応するリソースブロックの量の実装は単に上記の３つの実装に限定されず、別の実装をさらに含み得ることに留意されたい。
【０１１１】
任意選択で、第１のアップリンク制御チャネルリソースセットは、異なるシンボルに対応する少なくとも２つのアップリンク制御チャネルリソースを含み得る。
【０１１２】
任意選択で、少なくとも２つのアップリンク制御チャネルリソースが、異なるシンボルに対応することは、少なくとも２つのアップリンク制御チャネルリソースが、異なるシンボル位置に対応するかまたは異なる量のシンボルに対応することであり得る。
【０１１３】
たとえば、第１のアップリンク制御チャネルリソースセットは、１つのシンボルにそれぞれ対応する２つのアップリンク制御チャネルリソースを含む。一方のアップリンク制御チャネルリソースはサブフレーム中の最後のシンボル上で搬送され、他方のアップリンク制御チャネルリソースはサブフレーム中の最後から２番目のシンボル上で搬送される。
【０１１４】
任意選択で、Ｓ１０１においてネットワークデバイスがダウンリンク制御情報を送り、ダウンリンク制御情報が第１の情報を含み、第１の情報が、アップリンク制御情報を搬送するためのアップリンク制御チャネルリソースを示すために使用されることは、以下の３つの実装を有し得る。
【０１１５】
第１の実装：ネットワークデバイスがダウンリンク制御チャネルを送り、ダウンリンク制御チャネル上で搬送されるダウンリンク制御情報が第１の情報を含み、第１の情報が、アップリンク制御情報を搬送するためのアップリンク制御チャネルリソースを示すために使用される。
【０１１６】
第２の実装：ネットワークデバイスがダウンリンク制御チャネルを送り、ダウンリンク制御チャネルに対応するダウンリンク制御情報フォーマットが第１の情報フィールドを含み、第１の情報フィールドが、アップリンク制御情報を搬送するためのアップリンク制御チャネルリソースを示すために使用される。
【０１１７】
第３の実装：ネットワークデバイスがダウンリンク制御情報フォーマットを送り、ダウンリンク制御情報フォーマットが第１の情報フィールドを含み、第１の情報フィールドが、アップリンク制御情報を搬送するためのアップリンク制御チャネルリソースを示すために使用される。
【０１１８】
任意選択で、アップリンク制御チャネルリソースは、アップリンク制御チャネルに対応する時間周波数領域リソースおよび／またはコードリソースであり得る。コードリソースは、アップリンク制御チャネルに対応するシーケンスのサイクリックシフトおよび／または直交拡散コードであり得る。
【０１１９】
任意選択で、第１の情報が、アップリンク制御情報を搬送するためのアップリンク制御チャネルリソースを示すために使用されることは、
【０１２０】
第１の情報が、アップリンク制御情報を搬送するためのアップリンク制御チャネルリソースに対応するリソースインデックスを示すために使用され、アップリンク制御チャネルリソースに対応するリソースインデックスが、リソースインデックスに基づいて、アップリンク制御チャネルに対応する時間周波数領域リソースおよび／またはコードリソースを判定するために端末デバイスによって使用されること
を含み得る。
【０１２１】
さらに、本出願のこの実施形態では、Ｓ１０１は、
【０１２２】
ネットワークデバイスが上位レイヤシグナリングを送り、上位レイヤシグナリングが、第１のアップリンク制御チャネルリソースセットを示すために使用されること
をさらに含み得る。
【０１２３】
特に、ネットワークデバイスは、異なるシナリオ要件および異なるサービス送信要件を満たすように、必要とされるシンボルまたはリソースブロックの量をフレキシブルに構成し得、ネットワークデバイスは、上位レイヤシグナリングを使用することによって端末デバイスのために第１のアップリンク制御チャネルリソースセット中に含まれるすべてのアップリンク制御チャネルリソースを構成し得る。このようにして、アップリンク制御チャネルリソースの構成フレキシビリティがさらに改善され、アップリンク制御情報送信性能が保証される。
【０１２４】
任意選択で、上位レイヤシグナリングが、第１のアップリンク制御チャネルリソースセットを示すために使用されることは、
【０１２５】
上位レイヤシグナリングが、第１のアップリンク制御チャネルリソースセット中のアップリンク制御チャネルリソースに対応するシンボルの量を示すために使用されること、または上位レイヤシグナリングが、第１のアップリンク制御チャネルリソースセット中のアップリンク制御チャネルリソースに対応するリソースブロックの量を示すために使用されること
を含み得る。
【０１２６】
任意選択で、上位レイヤシグナリングが、第１のアップリンク制御チャネルリソースセットを示すために使用されることは、
【０１２７】
上位レイヤシグナリングが、第１のアップリンク制御チャネルリソースセット中のアップリンク制御チャネルリソースに対応するシンボルを示すために使用されること
を含み得る。
【０１２８】
さらに、本出願のこの実施形態では、Ｓ１０１は、
【０１２９】
ネットワークデバイスが、アップリンク制御情報を搬送するためのアップリンク制御チャネルリソースを判定することと、
ネットワークデバイスが、アップリンク制御情報を搬送するためのアップリンク制御チャネルリソースに基づいてダウンリンク制御情報中の第１の情報を判定することと
をさらに含み得る。
【０１３０】
特に、上記のステップは、ネットワークデバイスによって第１の情報を判定する実装を提供する。ネットワークデバイスは、最初に、アップリンク制御情報を搬送するためのアップリンク制御チャネルリソースを判定し、次いで、アップリンク制御チャネルリソースに基づいてダウンリンク制御情報中の第１の情報を判定する。
【０１３１】
ネットワークデバイスは、異なる適用シナリオおよび異なるサービス要件に基づいてアップリンク制御チャネルリソースを判定することがあり、第１の情報は、異なる適用シナリオおよび異なるサービスにフレキシブルにマッチするために、アップリンク制御チャネルリソースを示すために使用される。
【０１３２】
本出願のこの実施形態は、第１の情報の特定の実装に対していかなる特別な限定をも課さず、第１の情報は要件に基づいて設定されることに留意されたい。
【０１３３】
任意選択で、特定の実装では、第１の情報が２ビット情報フィールドに対応する場合、ネットワークデバイスが、アップリンク制御情報を搬送するためのアップリンク制御チャネルリソースに基づいてダウンリンク制御情報中の第１の情報を判定することは、
【０１３４】
アップリンク制御情報を搬送するためのアップリンク制御チャネルリソースが第１のアップリンク制御チャネルリソースである場合、ネットワークデバイスが、第１の情報に対応する２ビット情報フィールドが００であると判定すること、
アップリンク制御情報を搬送するためのアップリンク制御チャネルリソースが第２のアップリンク制御チャネルリソースである場合、ネットワークデバイスが、第１の情報に対応する２ビット情報フィールドが０１であると判定すること、
アップリンク制御情報を搬送するためのアップリンク制御チャネルリソースが第３のアップリンク制御チャネルリソースである場合、ネットワークデバイスが、第１の情報に対応する２ビット情報フィールドが１０であると判定すること、または
アップリンク制御情報を搬送するためのアップリンク制御チャネルリソースが第４のアップリンク制御チャネルリソースである場合、ネットワークデバイスが、第１の情報に対応する２ビット情報フィールドが１１であると判定すること
を含み得る。
【０１３５】
第１のアップリンク制御チャネルリソース、第２のアップリンク制御チャネルリソース、第３のアップリンク制御チャネルリソース、および第４のアップリンク制御チャネルリソースは、第１のアップリンク制御チャネルリソースセットにすべて属し、第１のアップリンク制御チャネルリソース、第２のアップリンク制御チャネルリソース、第３のアップリンク制御チャネルリソース、および第４のアップリンク制御チャネルリソースは、異なる量のシンボルに対応するか、または異なる量のリソースブロックに対応するか、または異なるシンボルに対応する、少なくとも２つのアップリンク制御チャネルリソースをそれぞれ含む。
【０１３６】
さらに、ダウンリンク制御情報は第２の情報をさらに含むことがあり、第２の情報は、アップリンク制御情報を搬送するためのサブフレームを示すために使用される。
【０１３７】
特に、ダウンリンク制御情報がサブフレームｎ中で搬送される場合、アップリンク制御情報はサブフレームｎ＋ｋ中で搬送され、ｎは０以上の整数であり、ｋは０以上の整数であり、ｋの値は第２の情報に基づいて判定される。
【０１３８】
ｋが０に等しいとき、ダウンリンク制御情報およびアップリンク制御情報は同じサブフレーム中で搬送され得、したがって、高速なＨＡＲＱ再送信が実施され得、比較的小さいレイテンシのサービス要件が満たされ得、また、ｋが０よりも大きいとき、アップリンク制御情報は、ダウンリンク制御情報が搬送されるサブフレームに後続するサブフレーム中で搬送され、したがって、厳しいレイテンシ要件を有しないサービスの要件が満たされ得ることがわかろう。
【０１３９】
さらに、ダウンリンク制御情報は第３の情報をさらに含むことがあり、第３の情報は、チャネル状態情報の報告をトリガするために使用され、アップリンク制御情報はチャネル状態情報である。
【０１４０】
本出願のこの実施形態は、チャネル状態情報の定義および実装に対していかなる特別な限定をも課さないことに留意されたい。たとえば、チャネル状態情報は、チャネル品質情報、コード行列指示、レイヤ量指示、およびビーム関係情報を含み得る。
【０１４１】
任意選択で、ダウンリンク制御情報は、ダウンリンク共有チャネル送信をスケジュールするために使用され、アップリンク制御情報は、ダウンリンク共有チャネル送信に対応するハイブリッド自動再送要求である。
【０１４２】
Ｓ１０２．端末デバイスがダウンリンク制御情報を受信し、ダウンリンク制御情報が第１の情報を含む。
【０１４３】
第１の情報は、アップリンク制御情報を搬送するためのアップリンク制御チャネルリソースを示すために使用される。
【０１４４】
アップリンク制御チャネルリソースは第１のアップリンク制御チャネルリソースセットに属し、第１のアップリンク制御チャネルリソースセットは、異なる量のシンボルに対応する少なくとも２つのアップリンク制御チャネルリソースを含むか、または異なる量のリソースブロックに対応する少なくとも２つのアップリンク制御チャネルリソースを含む。
【０１４５】
特に、端末デバイスは、ネットワークデバイスによって送られたダウンリンク制御情報を受信し、ダウンリンク制御情報は第１の情報を含み、第１の情報はアップリンク制御チャネルリソースを示し、アップリンク制御チャネルリソースは、アップリンク制御情報を搬送するために使用される。アップリンク制御チャネルリソースは第１のアップリンク制御チャネルリソースセットに属し、第１のアップリンク制御チャネルリソースセットは少なくとも２つのアップリンク制御チャネルリソースを含み、少なくとも２つのアップリンク制御チャネルリソースは、異なる量のシンボルに対応するかまたは異なる量のリソースブロックに対応する。言い換えれば、アップリンク制御情報を搬送するために使用され第１の情報によって示される、予約されたアップリンク制御チャネルリソースに対応するシンボルまたはリソースブロックの量は、固定ではなく、変更され得る。言い換えれば、各サブフレーム中でアップリンク制御情報を送信するために使用されるアップリンク制御チャネルリソースは、フレキシブルに変更され得る。
【０１４６】
したがって、固定のアップリンク制御チャネルリソースが予約される従来技術と比較して、本出願のこの実施形態において提供される情報送信方法では、第１の情報は、各サブフレーム中でアップリンク制御情報を送信するために使用されるアップリンク制御チャネルリソースをフレキシブルに予約し示すために使用され得る。このようにして、アップリンク制御チャネルリソースの構成フレキシビリティが改善される。
【０１４７】
加えて、各サブフレーム中でアップリンク制御チャネルを送信するために使用されるアップリンク制御チャネルリソースがフレキシブルに予約され示され得るので、アップリンク制御チャネルリソースのサイズは、アップリンク制御情報フィードバックの量に基づいて変更されてよく、したがって、リソースの浪費またはリソースの不足が回避され、システムリソース利用が改善される。
【０１４８】
任意選択で、Ｓ１０２において端末デバイスがダウンリンク制御情報を受信し、ダウンリンク制御情報が第１の情報を含み、第１の情報が、アップリンク制御情報を搬送するためのアップリンク制御チャネルリソースを示すために使用されることは、以下の３つの実装を有し得る。
【０１４９】
第１の実装：端末デバイスがダウンリンク制御チャネルを受信し、ダウンリンク制御チャネル上で搬送されるダウンリンク制御情報が第１の情報を含み、第１の情報が、アップリンク制御情報を搬送するためのアップリンク制御チャネルリソースを示すために使用される。
【０１５０】
第２の実装：端末デバイスがダウンリンク制御チャネルを受信し、ダウンリンク制御チャネルに対応するダウンリンク制御情報フォーマットが第１の情報フィールドを含み、第１の情報フィールドが、アップリンク制御情報を搬送するためのアップリンク制御チャネルリソースを示すために使用される。
【０１５１】
第３の実装：端末デバイスがダウンリンク制御情報フォーマットを検出し、ダウンリンク制御情報フォーマットが第１の情報フィールドを含み、第１の情報フィールドが、アップリンク制御情報を搬送するためのアップリンク制御チャネルリソースを示すために使用される。
【０１５２】
さらに、本出願のこの実施形態では、Ｓ１０２は、
【０１５３】
端末デバイスが上位レイヤシグナリングを受信することと、
端末デバイスが上位レイヤシグナリングに基づいて第１のアップリンク制御チャネルリソースセットを判定することと
をさらに含み得る。
【０１５４】
特に、端末デバイスは、ネットワークデバイスによって送られた上位レイヤシグナリングを受信し、端末デバイスは、上位レイヤシグナリングを使用することによって、ネットワークデバイスによって構成された第１のアップリンク制御チャネルリソースセット中に含まれるすべてのアップリンク制御チャネルリソースを知り得る。端末デバイスは、異なるシナリオ要件および異なるサービス要件に基づいてネットワークデバイスによってフレキシブルに構成されたシンボルまたはリソースブロックの量を知り得るので、アップリンク制御チャネルリソースの構成フレキシビリティがさらに改善され、アップリンク制御情報送信性能が保証される。
【０１５５】
任意選択で、端末デバイスが上位レイヤシグナリングに基づいて第１のアップリンク制御チャネルリソースセットを判定することは、以下の３つの実装を有し得る。
【０１５６】
第１の実装：端末デバイスが、上位レイヤシグナリングに基づいて、第１のアップリンク制御チャネルリソースセット中のアップリンク制御チャネルリソースに対応するシンボルの量、または第１のアップリンク制御チャネルリソースセット中のアップリンク制御チャネルリソースに対応するリソースブロックの量を判定する。
【０１５７】
第２の実装：端末デバイスが、上位レイヤシグナリングに基づいて、第１のアップリンク制御チャネルリソースセット中のアップリンク制御チャネルリソースに対応するリソースインデックスを判定する。
【０１５８】
第３の実装：端末デバイスが、上位レイヤシグナリングに基づいて、第１のアップリンク制御チャネルリソースセット中のアップリンク制御チャネルリソースに対応するリソースインデックスを判定し、端末デバイスが、リソースインデックスに基づいて、リソースインデックスに対応するシンボルまたはリソースブロックの量を判定する。
【０１５９】
任意選択で、第１の情報が２ビット情報フィールドに対応する場合、第１の情報が、アップリンク制御情報を搬送するためのアップリンク制御チャネルリソースを示すために使用されることは、
【０１６０】
第１の情報に対応する２ビット情報フィールドが００である場合、アップリンク制御情報を搬送するためのアップリンク制御チャネルリソースが第１のアップリンク制御チャネルリソースであること、
第１の情報に対応する２ビット情報フィールドが０１である場合、アップリンク制御情報を搬送するためのアップリンク制御チャネルリソースが第２のアップリンク制御チャネルリソースであること、
第１の情報に対応する２ビット情報フィールドが１０である場合、アップリンク制御情報を搬送するためのアップリンク制御チャネルリソースが第３のアップリンク制御チャネルリソースであること、または
第１の情報に対応する２ビット情報フィールドが１１である場合、アップリンク制御情報を搬送するためのアップリンク制御チャネルリソースが第４のアップリンク制御チャネルリソースであること
であり得る。
【０１６１】
第１のアップリンク制御チャネルリソース、第２のアップリンク制御チャネルリソース、第３のアップリンク制御チャネルリソース、および第４のアップリンク制御チャネルリソースは、第１のアップリンク制御チャネルリソースセットにすべて属し、第１のアップリンク制御チャネルリソース、第２のアップリンク制御チャネルリソース、第３のアップリンク制御チャネルリソース、および第４のアップリンク制御チャネルリソースを含む４つのアップリンク制御チャネルリソースは、異なる量のシンボルに対応するか、または異なる量のリソースブロックに対応するか、または異なるシンボルに対応する、少なくとも２つのアップリンク制御チャネルリソースをそれぞれ含む。
【０１６２】
このステップにおいて、ダウンリンク制御情報、アップリンク制御情報、アップリンク制御チャネルリソース、第１のアップリンク制御チャネルリソースセット、第１の情報、シンボル、リソースブロック、スロット、サブフレーム、および他の態様についての説明は、本出願のこの実施形態におけるＳ１０１の説明と同じであり、原理は同様であることに留意されたい。詳細についてここで再び説明されない。
【０１６３】
Ｓ１０３．端末デバイスが、第１の情報に基づいて、アップリンク制御情報を搬送するためのアップリンク制御チャネルリソースを判定する。
【０１６４】
任意選択で、Ｓ１０３において端末デバイスが、第１の情報に基づいて、アップリンク制御情報を搬送するためのアップリンク制御チャネルリソースを判定することは、以下の２つの実装を有し得る。
【０１６５】
第１の実装：
【０１６６】
端末デバイスが、第１の情報に基づいて、アップリンク制御情報を搬送するためのアップリンク制御チャネルリソースに対応するリソースインデックスを判定し、
端末デバイスが、アップリンク制御チャネルリソースに対応するリソースインデックスに基づいて、アップリンク制御チャネルに対応する時間周波数領域リソースおよび／またはコードリソースを判定する。
【０１６７】
第２の実装：
【０１６８】
端末デバイスが、第１の情報に基づいて、アップリンク制御情報を搬送するためのシンボル上でアップリンク制御情報を搬送するためのアップリンク制御チャネルに対応するリソースインデックスを判定し、
端末デバイスが、アップリンク制御チャネルリソースに対応するリソースインデックスに基づいて、アップリンク制御チャネルに対応する時間周波数領域リソースおよび／またはコードリソースを判定する。
【０１６９】
任意選択で、第１の情報が２ビット情報フィールドに対応する場合、端末デバイスが、第１の情報に基づいて、アップリンク制御情報を搬送するためのアップリンク制御チャネルリソースを判定することは、
【０１７０】
第１の情報に対応する２ビット情報フィールドが００である場合、端末デバイスは、アップリンク制御情報を搬送するためのアップリンク制御チャネルリソースが、上位レイヤシグナリングを使用することによって構成された第１のアップリンク制御チャネルリソースであると判定すること、
第１の情報に対応する２ビット情報フィールドが０１である場合、端末デバイスは、アップリンク制御情報を搬送するためのアップリンク制御チャネルリソースが、上位レイヤシグナリングを使用することによって構成された第２のアップリンク制御チャネルリソースであると判定すること、
第１の情報に対応する２ビット情報フィールドが１０である場合、端末デバイスは、アップリンク制御情報を搬送するためのアップリンク制御チャネルリソースが、上位レイヤシグナリングを使用することによって構成された第３のアップリンク制御チャネルリソースであると判定すること、または
第１の情報に対応する２ビット情報フィールドが１１である場合、端末デバイスは、アップリンク制御情報を搬送するためのアップリンク制御チャネルリソースが、上位レイヤシグナリングを使用することによって構成された第４のアップリンク制御チャネルリソースであると判定すること
を含み得る。
【０１７１】
第１のアップリンク制御チャネルリソース、第２のアップリンク制御チャネルリソース、第３のアップリンク制御チャネルリソース、および第４のアップリンク制御チャネルリソースは、第１のアップリンク制御チャネルリソースセットにすべて属し、第１のアップリンク制御チャネルリソース、第２のアップリンク制御チャネルリソース、第３のアップリンク制御チャネルリソース、および第４のアップリンク制御チャネルリソースを含む４つのアップリンク制御チャネルリソースは、異なる量のシンボルに対応するか、または異なる量のリソースブロックに対応するか、または異なるシンボルに対応する、少なくとも２つのアップリンク制御チャネルリソースをそれぞれ含む。
【０１７２】
Ｓ１０４．端末デバイスが、アップリンク制御チャネルリソースを使用することによってネットワークデバイスにアップリンク制御情報を送る。
【０１７３】
特に、アップリンク制御チャネルリソースを使用することによってネットワークデバイスにアップリンク制御情報を送るために端末デバイスによってどんな既存の処理方法でも使用され得る。たとえば、アップリンク制御情報上でチャネルコーディング、変調、およびマッピングを実施することなどのステップが含まれ得る。本出願のこの実施形態は、それに対していかなる特別な限定をも課さない。
【０１７４】
Ｓ１０５．ネットワークデバイスが、アップリンク制御情報を搬送するためのアップリンク制御チャネルリソース上で、端末デバイスによって送られたアップリンク制御情報を受信する。
【０１７５】
任意選択で、ダウンリンク制御情報が第２の情報をさらに含み、第２の情報が、アップリンク制御情報を搬送するためのサブフレームを示すために使用される場合、このステップは、
【０１７６】
ネットワークデバイスが、アップリンク制御情報を搬送するためのサブフレーム中のアップリンク制御情報を搬送するためのシンボル上で、端末デバイスによって送られたアップリンク制御情報を受信すること
をさらに含み得る。
【０１７７】
本出願のこの実施形態では、ステップＳ１０１からＳ１０５の順序は限定されず、ステップＳ１０１からＳ１０５の間の相互従属性も限定されないことに留意されたい。
【０１７８】
以下で、特定の例を使用することによって本出願のこの実施形態において提供される情報送信方法について詳細に説明する。
【０１７９】
第１のアップリンク制御チャネルリソースセットは、第１のアップリンク制御チャネルリソース、第２のアップリンク制御チャネルリソース、第３のアップリンク制御チャネルリソース、および第４のアップリンク制御チャネルリソースを含む。
【０１８０】
第１のアップリンク制御チャネルリソースは１つのシンボルに対応し、第１のアップリンク制御チャネルリソースは、サブフレーム中の最後から２番目のシンボル上で搬送され得る。第２のアップリンク制御チャネルリソースは１つのシンボルに対応し、第２のアップリンク制御チャネルリソースは、サブフレーム中の最後のシンボル上で搬送され得る。第３のアップリンク制御チャネルリソースは２つのシンボルに対応する。第４のアップリンク制御チャネルリソースは２つのシンボルに対応する。第３のアップリンク制御チャネルリソースおよび第４のアップリンク制御チャネルリソースは、異なるリソースブロックを占有し得る。
【０１８１】
ダウンリンク制御情報（Ｄｏｗｎｌｉｎｋ  Ｃｏｎｔｒｏｌ  Ｉｎｆｏｒｍａｔｉｏｎ、略してＤＣＩ）は、物理ダウンリンク共有チャネル（Ｐｈｙｓｉｃａｌ  Ｄｏｗｎｌｉｎｋ  Ｓｈａｒｅｄ  Ｃｈａｎｎｅｌ、略してＰＤＳＣＨ）送信をスケジュールするために使用され、アップリンク制御情報（Ｕｐｌｉｎｋ  Ｃｏｎｔｒｏｌ  Ｉｎｆｏｒｍａｔｉｏｎ、略してＵＣＩ）は、ＰＤＳＣＨ送信に対応するＨＡＲＱフィードバックである。ＨＡＲＱフィードバックは、肯定応答（Ａｃｋｎｏｗｌｅｄｇｍｅｎｔ、略してＡＣＫ）および／または否定応答（Ｎｅｇａｔｉｖｅ  Ａｃｋｎｏｗｌｅｄｇｅｍｅｎｔ、略してＮＡＣＫ）を特に含む。
【０１８２】
図２は、本出願の一実施形態による情報送信方法の実施形態１におけるアップリンク制御チャネルリソースの概略構造図である。図２に示されているように、説明のための一例として４つのサブフレームが使用される。サブフレームの通し番号は、それぞれサブフレームｎ、サブフレームｎ＋１、サブフレームｎ＋２、およびサブフレームｎ＋３であり、ｎはサブフレーム番号であり、ｎは０以上の整数である。サブフレームｎおよびサブフレームｎ＋１はタイプ１サブフレームであり、サブフレームｎ＋２およびサブフレームｎ＋３はタイプ３サブフレームである。
【０１８３】
特に、サブフレームｎはＤＣＩを搬送し、ＤＣＩはサブフレームｎ中の第１のシンボル上で搬送され、ＤＣＩは、ＰＤＳＣＨ送信をスケジュールするために使用され、ＰＤＳＣＨ送信はサブフレームｎ中で搬送される。ＤＣＩは第１の情報を含み、第１の情報は、ＰＤＳＣＨ送信に対応するＨＡＲＱフィードバックが、サブフレームｎ＋２中で送信されるアップリンク制御チャネルリソース、および特に、第１のアップリンク制御チャネルリソースセット中の第３のアップリンク制御チャネルリソース上で搬送されるべきことを示す。
【０１８４】
サブフレームｎ＋１はＤＣＩを搬送し、ＤＣＩはサブフレームｎ＋１中の第１のシンボル上で搬送され、ＤＣＩは、ＰＤＳＣＨ送信をスケジュールするために使用され、ＰＤＳＣＨ送信はサブフレームｎ＋１中で搬送される。ＤＣＩは第１の情報を含み、第１の情報は、ＰＤＳＣＨ送信に対応するＨＡＲＱフィードバックが、サブフレームｎ＋２中で送信されるアップリンク制御チャネルリソース、および特に、第１のアップリンク制御チャネルリソースセット中の第３のアップリンク制御チャネルリソース上で搬送されるべきことを示す。
【０１８５】
サブフレームｎ＋２はＤＣＩを搬送し、ＤＣＩはサブフレームｎ＋２中の第１のシンボル上で搬送され、ＤＣＩは、ＰＤＳＣＨ送信をスケジュールするために使用され、ＰＤＳＣＨ送信はサブフレームｎ＋２中で搬送される。ＤＣＩは第１の情報を含み、第１の情報は、ＰＤＳＣＨ送信に対応するＨＡＲＱフィードバックが、サブフレームｎ＋３中で送信されるアップリンク制御チャネルリソース、および特に、第１のアップリンク制御チャネルリソースセット中の第２のアップリンク制御チャネルリソース上で搬送されるべきことを示す。
【０１８６】
図２に示されている例では、サブフレームｎに対応するＨＡＲＱフィードバックおよびサブフレームｎ＋１に対応するＨＡＲＱフィードバックはサブフレームｎ＋２中で搬送される必要があり、したがって、比較的大きいアップリンク制御チャネルリソースが必要とされることがわかろう。サブフレームｎ中で搬送されるＤＣＩ中に含まれる第１の情報およびサブフレームｎ＋１中で搬送されるＤＣＩ中に含まれる第１の情報は、サブフレームｎに対応するＨＡＲＱフィードバックおよびサブフレームｎ＋１に対応するＨＡＲＱフィードバックを搬送するためのアップリンク制御チャネルリソースが、第１のアップリンク制御チャネルリソースセット中の第３のアップリンク制御チャネルリソースであることを示すために使用される。第３のアップリンク制御チャネルリソースは２つのシンボルに対応し、具体的には、端末デバイスは、２つのシンボルを占有しているアップリンク制御チャネルを使用することによってサブフレームｎ＋２中でＵＣＩを送信するので、サブフレームｎに対応するＨＡＲＱフィードバックと、サブフレームｎ＋１に対応するＨＡＲＱフィードバックの両方がサブフレームｎ＋２中で送信され得、したがってＵＣＩ送信信頼性が保証される。
【０１８７】
しかしながら、サブフレームｎ＋３については、サブフレームｎ＋２に対応するＨＡＲＱフィードバックのみがサブフレームｎ＋３中で搬送される必要があり、したがって、比較的小さいアップリンク制御チャネルリソースが必要とされる。サブフレームｎ＋２中で搬送されるＤＣＩ中に含まれる第１の情報は、サブフレームｎ＋２に対応するＨＡＲＱフィードバックを搬送するためのアップリンク制御チャネルリソースが、第１のアップリンク制御チャネルリソースセット中の第２のアップリンク制御チャネルリソースであることを示すために使用される。第２のアップリンク制御チャネルリソースは１つのシンボルに対応し、具体的には、端末デバイスは、１つのシンボルを占有しているアップリンク制御チャネルを使用することによってサブフレームｎ＋３中でＵＣＩを送信するので、サブフレームｎ＋２に対応するＨＡＲＱフィードバックはサブフレームｎ＋３中で送信され得る。アップリンク制御チャネル送信のためにただ１つのシンボルが使用されるので、ＵＣＩ送信性能が保証されながら、アップリンク制御チャネルオーバーヘッドが低減され、リソース利用が改善される。
【０１８８】
以下で、別の特定の例を使用することによって本出願のこの実施形態において提供される情報送信方法について詳細に説明する。
【０１８９】
第１のアップリンク制御チャネルリソースセットは、図２の対応する第１のアップリンク制御チャネルリソースセットと同じ方式で構成され、詳細についてここで再び説明されない。
【０１９０】
図４は、本出願の一実施形態による情報送信方法の実施形態１におけるアップリンク制御チャネルリソースの別の概略構造図である。図４に示されているように、説明のための一例として２つのサブフレームが使用される。サブフレームの通し番号は、それぞれサブフレームｎおよびサブフレームｎ＋１であり、ｎはサブフレーム番号であり、ｎは０以上の整数である。サブフレームｎおよびサブフレームｎ＋１はタイプ３サブフレームである。
【０１９１】
特に、サブフレームｎはＤＣＩを搬送し、ＤＣＩはサブフレームｎ中の第１のシンボル上で搬送され、ＤＣＩは、ＰＤＳＣＨ送信をスケジュールするために使用され、ＰＤＳＣＨ送信はサブフレームｎ中で搬送される。ＤＣＩは第１の情報および第２の情報を含む。第２の情報は、ＰＤＳＣＨ送信に対応するＨＡＲＱフィードバックが、同じサブフレーム（サブフレームｎ）中で送信されるべきことを示す。第１の情報は、ＰＤＳＣＨ送信に対応するＨＡＲＱフィードバックが、同じサブフレーム（サブフレームｎ）中で送信されるアップリンク制御チャネルリソース、および特に、第１のアップリンク制御チャネルリソースセット中の第１のアップリンク制御チャネルリソース上で搬送されるべきことを示す。
【０１９２】
ＰＤＳＣＨ送信においてエラーが生じた場合、ＰＤＳＣＨに対応する再送信がサブフレームｎ＋１中で搬送され、再送信に対応するＤＣＩは、サブフレームｎ＋１中の第１のシンボル上で搬送される。
【０１９３】
図３に示されている例では、サブフレームｎ中で搬送されるＤＣＩは第１の情報および第２の情報を含み、サブフレームｎ中で搬送されるＤＣＩは、現在のサブフレーム（サブフレームｎ）中でＰＤＳＣＨ送信をスケジュールするために使用され、第１の情報および第２の情報は、ＰＤＳＣＨ送信に対応するＨＡＲＱフィードバックが現在のサブフレーム（サブフレームｎ）中で送信されるべきであり、ＨＡＲＱフィードバックが、特に、現在のサブフレーム（サブフレームｎ）中の最後から２番目のシンボル上で搬送されることを示すことがわかろう。このようにして、ネットワークデバイス側のために１つのシンボル（サブフレームｎ中の最後のシンボル）の処理時間が予約され、したがって、再送信はサブフレームｎ＋１中の第１のシンボル上でスケジュールされて、高速な再送信が実施され得る。
【０１９４】
しかしながら、従来技術では、固定のアップリンク制御チャネルリソースが反転させられる。ＵＣＩを送信するためにサブフレームｎ中の最後のシンボルのみが予約された場合、ネットワークデバイス側は、ネットワークデバイス側のための処理時間が予約されないので、サブフレームｎ＋１中で再送信をスケジュールするのを失敗することがあり、再送信はサブフレームｎ＋２までスケジュールされることが不可能であり、サービスレイテンシの増加が生じる。ＵＣＩを送信するためにサブフレームｎ中の最後から２番目のシンボルが予約された場合、高速な再送信は実施され得るが、サブフレームｎ中の最後のシンボルは効率的に使用されることが不可能であり、比較的低いリソース利用が生じる。
【０１９５】
従来技術と比較して、本出願のこの実施形態において提供される情報送信方法は、サブフレーム中でアップリンク制御チャネルリソースをフレキシブルに予約し示すことができないという従来技術の技術的問題を解決して、高速なＨＡＲＱフィードバックおよび高速な再送信を実施し、フレキシブルなＨＡＲＱタイミングに適応することができることがわかろう。
【０１９６】
本出願のこの実施形態は、ネットワークデバイスがダウンリンク制御情報を送り、ダウンリンク制御情報が第１の情報を含むことと、端末デバイスが、ダウンリンク制御情報を受信し、第１の情報に基づいて、アップリンク制御情報を搬送するためのアップリンク制御チャネルリソースを判定し、アップリンク制御チャネルリソースを使用することによってネットワークデバイスにアップリンク制御情報を送ることと、ネットワークデバイスが、アップリンク制御情報を搬送するためのアップリンク制御チャネルリソース上で、端末デバイスによって送られたアップリンク制御情報を受信することとを含む、情報送信方法を提供する。したがって、本出願のこの実施形態において提供される情報送信方法によれば、第１の情報は、各サブフレーム中でアップリンク制御情報を送信するために使用されるアップリンク制御チャネルリソースをフレキシブルに予約し示すために使用され得る。このようにして、アップリンク制御チャネルリソースの構成フレキシビリティが改善され、システムリソース利用が改善される。
【０１９７】
図５は、本出願の一実施形態による情報送信方法の実施形態２の概略フローチャートである。本出願のこの実施形態と方法実施形態１との間の差異は、第１のアップリンク制御チャネルリソースセットの実装が異なることである。図５に示されているように、本出願のこの実施形態において提供される情報送信方法は以下のステップを含み得る。
【０１９８】
Ｓ２０１．ネットワークデバイスがダウンリンク制御情報を送り、ダウンリンク制御情報が第１の情報を含む。
【０１９９】
第１の情報は、アップリンク制御情報を搬送するためのアップリンク制御チャネルリソースを示すために使用される。
【０２００】
アップリンク制御チャネルリソースは第１のアップリンク制御チャネルリソースセットに属し、第１のアップリンク制御チャネルリソースセットは、第２のアップリンク制御チャネルリソースセットおよび第３のアップリンク制御チャネルリソースセットを含み、第２のアップリンク制御チャネルリソースセット中に含まれるアップリンク制御チャネルリソースに対応するリソースインデックスは、第１に周波数領域および第２に時間領域の方式でソートされ、第３のアップリンク制御チャネルリソースセット中に含まれるアップリンク制御チャネルリソースに対応するリソースインデックスは、周波数領域においてソートされる。
【０２０１】
特に、ネットワークデバイスは端末デバイスにダウンリンク制御情報を送り、ダウンリンク制御情報は第１の情報を含み、第１の情報はアップリンク制御チャネルリソースを示し、アップリンク制御チャネルリソースは、アップリンク制御情報を搬送するために使用される。アップリンク制御チャネルリソースは第１のアップリンク制御チャネルリソースセットに属し、第１のアップリンク制御チャネルリソースセットは、第２のアップリンク制御チャネルリソースセットおよび第３のアップリンク制御チャネルリソースセットを含み、第２のアップリンク制御チャネルリソースセット中に含まれるアップリンク制御チャネルリソースに対応するリソースインデックスは、第１に周波数領域および第２に時間領域の方式でソートされ、第３のアップリンク制御チャネルリソースセット中に含まれるアップリンク制御チャネルリソースに対応するリソースインデックスは、周波数領域においてソートされる。言い換えれば、アップリンク制御情報を搬送するために使用され第１の情報によって示される、予約されたアップリンク制御チャネルリソースに対応するリソースインデックスは、固定ではなく、異なるソート方式に基づいて変更され得る。言い換えれば、各サブフレーム中でアップリンク制御情報を送信するために使用されるアップリンク制御チャネルリソースは、フレキシブルに変更され得る。
【０２０２】
固定のアップリンク制御チャネルリソースが予約される従来技術と比較して、本出願のこの実施形態において提供される情報送信方法では、第１の情報は、各サブフレーム中でアップリンク制御情報を送信するために使用されるアップリンク制御チャネルリソースをフレキシブルに予約し示すために使用され得ることがわかろう。このようにして、アップリンク制御チャネルリソースの構成フレキシビリティが改善される。
【０２０３】
加えて、各サブフレーム中でアップリンク制御チャネルを送信するために使用されるアップリンク制御チャネルリソースがフレキシブルに予約され示され得るので、アップリンク制御チャネルリソースのサイズは、アップリンク制御情報フィードバックの量に基づいて変更されてよく、したがって、リソースの浪費またはリソースの不足が回避され、システムリソース利用が改善される。
【０２０４】
任意選択で、第２のアップリンク制御チャネルリソースセット中に含まれるアップリンク制御チャネルリソースに対応するリソースインデックスが第１に周波数領域および第２に時間領域の方式でソートされることは、
【０２０５】
第１に周波数領域および第２に時間領域の方式でソートされるリソースインデックスでは、最も小さいリソースインデックスが、サブフレーム中の最後のシンボルに対応すること、またはソートが第１に周波数領域および第２に時間領域の方式で実施されるとき、ソートがサブフレームまたはスロット中の最後のシンボルから開始すること
を含み得る。
【０２０６】
任意選択で、第２のアップリンク制御チャネルリソースセット中に含まれるアップリンク制御チャネルリソースに対応するシンボルの量は、第３のアップリンク制御チャネルリソースセット中に含まれるアップリンク制御チャネルリソースに対応するシンボルの量よりも少ない。
【０２０７】
任意選択で、第３のアップリンク制御チャネルリソースセット中に含まれるアップリンク制御チャネルリソースに対応するシンボルの量は２以上である。
【０２０８】
任意選択で、第２のアップリンク制御チャネルリソースセット中に含まれるアップリンク制御チャネルリソースに対応するシンボルの量は１に等しい。
【０２０９】
任意選択で、第２のアップリンク制御チャネルリソースセットは、異なるシンボルに対応する少なくとも２つのアップリンク制御チャネルリソースを含む。
【０２１０】
任意選択で、少なくとも２つのアップリンク制御チャネルリソースが異なるシンボルに対応することは、少なくとも２つのアップリンク制御チャネルリソースセットが、異なるシンボル位置または異なるリソースブロック位置に対応することであり得る。
【０２１１】
たとえば、第２のアップリンク制御チャネルリソースセットは２つのアップリンク制御チャネルリソースを含む。一方のアップリンク制御チャネルリソースはサブフレーム中の最後のシンボルに対応し、他方のアップリンク制御チャネルリソースはサブフレーム中の最後から２番目のシンボルに対応する。
【０２１２】
任意選択で、Ｓ２０１においてネットワークデバイスがダウンリンク制御情報を送り、ダウンリンク制御情報が第１の情報を含み、第１の情報が、アップリンク制御情報を搬送するためのアップリンク制御チャネルリソースを示すために使用されることは、以下の３つの実装を有し得る。
【０２１３】
第１の実装：ネットワークデバイスがダウンリンク制御チャネルを送り、ダウンリンク制御チャネル上で搬送されるダウンリンク制御情報が第１の情報を含み、第１の情報が、アップリンク制御情報を搬送するためのアップリンク制御チャネルリソースを示すために使用される。
【０２１４】
第２の実装：ネットワークデバイスがダウンリンク制御チャネルを送り、ダウンリンク制御チャネルに対応するダウンリンク制御情報フォーマットが第１の情報フィールドを含み、第１の情報フィールドが、アップリンク制御情報を搬送するためのアップリンク制御チャネルリソースを示すために使用される。
【０２１５】
第３の実装：ネットワークデバイスがダウンリンク制御情報フォーマットを送り、ダウンリンク制御情報フォーマットが第１の情報フィールドを含み、第１の情報フィールドが、アップリンク制御情報を搬送するためのアップリンク制御チャネルリソースを示すために使用される。
【０２１６】
任意選択で、アップリンク制御チャネルリソースは、アップリンク制御チャネルに対応する時間周波数領域リソースおよび／またはコードリソースであり得る。コードリソースは、アップリンク制御チャネルに対応するシーケンスのサイクリックシフトおよび／または直交拡散コードであり得る。
【０２１７】
任意選択で、第１の情報が、アップリンク制御情報を搬送するためのアップリンク制御チャネルリソースを示すために使用されることは、
【０２１８】
第１の情報が、アップリンク制御情報を搬送するためのアップリンク制御チャネルリソースに対応するリソースインデックスを示すために使用され、アップリンク制御チャネルリソースに対応するリソースインデックスが、リソースインデックスに基づいて、アップリンク制御チャネルに対応する時間周波数領域リソースおよび／またはコードリソースを判定するために端末デバイスによって使用されること
を含み得る。
【０２１９】
さらに、本出願のこの実施形態では、Ｓ２０１は、
【０２２０】
ネットワークデバイスが上位レイヤシグナリングを送り、上位レイヤシグナリングが、第１のアップリンク制御チャネルリソースセットを示すために使用されること
をさらに含み得る。
【０２２１】
特に、ネットワークデバイスは、異なるシナリオ要件および異なるサービス送信要件を満たすように、必要とされるアップリンク制御チャネルリソースをフレキシブルに構成し得、ネットワークデバイスは、上位レイヤシグナリングを使用することによって端末デバイスのために第１のアップリンク制御チャネルリソースセット中に含まれるすべてのアップリンク制御チャネルリソースを構成し得る。このようにして、アップリンク制御チャネルリソースの構成フレキシビリティがさらに改善され、アップリンク制御情報送信性能が保証される。
【０２２２】
任意選択で、上位レイヤシグナリングが、第１のアップリンク制御チャネルリソースセットを示すために使用されることは、以下の４つの実装を有し得る。
【０２２３】
第１の実装：
【０２２４】
上位レイヤシグナリングが、第１のアップリンク制御チャネルリソースセット中のアップリンク制御チャネルリソースに対応するリソースインデックスを示すために使用される。
【０２２５】
第２の実装：
【０２２６】
上位レイヤシグナリングが、第１のアップリンク制御チャネルリソースセット中のアップリンク制御チャネルリソースに対応するリソースインデックス、およびそれらのリソースインデックスに対応するシンボルまたはリソースブロックの量を示すために使用される。
【０２２７】
第３の実装：
【０２２８】
上位レイヤシグナリングが、第１のアップリンク制御チャネルリソースセット中に含まれる第２のアップリンク制御チャネルリソースセットおよび第３のアップリンク制御チャネルリソースセットを示すために使用される。
【０２２９】
第４の実装：
【０２３０】
上位レイヤシグナリングが、第１のアップリンク制御チャネルリソースセット中に含まれる第２のアップリンク制御チャネルリソースセット中のアップリンク制御チャネルリソースに対応するリソースインデックス、および第１のアップリンク制御チャネルリソースセット中に含まれる第３のアップリンク制御チャネルリソースセット中のアップリンク制御チャネルリソースに対応するリソースインデックスを示すために使用される。
【０２３１】
さらに、本出願のこの実施形態では、Ｓ２０１は、
【０２３２】
ネットワークデバイスが、アップリンク制御情報を搬送するためのアップリンク制御チャネルリソースを判定することと、
ネットワークデバイスが、アップリンク制御情報を搬送するためのアップリンク制御チャネルリソースに基づいてダウンリンク制御情報中の第１の情報を判定することと
をさらに含み得る。
【０２３３】
特に、上記のステップは、ネットワークデバイスによって第１の情報を判定する実装を提供する。ネットワークデバイスは、最初に、アップリンク制御情報を搬送するためのアップリンク制御チャネルリソースを判定し、次いで、アップリンク制御チャネルリソースに基づいてダウンリンク制御情報中の第１の情報を判定する。
【０２３４】
ネットワークデバイスは、異なる適用シナリオおよび異なるサービス要件に基づいてアップリンク制御チャネルリソースを判定することがあり、第１の情報は、異なる適用シナリオおよび異なるサービスにフレキシブルにマッチするために、アップリンク制御チャネルリソースを示すために使用される。
【０２３５】
本出願のこの実施形態は、第１の情報の特定の実装に対していかなる特別な限定をも課さず、第１の情報は要件に基づいて設定されることに留意されたい。
【０２３６】
任意選択で、特定の実装では、第１の情報が２ビット情報フィールドに対応する場合、ネットワークデバイスが、アップリンク制御情報を搬送するためのアップリンク制御チャネルリソースに基づいてダウンリンク制御情報中の第１の情報を判定することは、
【０２３７】
アップリンク制御情報を搬送するためのアップリンク制御チャネルリソースが第１のアップリンク制御チャネルリソースである場合、ネットワークデバイスが、第１の情報に対応する２ビット情報フィールドが００であると判定すること、
アップリンク制御情報を搬送するためのアップリンク制御チャネルリソースが第２のアップリンク制御チャネルリソースである場合、ネットワークデバイスが、第１の情報に対応する２ビット情報フィールドが０１であると判定すること、
アップリンク制御情報を搬送するためのアップリンク制御チャネルリソースが第３のアップリンク制御チャネルリソースである場合、ネットワークデバイスが、第１の情報に対応する２ビット情報フィールドが１０であると判定すること、または
アップリンク制御情報を搬送するためのアップリンク制御チャネルリソースが第４のアップリンク制御チャネルリソースである場合、ネットワークデバイスが、第１の情報に対応する２ビット情報フィールドが１１であると判定すること
を含み得る。
【０２３８】
第１のアップリンク制御チャネルリソース、第２のアップリンク制御チャネルリソース、第３のアップリンク制御チャネルリソース、および第４のアップリンク制御チャネルリソースは、第１のアップリンク制御チャネルリソースセットにすべて属し、第１のアップリンク制御チャネルリソースセットは、異なるアップリンク制御チャネルリソースセットからの少なくとも２つのアップリンク制御チャネルリソースを含む。少なくとも１つのアップリンク制御チャネルリソースは第２のアップリンク制御チャネルリソースセットから来て、少なくとも１つのアップリンク制御チャネルリソースは第３のアップリンク制御チャネルリソースセットから来る。
【０２３９】
さらに、ダウンリンク制御情報は第２の情報をさらに含むことがあり、第２の情報は、アップリンク制御情報を搬送するためのサブフレームを示すために使用される。
【０２４０】
特に、ダウンリンク制御情報がサブフレームｎ中で搬送される場合、アップリンク制御情報はサブフレームｎ＋ｋ中で搬送され、ｎは０以上の整数であり、ｋは０以上の整数であり、ｋの値は第２の情報に基づいて判定される。
【０２４１】
ｋが０に等しいとき、ダウンリンク制御情報およびアップリンク制御情報は同じサブフレーム中で搬送され得、したがって、高速なＨＡＲＱ再送信が実施され得、比較的小さいレイテンシのサービス要件が満たされ得、また、ｋが０よりも大きいとき、アップリンク制御情報は、ダウンリンク制御情報が搬送されるサブフレームに後続するサブフレーム中で搬送され、したがって、厳しいレイテンシ要件を有しないサービスの要件が満たされ得ることがわかろう。
【０２４２】
さらに、ダウンリンク制御情報は第３の情報をさらに含むことがあり、第３の情報は、チャネル状態情報の報告をトリガするために使用され、アップリンク制御情報はチャネル状態情報である。
【０２４３】
本出願のこの実施形態は、チャネル状態情報の定義および実装に対していかなる特別な限定をも課さないことに留意されたい。たとえば、チャネル状態情報は、チャネル品質情報、コード行列指示、レイヤ量指示、およびビーム関係情報を含み得る。
【０２４４】
さらに、ダウンリンク制御情報は第４の情報をさらに含むことがあり、第４の情報は、アップリンク制御情報を搬送するためのアップリンク制御チャネルリソースが属するリソースセットを示すために使用され、アップリンク制御チャネルリソースが属するリソースセットは、第２のアップリンク制御チャネルリソースセットまたは第３のアップリンク制御チャネルリソースセットである。
【０２４５】
特に、ダウンリンク制御情報中の第１の情報および第４の情報は、端末デバイスが、第１の情報および第４の情報に基づいて、アップリンク制御情報を搬送するためのアップリンク制御チャネルリソースを判定することを可能にするために使用され得る。
【０２４６】
任意選択で、ダウンリンク制御情報は、ダウンリンク共有チャネル送信をスケジュールするために使用され、アップリンク制御情報は、ダウンリンク共有チャネル送信に対応するハイブリッド自動再送要求である。
【０２４７】
Ｓ２０２．端末デバイスがダウンリンク制御情報を受信し、ダウンリンク制御情報が第１の情報を含む。
【０２４８】
第１の情報は、アップリンク制御情報を搬送するためのアップリンク制御チャネルリソースを示すために使用される。
【０２４９】
アップリンク制御チャネルリソースは第１のアップリンク制御チャネルリソースセットに属し、第１のアップリンク制御チャネルリソースセットは、第２のアップリンク制御チャネルリソースセットおよび第３のアップリンク制御チャネルリソースセットを含み、第２のアップリンク制御チャネルリソースセット中に含まれるアップリンク制御チャネルリソースに対応するリソースインデックスは、第１に周波数領域および第２に時間領域の方式でソートされ、第３のアップリンク制御チャネルリソースセット中に含まれるアップリンク制御チャネルリソースに対応するリソースインデックスは、周波数領域においてソートされる。
【０２５０】
特に、端末デバイスは、ネットワークデバイスによって送られたダウンリンク制御情報を受信し、ダウンリンク制御情報は第１の情報を含み、第１の情報はアップリンク制御チャネルリソースを示し、アップリンク制御チャネルリソースは、アップリンク制御情報を搬送するために使用される。アップリンク制御チャネルリソースは第１のアップリンク制御チャネルリソースセットに属し、第１のアップリンク制御チャネルリソースセットは、第２のアップリンク制御チャネルリソースセットおよび第３のアップリンク制御チャネルリソースセットを含み、第２のアップリンク制御チャネルリソースセット中に含まれるアップリンク制御チャネルリソースに対応するリソースインデックスは、第１に周波数領域および第２に時間領域の方式でソートされ、第３のアップリンク制御チャネルリソースセット中に含まれるアップリンク制御チャネルリソースに対応するリソースインデックスは、周波数領域においてソートされる。言い換えれば、アップリンク制御情報を搬送するために使用され第１の情報によって示される、予約されたアップリンク制御チャネルリソースに対応するリソースインデックスは、固定ではなく、異なるソート方式に基づいて変更され得る。言い換えれば、各サブフレーム中でアップリンク制御情報を送信するために使用されるアップリンク制御チャネルリソースは、フレキシブルに変更され得る。
【０２５１】
したがって、固定のアップリンク制御チャネルリソースが予約される従来技術と比較して、本出願のこの実施形態において提供される情報送信方法では、第１の情報は、各サブフレーム中でアップリンク制御情報を送信するために使用されるアップリンク制御チャネルリソースをフレキシブルに予約し示すために使用され得る。このようにして、アップリンク制御チャネルリソースの構成フレキシビリティが改善される。
【０２５２】
加えて、各サブフレーム中でアップリンク制御チャネルを送信するために使用されるアップリンク制御チャネルリソースがフレキシブルに予約され示され得るので、アップリンク制御チャネルリソースのサイズは、アップリンク制御情報フィードバックの量に基づいて変更されてよく、したがって、リソースの浪費またはリソースの不足が回避され、システムリソース利用が改善される。
【０２５３】
任意選択で、Ｓ２０２において端末デバイスがダウンリンク制御情報を受信し、ダウンリンク制御情報が第１の情報を含み、第１の情報が、アップリンク制御情報を搬送するためのアップリンク制御チャネルリソースを示すために使用されることは、以下の３つの実装を有し得る。
【０２５４】
第１の実装：端末デバイスがダウンリンク制御チャネルを受信し、ダウンリンク制御チャネル上で搬送されるダウンリンク制御情報が第１の情報を含み、第１の情報が、アップリンク制御情報を搬送するためのアップリンク制御チャネルリソースを示すために使用される。
【０２５５】
第２の実装：端末デバイスがダウンリンク制御チャネルを受信し、ダウンリンク制御チャネルに対応するダウンリンク制御情報フォーマットが第１の情報フィールドを含み、第１の情報フィールドが、アップリンク制御情報を搬送するためのアップリンク制御チャネルリソースを示すために使用される。
【０２５６】
第３の実装：端末デバイスがダウンリンク制御情報フォーマットを検出し、ダウンリンク制御情報フォーマットが第１の情報フィールドを含み、第１の情報フィールドが、アップリンク制御情報を搬送するためのアップリンク制御チャネルリソースを示すために使用される。
【０２５７】
さらに、本出願のこの実施形態では、Ｓ２０２は、
【０２５８】
端末デバイスが上位レイヤシグナリングを受信することと、
端末デバイスが上位レイヤシグナリングに基づいて第１のアップリンク制御チャネルリソースセットを判定することと
をさらに含み得る。
【０２５９】
特に、端末デバイスは、ネットワークデバイスによって送られた上位レイヤシグナリングを受信し、端末デバイスは、上位レイヤシグナリングを使用することによって、ネットワークデバイスによって構成された第１のアップリンク制御チャネルリソースセット中に含まれるすべてのアップリンク制御チャネルリソースを知り得る。端末デバイスは、異なるシナリオ要件および異なるサービス要件に基づいてネットワークデバイスによってフレキシブルに構成されたアップリンク制御チャネルリソースを知り得るので、アップリンク制御チャネルリソースの構成フレキシビリティがさらに改善され、アップリンク制御情報送信性能が保証される。
【０２６０】
任意選択で、端末デバイスが上位レイヤシグナリングに基づいて第１のアップリンク制御チャネルリソースセットを判定することは、以下の４つの実装を有し得る。
【０２６１】
第１の実装：端末デバイスが、上位レイヤシグナリングに基づいて、第１のアップリンク制御チャネルリソースセット中のアップリンク制御チャネルリソースに対応するリソースインデックスを判定する。
【０２６２】
第２の実装：端末デバイスが、上位レイヤシグナリングに基づいて、第１のアップリンク制御チャネルリソースセット中のアップリンク制御チャネルリソースに対応するリソースインデックス、およびそれらのリソースインデックスに対応するシンボルまたはリソースブロックの量を判定する。
【０２６３】
第３の実装：端末デバイスが、上位レイヤシグナリングに基づいて、第１のアップリンク制御チャネルリソースセット中に含まれる第２のアップリンク制御チャネルリソースセットおよび第３のアップリンク制御チャネルリソースセットを判定する。
【０２６４】
第４の実装：
【０２６５】
端末デバイスが、上位レイヤシグナリングに基づいて、第１のアップリンク制御チャネルリソースセット中に含まれる第２のアップリンク制御チャネルリソースセット中のアップリンク制御チャネルリソースに対応するリソースインデックス、および第１のアップリンク制御チャネルリソースセット中に含まれる第３のアップリンク制御チャネルリソースセット中のアップリンク制御チャネルリソースに対応するリソースインデックスを判定する。
【０２６６】
任意選択で、第１の情報が２ビット情報フィールドに対応する場合、第１の情報が、アップリンク制御情報を搬送するためのアップリンク制御チャネルリソースを示すために使用されることは、
【０２６７】
第１の情報に対応する２ビット情報フィールドが００である場合、アップリンク制御情報を搬送するためのアップリンク制御チャネルリソースが第１のアップリンク制御チャネルリソースであること、
第１の情報に対応する２ビット情報フィールドが０１である場合、アップリンク制御情報を搬送するためのアップリンク制御チャネルリソースが第２のアップリンク制御チャネルリソースであること、
第１の情報に対応する２ビット情報フィールドが１０である場合、アップリンク制御情報を搬送するためのアップリンク制御チャネルリソースが第３のアップリンク制御チャネルリソースであること、または
第１の情報に対応する２ビット情報フィールドが１１である場合、アップリンク制御情報を搬送するためのアップリンク制御チャネルリソースが第４のアップリンク制御チャネルリソースであること
であり得る。
【０２６８】
第１のアップリンク制御チャネルリソース、第２のアップリンク制御チャネルリソース、第３のアップリンク制御チャネルリソース、および第４のアップリンク制御チャネルリソースは、第１のアップリンク制御チャネルリソースセットにすべて属し、第１のアップリンク制御チャネルリソースセットは、異なるアップリンク制御チャネルリソースセットからの少なくとも２つのアップリンク制御チャネルリソースを含む。少なくとも１つのアップリンク制御チャネルリソースは第２のアップリンク制御チャネルリソースセットから来て、少なくとも１つのアップリンク制御チャネルリソースは第３のアップリンク制御チャネルリソースセットから来る。
【０２６９】
このステップにおいて、ダウンリンク制御情報、アップリンク制御情報、アップリンク制御チャネルリソース、第１のアップリンク制御チャネルリソースセット、第１の情報、シンボル、リソースブロック、スロット、サブフレーム、および他の態様についての説明は、本出願のこの実施形態におけるＳ２０１の説明と同じであり、原理は同様であることに留意されたい。詳細についてここで再び説明されない。
【０２７０】
Ｓ２０３．端末デバイスが、第１の情報に基づいて、アップリンク制御情報を搬送するためのアップリンク制御チャネルリソースを判定する。
【０２７１】
任意選択で、Ｓ２０３において端末デバイスが、第１の情報に基づいて、アップリンク制御情報を搬送するためのアップリンク制御チャネルリソースを判定することは、以下の２つの実装を有し得る。
【０２７２】
第１の実装：
【０２７３】
端末デバイスが、第１の情報に基づいて、アップリンク制御情報を搬送するためのアップリンク制御チャネルリソースに対応するリソースインデックスを判定し、
端末デバイスが、アップリンク制御チャネルリソースに対応するリソースインデックスに基づいて、アップリンク制御チャネルに対応する時間周波数領域リソースおよび／またはコードリソースを判定する。
【０２７４】
第２の実装：
【０２７５】
端末デバイスが、第１の情報に基づいて、アップリンク制御情報を搬送するためのシンボル上でアップリンク制御情報を搬送するためのアップリンク制御チャネルに対応するリソースインデックスを判定し、
端末デバイスが、アップリンク制御チャネルリソースに対応するインデックスに基づいて、アップリンク制御チャネルに対応する時間周波数領域リソースおよび／またはコードリソースを判定する。
【０２７６】
任意選択で、ダウンリンク制御情報が第４の情報をさらに含む場合、Ｓ２０３は、
【０２７７】
端末デバイスが、第１の情報および第４の情報に基づいて、アップリンク制御情報を搬送するためのアップリンク制御チャネルリソースを判定すること
を含み得る。
【０２７８】
任意選択で、端末デバイスが、第１の情報および第４の情報に基づいて、アップリンク制御情報を搬送するためのアップリンク制御チャネルリソースを判定することは、
【０２７９】
端末デバイスが、第４の情報に基づいて、アップリンク制御情報を搬送するためのアップリンク制御チャネルリソースが属するリソースセットを判定し、アップリンク制御チャネルリソースが属するリソースセットが、第２のアップリンク制御チャネルリソースセットまたは第３のアップリンク制御チャネルリソースセットであることと、
端末デバイスが、第１の情報とアップリンク制御チャネルリソースが属するリソースセットとに基づいて、アップリンク制御情報を搬送するためのアップリンク制御チャネルリソースを判定することと
を含み得る。
【０２８０】
任意選択で、第１の情報が２ビット情報フィールドに対応する場合、端末デバイスが、第１の情報に基づいて、アップリンク制御情報を搬送するためのアップリンク制御チャネルリソースを判定することは、
【０２８１】
第１の情報に対応する２ビット情報フィールドが００である場合、端末デバイスは、アップリンク制御情報を搬送するためのアップリンク制御チャネルリソースが、上位レイヤシグナリングを使用することによって構成された第１のアップリンク制御チャネルリソースであると判定すること、
第１の情報に対応する２ビット情報フィールドが０１である場合、端末デバイスは、アップリンク制御情報を搬送するためのアップリンク制御チャネルリソースが、上位レイヤシグナリングを使用することによって構成された第２のアップリンク制御チャネルリソースであると判定すること、
第１の情報に対応する２ビット情報フィールドが１０である場合、端末デバイスは、アップリンク制御情報を搬送するためのアップリンク制御チャネルリソースが、上位レイヤシグナリングを使用することによって構成された第３のアップリンク制御チャネルリソースであると判定すること、または
第１の情報に対応する２ビット情報フィールドが１１である場合、端末デバイスは、アップリンク制御情報を搬送するためのアップリンク制御チャネルリソースが、上位レイヤシグナリングを使用することによって構成された第４のアップリンク制御チャネルリソースであると判定すること
を含み得る。
【０２８２】
第１のアップリンク制御チャネルリソース、第２のアップリンク制御チャネルリソース、第３のアップリンク制御チャネルリソース、および第４のアップリンク制御チャネルリソースは、第１のアップリンク制御チャネルリソースセットにすべて属し、第１のアップリンク制御チャネルリソースセットは、異なるアップリンク制御チャネルリソースセットからの少なくとも２つのアップリンク制御チャネルリソースを含む。少なくとも１つのアップリンク制御チャネルリソースは第２のアップリンク制御チャネルリソースセットから来て、少なくとも１つのアップリンク制御チャネルリソースは第３のアップリンク制御チャネルリソースセットから来る。
【０２８３】
Ｓ２０４．端末デバイスが、アップリンク制御チャネルリソースを使用することによってネットワークデバイスにアップリンク制御情報を送る。
【０２８４】
特に、アップリンク制御チャネルリソースを使用することによってネットワークデバイスにアップリンク制御情報を送るために端末デバイスによってどんな既存の処理方法でも使用され得る。たとえば、アップリンク制御情報上でチャネルコーディング、変調、およびマッピングを実施することなどのステップが含まれ得る。本出願のこの実施形態は、それに対していかなる特別な限定をも課さない。
【０２８５】
Ｓ２０５．ネットワークデバイスが、アップリンク制御情報を搬送するためのアップリンク制御チャネルリソース上で、端末デバイスによって送られたアップリンク制御情報を受信する。
【０２８６】
任意選択で、ダウンリンク制御情報が第２の情報をさらに含み、第２の情報が、アップリンク制御情報を搬送するためのサブフレームを示すために使用される場合、このステップは、
【０２８７】
ネットワークデバイスが、アップリンク制御情報を搬送するためのサブフレーム中のアップリンク制御情報を搬送するためのシンボル上で、端末デバイスによって送られたアップリンク制御情報を受信すること
をさらに含み得る。
【０２８８】
本出願のこの実施形態では、ステップＳ２０１からＳ２０５の順序は限定されず、ステップＳ２０１からＳ２０５の間の相互従属性も限定されないことに留意されたい。
【０２８９】
本出願のこの実施形態では、ダウンリンク制御情報、アップリンク制御情報、アップリンク制御チャネルリソース、第１のアップリンク制御チャネルリソースセット、第１の情報、第２の情報、第３の情報、シンボル、リソースブロック、スロット、サブフレーム、アップリンク制御チャネルリソースに対応するリソースインデックス、および他の態様についての説明は、本出願の方法実施形態１における説明と同じであり、原理は同様であることに留意されたい。詳細についてここで再び説明されない。
【０２９０】
以下で、特定の例を使用することによって本出願のこの実施形態において提供される情報送信方法について詳細に説明し、第２のアップリンク制御チャネルリソースセットの実装について主に説明する。
【０２９１】
図６は、本出願の一実施形態による情報送信方法の実施形態２におけるアップリンク制御チャネルリソースの概略構造図である。図６に示されているように、第２のアップリンク制御チャネルリソースセット中に含まれるアップリンク制御チャネルリソースに対応するリソースインデックスは、第１に周波数領域および第２に時間領域の方式でソートされ、第２のアップリンク制御チャネルリソースセット中の各アップリンク制御チャネルリソースは１つのシンボルに対応する。
【０２９２】
特に、最後のシンボル上のアップリンク制御チャネルリソースが最初にソートされ、次いで、最後から２番目のシンボル上のアップリンク制御チャネルリソースがソートされる。最後のシンボルは、リソースインデックスが０からＮ−１であるアップリンク制御チャネルリソースに対応し、最後から２番目のシンボルは、リソースインデックスがＮから２Ｎ−１であるアップリンク制御チャネルリソースに対応する。
【０２９３】
本出願のこの実施形態では、第２のアップリンク制御チャネルリソースセットは２つのアップリンク制御チャネルリソースを含み、たとえば、第１のアップリンク制御チャネルリソースおよび第２のアップリンク制御チャネルリソースを含むことがあり、第１のアップリンク制御チャネルリソースおよび第２のアップリンク制御チャネルリソースは異なるシンボルに対応する。たとえば、第１のアップリンク制御チャネルリソースは、リソースインデックス２に対応し、最後のシンボルに対応し、第２のアップリンク制御チャネルリソースは、リソースインデックスＮ＋２に対応し、最後から２番目のシンボルに対応する。
【０２９４】
本出願のこの実施形態では、代替として、第２のアップリンク制御チャネルリソースセットは４つのアップリンク制御チャネルリソースを含むことがあり、少なくとも２つのアップリンク制御チャネルリソースは異なるシンボルに対応する。たとえば、第１のアップリンク制御チャネルリソースは、リソースインデックス２に対応し、最後のシンボルに対応し、第２のアップリンク制御チャネルリソースは、リソースインデックスＮ＋２に対応し、最後から２番目のシンボルに対応し、第３のアップリンク制御チャネルリソースは、リソースインデックスＮ−１に対応し、最後のシンボルに対応し、第４のアップリンク制御チャネルリソースは、リソースインデックスＮ−２に対応し、最後のシンボルに対応する。
【０２９５】
以下で、別の特定の例を使用することによって本出願のこの実施形態において提供される情報送信方法について詳細に説明し、第３のアップリンク制御チャネルリソースセットの実装について主に説明する。
【０２９６】
図７は、本出願の一実施形態による情報送信方法の実施形態２におけるアップリンク制御チャネルリソースの別の概略構造図である。図７に示されているように、第３のアップリンク制御チャネルリソースセット中に含まれるアップリンク制御チャネルリソースに対応するリソースインデックスは周波数領域においてソートされ、第３のアップリンク制御チャネルリソースセット中の各アップリンク制御チャネルリソースは２つのシンボルに対応する。
【０２９７】
特に、第３のアップリンク制御チャネルセット中に含まれるアップリンク制御チャネルリソースに対応するリソースインデックスは、異なるリソースブロックおよび／または異なるコードリソースのみに基づいてソートされる。
【０２９８】
本出願のこの実施形態では、第３のアップリンク制御チャネルリソースセットは２つのアップリンク制御チャネルリソースを含み、たとえば、第１のアップリンク制御チャネルリソースおよび第２のアップリンク制御チャネルリソースを含むことがあり、第１のアップリンク制御チャネルリソースおよび第２のアップリンク制御チャネルリソースは、異なるリソースブロックおよび／または異なるコードリソースに対応する。
【０２９９】
本出願のこの実施形態では、代替として、第３のアップリンク制御チャネルリソースセットは４つのアップリンク制御チャネルリソースを含むことがあり、異なるアップリンク制御チャネルリソースは異なるリソースブロックおよび／またはコードリソースに対応する。
【０３００】
以下で、さらに別の特定の例を使用することによって本出願のこの実施形態において提供される情報送信方法について詳細に説明する。
【０３０１】
第１のアップリンク制御チャネルリソースセットは、第２のアップリンク制御チャネルリソースセットおよび第３のアップリンク制御チャネルリソースセットを含む。
【０３０２】
第２のアップリンク制御チャネルリソースセットは、第１のアップリンク制御チャネルリソースおよび第２のアップリンク制御チャネルリソースを含む。第１のアップリンク制御チャネルリソースは１つのシンボルに対応し、第１のアップリンク制御チャネルリソースは、サブフレーム中の最後から２番目のシンボル上で搬送され得る。第２のアップリンク制御チャネルリソースは１つのシンボルに対応し、第２のアップリンク制御チャネルリソースは、サブフレーム中の最後のシンボル上で搬送され得る。
【０３０３】
第３のアップリンク制御チャネルリソースセットは、第３のアップリンク制御チャネルリソースおよび第４のアップリンク制御チャネルリソースを含む。第３のアップリンク制御チャネルリソースは２つのシンボルに対応し、第４のアップリンク制御チャネルリソースは２つのシンボルに対応する。第３のアップリンク制御チャネルリソースおよび第４のアップリンク制御チャネルリソースは、異なるリソースブロックを占有し得る。
【０３０４】
図８は、本出願の一実施形態による情報送信方法の実施形態２におけるアップリンク制御チャネルリソースのさらに別の概略構造図である。図８に示されているように、説明のための一例として３つのサブフレームが使用される。サブフレームの通し番号は、それぞれサブフレームｎ、サブフレームｎ＋１、およびサブフレームｎ＋２であり、ｎはサブフレーム番号であり、ｎは０以上の整数である。サブフレームｎ＋１はタイプ１サブフレームであり、サブフレームｎおよびサブフレームｎ＋２はタイプ３サブフレームである。
【０３０５】
特に、サブフレームｎはＤＣＩを搬送し、ＤＣＩはサブフレームｎ中の第１のシンボル上で搬送され、ＤＣＩは、ＰＤＳＣＨ送信をスケジュールするために使用され、ＰＤＳＣＨ送信はサブフレームｎ中で搬送される。ＤＣＩは第１の情報を含み、第１の情報は、ＰＤＳＣＨ送信に対応するＨＡＲＱフィードバックが、同じサブフレーム（サブフレームｎ）中で送信されるアップリンク制御チャネルリソース、および特に、第２のアップリンク制御チャネルリソースセット中の第１のアップリンク制御チャネルリソース上で搬送されるべきことを示す。
【０３０６】
ＰＤＳＣＨ送信においてエラーが生じた場合、ＰＤＳＣＨに対応する再送信がサブフレームｎ＋１中で搬送され、再送信に対応するＤＣＩは、サブフレームｎ＋１中の第１のシンボル上で搬送される。
【０３０７】
図８に示されている例では、サブフレームｎ中で送信されるＰＤＳＣＨ上で搬送されるデータは低レイテンシサービスに対応し、サブフレームｎ中で搬送されるＤＣＩは第１の情報を含み、サブフレームｎ中で搬送されるＤＣＩは、現在のサブフレーム（サブフレームｎ）中でＰＤＳＣＨ送信をスケジュールするために使用され、第１の情報は、ＰＤＳＣＨ送信に対応するＨＡＲＱフィードバックが現在のサブフレーム（サブフレームｎ）中で送信されるべきであり、ＨＡＲＱフィードバックが、特に、現在のサブフレーム（サブフレームｎ）中の最後から２番目のシンボル上で搬送されることを示すことがわかろう。このようにして、ネットワークデバイス側のために１つのシンボル（サブフレームｎ中の最後のシンボル）の処理時間が予約され、したがって、再送信はサブフレームｎ＋１中の第１のシンボル上でスケジュールされて、高速な再送信が実施され得る。
【０３０８】
さらに、サブフレームｎ＋１およびサブフレームｎ＋２中で搬送されるＰＤＳＣＨ送信に対応するＨＡＲＱフィードバックは、両方ともサブフレームｎ＋２中で送信される。この場合、サブフレームｎ＋１中で送信されるＰＤＳＣＨは、サブフレームｎ中にあるＰＤＳＣＨの再送信でないことがある。サブフレームｎ＋１およびサブフレームｎ＋２中で搬送されるＤＣＩ中の第１の情報は、サブフレームｎ＋２中でＨＡＲＱフィードバックを搬送するためのアップリンク制御チャネルリソースが、第３のアップリンク制御チャネルリソースセット中の第３のアップリンク制御チャネルリソースであることを示すために使用され、第３のアップリンク制御チャネルリソースは２つのシンボルに対応する。したがって、サブフレームｎ＋１とサブフレームｎ＋２の両方がサブフレームｎ＋２中で送信され得る。このようにして、ＵＣＩ送信信頼性が保証される。
【０３０９】
本出願のこの実施形態は、ネットワークデバイスがダウンリンク制御情報を送り、ダウンリンク制御情報が第１の情報を含むことと、端末デバイスが、ダウンリンク制御情報を受信し、第１の情報に基づいて、アップリンク制御情報を搬送するためのアップリンク制御チャネルリソースを判定し、アップリンク制御チャネルリソースを使用することによってネットワークデバイスにアップリンク制御情報を送ることと、ネットワークデバイスが、アップリンク制御情報を搬送するためのアップリンク制御チャネルリソース上で、端末デバイスによって送られたアップリンク制御情報を受信することとを含む、情報送信方法を提供する。したがって、本出願のこの実施形態において提供される情報送信方法によれば、第１の情報は、各サブフレーム中でアップリンク制御情報を送信するために使用されるアップリンク制御チャネルリソースをフレキシブルに予約し示すために使用され得る。このようにして、アップリンク制御チャネルリソースの構成フレキシビリティが改善され、システムリソース利用が改善される。
【０３１０】
図９は、本出願の一実施形態による情報送信方法の実施形態３の概略フローチャートである。本出願のこの実施形態と、方法実施形態１と方法実施形態２の両方との間の差異は、第１のアップリンク制御チャネルリソースセットの実装が異なることである。図９に示されているように、本出願のこの実施形態において提供される情報送信方法は以下のステップを含み得る。
【０３１１】
Ｓ３０１．ネットワークデバイスがダウンリンク制御情報を送り、ダウンリンク制御情報が第１の情報を含む。
【０３１２】
第１の情報は、アップリンク制御情報を搬送するためのアップリンク制御チャネルリソースを示すために使用される。
【０３１３】
アップリンク制御チャネルリソースは第１のアップリンク制御チャネルリソースセットに属し、第１のアップリンク制御チャネルリソースセットは、第４のアップリンク制御チャネルリソースセットおよび第５のアップリンク制御チャネルリソースセットを含み、第４のアップリンク制御チャネルリソースセット中に含まれるアップリンク制御チャネルリソースは第１のスロットに対応し、第５のアップリンク制御チャネルリソースセット中に含まれるアップリンク制御チャネルリソースは第２のスロットに対応する。
【０３１４】
特に、ネットワークデバイスは端末デバイスにダウンリンク制御情報を送り、ダウンリンク制御情報は第１の情報を含み、第１の情報はアップリンク制御チャネルリソースを示し、アップリンク制御チャネルリソースは、アップリンク制御情報を搬送するために使用される。アップリンク制御チャネルリソースは第１のアップリンク制御チャネルリソースセットに属し、第１のアップリンク制御チャネルリソースセットは、第４のアップリンク制御チャネルリソースセットおよび第５のアップリンク制御チャネルリソースセットを含み、第４のアップリンク制御チャネルリソースセット中に含まれるアップリンク制御チャネルリソースは第１のスロットに対応し、第５のアップリンク制御チャネルリソースセット中に含まれるアップリンク制御チャネルリソースは第２のスロットに対応する。言い換えれば、アップリンク制御情報を搬送するために使用され第１の情報によって示される、予約されたアップリンク制御チャネルリソースに対応するスロットは、固定ではなく、変更され得る。言い換えれば、各サブフレーム中でアップリンク制御情報を送信するために使用されるアップリンク制御チャネルリソースは、フレキシブルに変更され得る。
【０３１５】
固定のアップリンク制御チャネルリソースが予約される従来技術と比較して、本出願のこの実施形態において提供される情報送信方法では、第１の情報は、各サブフレーム中でアップリンク制御情報を送信するために使用されるアップリンク制御チャネルリソースをフレキシブルに予約し示すために使用され得ることがわかろう。このようにして、アップリンク制御チャネルリソースの構成フレキシビリティが改善される。
【０３１６】
加えて、各サブフレーム中でアップリンク制御チャネルを送信するために使用されるアップリンク制御チャネルリソースがフレキシブルに予約され示され得るので、アップリンク制御チャネルリソースのサイズは、アップリンク制御情報フィードバックの量に基づいて変更されてよく、したがって、リソースの浪費またはリソースの不足が回避され、システムリソース利用が改善される。
【０３１７】
任意選択で、第１のスロットおよび第２のスロットは同じサブフレームに属し得る。
【０３１８】
任意選択で、Ｓ３０１においてネットワークデバイスがダウンリンク制御情報を送り、ダウンリンク制御情報が第１の情報を含み、第１の情報が、アップリンク制御情報を搬送するためのアップリンク制御チャネルリソースを示すために使用されることは、以下の３つの実装を有し得る。
【０３１９】
第１の実装：ネットワークデバイスがダウンリンク制御チャネルを送り、ダウンリンク制御チャネル上で搬送されるダウンリンク制御情報が第１の情報を含み、第１の情報が、アップリンク制御情報を搬送するためのアップリンク制御チャネルリソースを示すために使用される。
【０３２０】
第２の実装：ネットワークデバイスがダウンリンク制御チャネルを送り、ダウンリンク制御チャネルに対応するダウンリンク制御情報フォーマットが第１の情報フィールドを含み、第１の情報フィールドが、アップリンク制御情報を搬送するためのアップリンク制御チャネルリソースを示すために使用される。
【０３２１】
第３の実装：ネットワークデバイスがダウンリンク制御情報フォーマットを送り、ダウンリンク制御情報フォーマットが第１の情報フィールドを含み、第１の情報フィールドが、アップリンク制御情報を搬送するためのアップリンク制御チャネルリソースを示すために使用される。
【０３２２】
任意選択で、アップリンク制御チャネルリソースは、アップリンク制御チャネルに対応する時間周波数領域リソースおよび／またはコードリソースであり得る。コードリソースは、アップリンク制御チャネルに対応するシーケンスのサイクリックシフトおよび／または直交拡散コードであり得る。
【０３２３】
任意選択で、第１の情報が、アップリンク制御情報を搬送するためのアップリンク制御チャネルリソースを示すために使用されることは、
【０３２４】
第１の情報が、アップリンク制御情報を搬送するためのアップリンク制御チャネルリソースに対応するリソースインデックスを示すために使用され、アップリンク制御チャネルリソースに対応するリソースインデックスが、リソースインデックスに基づいて、アップリンク制御チャネルに対応する時間周波数領域リソースおよび／またはコードリソースを判定するために端末デバイスによって使用されること
を含み得る。
【０３２５】
さらに、本出願のこの実施形態では、Ｓ３０１は、
【０３２６】
ネットワークデバイスが上位レイヤシグナリングを送り、上位レイヤシグナリングが、第１のアップリンク制御チャネルリソースセットを示すために使用されること
をさらに含み得る。
【０３２７】
特に、ネットワークデバイスは、異なるシナリオ要件および異なるサービス送信要件を満たすように、アップリンク制御チャネルリソースに対応するスロットをフレキシブルに構成し得、ネットワークデバイスは、上位レイヤシグナリングを使用することによって端末デバイスのために第１のアップリンク制御チャネルリソースセット中に含まれるすべてのアップリンク制御チャネルリソースを構成し得る。このようにして、アップリンク制御チャネルリソースの構成フレキシビリティがさらに改善され、アップリンク制御情報送信性能が保証される。
【０３２８】
任意選択で、上位レイヤシグナリングが、第１のアップリンク制御チャネルリソースセットを示すために使用されることは、以下の４つの実装を有し得る。
【０３２９】
第１の実装：
【０３３０】
上位レイヤシグナリングが、第１のアップリンク制御チャネルリソースセット中のアップリンク制御チャネルリソースに対応するリソースインデックスを示すために使用される。
【０３３１】
第２の実装：
【０３３２】
上位レイヤシグナリングが、第１のアップリンク制御チャネルリソースセット中のアップリンク制御チャネルリソースに対応するリソースインデックス、およびそれらのリソースインデックスに対応するシンボルまたはリソースブロックの量を示すために使用される。
【０３３３】
第３の実装：
【０３３４】
上位レイヤシグナリングが、第１のアップリンク制御チャネルリソースセット中に含まれる第４のアップリンク制御チャネルリソースセットおよび第５のアップリンク制御チャネルリソースセットを示すために使用される。
【０３３５】
第４の実装：
【０３３６】
上位レイヤシグナリングが、第１のアップリンク制御チャネルリソースセット中に含まれる第４のアップリンク制御チャネルリソースセット中のアップリンク制御チャネルリソースに対応するリソースインデックス、および第１のアップリンク制御チャネルリソースセット中に含まれる第５のアップリンク制御チャネルリソースセット中のアップリンク制御チャネルリソースに対応するリソースインデックスを示すために使用される。
【０３３７】
任意選択で、第４のアップリンク制御チャネルリソースセット中に含まれるアップリンク制御チャネルリソースは第１のスロットに対応し、第５のアップリンク制御チャネルリソースセット中に含まれるアップリンク制御チャネルリソースは第２のスロットに対応する
【０３３８】
さらに、本出願のこの実施形態では、Ｓ３０１は、
【０３３９】
ネットワークデバイスが、アップリンク制御情報を搬送するためのアップリンク制御チャネルリソースを判定することと、
ネットワークデバイスが、アップリンク制御情報を搬送するためのアップリンク制御チャネルリソースに基づいてダウンリンク制御情報中の第１の情報を判定することと
をさらに含み得る。
【０３４０】
特に、上記のステップは、ネットワークデバイスによって第１の情報を判定する実装を提供する。ネットワークデバイスは、最初に、アップリンク制御情報を搬送するためのアップリンク制御チャネルリソースを判定し、次いで、アップリンク制御チャネルリソースに基づいてダウンリンク制御情報中の第１の情報を判定する。
【０３４１】
ネットワークデバイスは、異なる適用シナリオおよび異なるサービス要件に基づいてアップリンク制御チャネルリソースを判定することがあり、第１の情報は、異なる適用シナリオおよび異なるサービスにフレキシブルにマッチするために、アップリンク制御チャネルリソースを示すために使用される。
【０３４２】
本出願のこの実施形態は、第１の情報の特定の実装に対していかなる特別な限定をも課さず、第１の情報は要件に基づいて設定されることに留意されたい。
【０３４３】
任意選択で、特定の実装では、第１の情報が２ビット情報フィールドに対応する場合、ネットワークデバイスが、アップリンク制御情報を搬送するためのアップリンク制御チャネルリソースに基づいてダウンリンク制御情報中の第１の情報を判定することは、
【０３４４】
アップリンク制御情報を搬送するためのアップリンク制御チャネルリソースが第１のアップリンク制御チャネルリソースである場合、ネットワークデバイスが、第１の情報に対応する２ビット情報フィールドが００であると判定すること、
アップリンク制御情報を搬送するためのアップリンク制御チャネルリソースが第２のアップリンク制御チャネルリソースである場合、ネットワークデバイスが、第１の情報に対応する２ビット情報フィールドが０１であると判定すること、
アップリンク制御情報を搬送するためのアップリンク制御チャネルリソースが第３のアップリンク制御チャネルリソースである場合、ネットワークデバイスが、第１の情報に対応する２ビット情報フィールドが１０であると判定すること、または
アップリンク制御情報を搬送するためのアップリンク制御チャネルリソースが第４のアップリンク制御チャネルリソースである場合、ネットワークデバイスが、第１の情報に対応する２ビット情報フィールドが１１であると判定すること
を含み得る。
【０３４５】
第１のアップリンク制御チャネルリソース、第２のアップリンク制御チャネルリソース、第３のアップリンク制御チャネルリソース、および第４のアップリンク制御チャネルリソースは、第１のアップリンク制御チャネルリソースセットにすべて属し、第１のアップリンク制御チャネルリソースセットは、異なるアップリンク制御チャネルリソースセットからの少なくとも２つのアップリンク制御チャネルリソースを含む。少なくとも１つのアップリンク制御チャネルリソースは第４のアップリンク制御チャネルリソースセットから来て、少なくとも１つのアップリンク制御チャネルリソースは第５のアップリンク制御チャネルリソースセットから来る。
【０３４６】
さらに、ダウンリンク制御情報は第２の情報をさらに含むことがあり、第２の情報は、アップリンク制御情報を搬送するためのサブフレームを示すために使用される。
【０３４７】
特に、ダウンリンク制御情報がサブフレームｎ中で搬送される場合、アップリンク制御情報はサブフレームｎ＋ｋ中で搬送され、ｎは０以上の整数であり、ｋは０以上の整数であり、ｋの値は第２の情報に基づいて判定される。
【０３４８】
ｋが０に等しいとき、ダウンリンク制御情報およびアップリンク制御情報は同じサブフレーム中で搬送され得、したがって、高速なＨＡＲＱ再送信が実施され得、比較的小さいレイテンシのサービス要件が満たされ得、また、ｋが０よりも大きいとき、アップリンク制御情報は、ダウンリンク制御情報が搬送されるサブフレームに後続するサブフレーム中で搬送され、したがって、厳しいレイテンシ要件を有しないサービスの要件が満たされ得ることがわかろう。第２の情報を使用することは、アップリンク制御チャネルリソースの構成フレキシビリティを改善する。
【０３４９】
さらに、ダウンリンク制御情報は第３の情報をさらに含むことがあり、第３の情報は、チャネル状態情報の報告をトリガするために使用され、アップリンク制御情報はチャネル状態情報である。
【０３５０】
本出願のこの実施形態は、チャネル状態情報の定義および実装に対していかなる特別な限定をも課さないことに留意されたい。たとえば、チャネル状態情報は、チャネル品質情報、コード行列指示、レイヤ量指示、およびビーム関係情報を含み得る。
【０３５１】
任意選択で、ダウンリンク制御情報は、ダウンリンク共有チャネル送信をスケジュールするために使用され、アップリンク制御情報は、ダウンリンク共有チャネル送信に対応するハイブリッド自動再送要求である。
【０３５２】
Ｓ３０２．端末デバイスがダウンリンク制御情報を受信し、ダウンリンク制御情報が第１の情報を含む。
【０３５３】
第１の情報は、アップリンク制御情報を搬送するためのアップリンク制御チャネルリソースを示すために使用される。
【０３５４】
アップリンク制御チャネルリソースは第１のアップリンク制御チャネルリソースセットに属し、第１のアップリンク制御チャネルリソースセットは、第４のアップリンク制御チャネルリソースセットおよび第５のアップリンク制御チャネルリソースセットを含み、第４のアップリンク制御チャネルリソースセット中に含まれるアップリンク制御チャネルリソースは第１のスロットに対応し、第５のアップリンク制御チャネルリソースセット中に含まれるアップリンク制御チャネルリソースは第２のスロットに対応する。
【０３５５】
特に、端末デバイスは、ネットワークデバイスによって送られたダウンリンク制御情報を受信し、ダウンリンク制御情報は第１の情報を含み、第１の情報はアップリンク制御チャネルリソースを示し、アップリンク制御チャネルリソースは、アップリンク制御情報を搬送するために使用される。アップリンク制御チャネルリソースは第１のアップリンク制御チャネルリソースセットに属し、第１のアップリンク制御チャネルリソースセットは、第４のアップリンク制御チャネルリソースセットおよび第５のアップリンク制御チャネルリソースセットを含み、第４のアップリンク制御チャネルリソースセット中に含まれるアップリンク制御チャネルリソースは第１のスロットに対応し、第５のアップリンク制御チャネルリソースセット中に含まれるアップリンク制御チャネルリソースは第２のスロットに対応する。言い換えれば、アップリンク制御情報を搬送するために使用され第１の情報によって示される、予約されたアップリンク制御チャネルリソースに対応するスロットは、固定ではなく、変更され得る。言い換えれば、各サブフレーム中でアップリンク制御情報を送信するために使用されるアップリンク制御チャネルリソースは、フレキシブルに変更され得る。
【０３５６】
したがって、固定のアップリンク制御チャネルリソースが予約される従来技術と比較して、本出願のこの実施形態において提供される情報送信方法では、第１の情報は、各サブフレーム中でアップリンク制御情報を送信するために使用されるアップリンク制御チャネルリソースをフレキシブルに予約し示すために使用され得る。このようにして、アップリンク制御チャネルリソースの構成フレキシビリティが改善される。
【０３５７】
加えて、各サブフレーム中でアップリンク制御チャネルを送信するために使用されるアップリンク制御チャネルリソースがフレキシブルに予約され示され得るので、アップリンク制御チャネルリソースのサイズは、アップリンク制御情報フィードバックの量に基づいて変更されてよく、したがって、リソースの浪費またはリソースの不足が回避され、システムリソース利用が改善される。
【０３５８】
任意選択で、Ｓ３０２において端末デバイスがダウンリンク制御情報を受信し、ダウンリンク制御情報が第１の情報を含み、第１の情報が、アップリンク制御情報を搬送するためのアップリンク制御チャネルリソースを示すために使用されることは、以下の３つの実装を有し得る。
【０３５９】
第１の実装：端末デバイスがダウンリンク制御チャネルを受信し、ダウンリンク制御チャネル上で搬送されるダウンリンク制御情報が第１の情報を含み、第１の情報が、アップリンク制御情報を搬送するためのアップリンク制御チャネルリソースを示すために使用される。
【０３６０】
第２の実装：端末デバイスがダウンリンク制御チャネルを受信し、ダウンリンク制御チャネルに対応するダウンリンク制御情報フォーマットが第１の情報フィールドを含み、第１の情報フィールドが、アップリンク制御情報を搬送するためのアップリンク制御チャネルリソースを示すために使用される。
【０３６１】
第３の実装：端末デバイスがダウンリンク制御情報フォーマットを検出し、ダウンリンク制御情報フォーマットが第１の情報フィールドを含み、第１の情報フィールドが、アップリンク制御情報を搬送するためのアップリンク制御チャネルリソースを示すために使用される。
【０３６２】
さらに、本出願のこの実施形態では、Ｓ３０２は、
【０３６３】
端末デバイスが上位レイヤシグナリングを受信することと、
端末デバイスが上位レイヤシグナリングに基づいて第１のアップリンク制御チャネルリソースセットを判定することと
をさらに含み得る。
【０３６４】
特に、端末デバイスは、ネットワークデバイスによって送られた上位レイヤシグナリングを受信し、端末デバイスは、上位レイヤシグナリングを使用することによって、ネットワークデバイスによって構成された第１のアップリンク制御チャネルリソースセット中に含まれるすべてのアップリンク制御チャネルリソースを知り得る。端末デバイスは、異なるシナリオ要件および異なるサービス要件に基づいてネットワークデバイスによってフレキシブルに構成されたアップリンク制御チャネルリソースを知り得るので、アップリンク制御チャネルリソースの構成フレキシビリティがさらに改善され、アップリンク制御情報送信性能が保証される。
【０３６５】
任意選択で、端末デバイスが上位レイヤシグナリングに基づいて第１のアップリンク制御チャネルリソースセットを判定することは、以下の４つの実装を有し得る。
【０３６６】
第１の実装：端末デバイスが、上位レイヤシグナリングに基づいて、第１のアップリンク制御チャネルリソースセット中のアップリンク制御チャネルリソースに対応するリソースインデックスを判定する。
【０３６７】
第２の実装：端末デバイスが、上位レイヤシグナリングに基づいて、第１のアップリンク制御チャネルリソースセット中のアップリンク制御チャネルリソースに対応するリソースインデックス、およびそれらのリソースインデックスに対応するシンボルまたはリソースブロックの量を判定する。
【０３６８】
第３の実装：端末デバイスが、上位レイヤシグナリングに基づいて、第１のアップリンク制御チャネルリソースセット中に含まれる第４のアップリンク制御チャネルリソースセットおよび第５のアップリンク制御チャネルリソースセットを判定する。
【０３６９】
第４の実装：
【０３７０】
端末デバイスが、上位レイヤシグナリングに基づいて、第１のアップリンク制御チャネルリソースセット中に含まれる第４のアップリンク制御チャネルリソースセット中のアップリンク制御チャネルリソースに対応するリソースインデックス、および第１のアップリンク制御チャネルリソースセット中に含まれる第５のアップリンク制御チャネルリソースセット中のアップリンク制御チャネルリソースに対応するリソースインデックスを判定する。
【０３７１】
任意選択で、第４のアップリンク制御チャネルリソースセット中に含まれるアップリンク制御チャネルリソースは第１のスロットに対応し、第５のアップリンク制御チャネルリソースセット中に含まれるアップリンク制御チャネルリソースは第２のスロットに対応する
【０３７２】
任意選択で、第１の情報が２ビット情報フィールドに対応する場合、第１の情報が、アップリンク制御情報を搬送するためのアップリンク制御チャネルリソースを示すために使用されることは、
【０３７３】
第１の情報に対応する２ビット情報フィールドが００である場合、アップリンク制御情報を搬送するためのアップリンク制御チャネルリソースが第１のアップリンク制御チャネルリソースであること、
第１の情報に対応する２ビット情報フィールドが０１である場合、アップリンク制御情報を搬送するためのアップリンク制御チャネルリソースが第２のアップリンク制御チャネルリソースであること、
第１の情報に対応する２ビット情報フィールドが１０である場合、アップリンク制御情報を搬送するためのアップリンク制御チャネルリソースが第３のアップリンク制御チャネルリソースであること、または
第１の情報に対応する２ビット情報フィールドが１１である場合、アップリンク制御情報を搬送するためのアップリンク制御チャネルリソースが第４のアップリンク制御チャネルリソースであること
であり得る。
【０３７４】
第１のアップリンク制御チャネルリソース、第２のアップリンク制御チャネルリソース、第３のアップリンク制御チャネルリソース、および第４のアップリンク制御チャネルリソースは、第１のアップリンク制御チャネルリソースセットにすべて属し、第１のアップリンク制御チャネルリソースセットは、異なるアップリンク制御チャネルリソースセットからの少なくとも２つのアップリンク制御チャネルリソースを含む。少なくとも１つのアップリンク制御チャネルリソースは第４のアップリンク制御チャネルリソースセットから来て、少なくとも１つのアップリンク制御チャネルリソースは第５のアップリンク制御チャネルリソースセットから来る。
【０３７５】
このステップにおいて、ダウンリンク制御情報、アップリンク制御情報、アップリンク制御チャネルリソース、第１のアップリンク制御チャネルリソースセット、第１の情報、シンボル、リソースブロック、スロット、サブフレーム、および他の態様についての説明は、本出願のこの実施形態におけるＳ３０１の説明と同じであり、原理は同様であることに留意されたい。詳細についてここで再び説明されない。
【０３７６】
Ｓ３０３．端末デバイスが、第１の情報に基づいて、アップリンク制御情報を搬送するためのアップリンク制御チャネルリソースを判定する。
【０３７７】
任意選択で、Ｓ３０３において端末デバイスが、第１の情報に基づいて、アップリンク制御情報を搬送するためのアップリンク制御チャネルリソースを判定することは、以下の２つの実装を有し得る。
【０３７８】
第１の実装：
【０３７９】
端末デバイスが、第１の情報に基づいて、アップリンク制御情報を搬送するためのアップリンク制御チャネルリソースに対応するリソースインデックスを判定し、
端末デバイスが、アップリンク制御チャネルリソースに対応するリソースインデックスに基づいて、アップリンク制御チャネルに対応する時間周波数領域リソースおよび／またはコードリソースを判定する。
【０３８０】
第２の実装：
【０３８１】
端末デバイスが、第１の情報に基づいて、アップリンク制御情報を搬送するためのシンボル上でアップリンク制御情報を搬送するためのアップリンク制御チャネルに対応するリソースインデックスを判定し、
端末デバイスが、アップリンク制御チャネルリソースに対応するインデックスに基づいて、アップリンク制御チャネルに対応する時間周波数領域リソースおよび／またはコードリソースを判定する。
【０３８２】
任意選択で、第１の情報が２ビット情報フィールドに対応する場合、端末デバイスが、第１の情報に基づいて、アップリンク制御情報を搬送するためのアップリンク制御チャネルリソースを判定することは、
【０３８３】
第１の情報に対応する２ビット情報フィールドが００である場合、端末デバイスは、アップリンク制御情報を搬送するためのアップリンク制御チャネルリソースが、上位レイヤシグナリングを使用することによって構成された第１のアップリンク制御チャネルリソースであると判定すること、
第１の情報に対応する２ビット情報フィールドが０１である場合、端末デバイスは、アップリンク制御情報を搬送するためのアップリンク制御チャネルリソースが、上位レイヤシグナリングを使用することによって構成された第２のアップリンク制御チャネルリソースであると判定すること、
第１の情報に対応する２ビット情報フィールドが１０である場合、端末デバイスは、アップリンク制御情報を搬送するためのアップリンク制御チャネルリソースが、上位レイヤシグナリングを使用することによって構成された第３のアップリンク制御チャネルリソースであると判定すること、または
第１の情報に対応する２ビット情報フィールドが１１である場合、端末デバイスは、アップリンク制御情報を搬送するためのアップリンク制御チャネルリソースが、上位レイヤシグナリングを使用することによって構成された第４のアップリンク制御チャネルリソースであると判定すること
を含み得る。
【０３８４】
第１のアップリンク制御チャネルリソース、第２のアップリンク制御チャネルリソース、第３のアップリンク制御チャネルリソース、および第４のアップリンク制御チャネルリソースは、第１のアップリンク制御チャネルリソースセットにすべて属し、第１のアップリンク制御チャネルリソースセットは、異なるアップリンク制御チャネルリソースセットからの少なくとも２つのアップリンク制御チャネルリソースを含む。少なくとも１つのアップリンク制御チャネルリソースは第４のアップリンク制御チャネルリソースセットから来て、少なくとも１つのアップリンク制御チャネルリソースは第５のアップリンク制御チャネルリソースセットから来る。
【０３８５】
Ｓ３０４．端末デバイスが、アップリンク制御チャネルリソースを使用することによってネットワークデバイスにアップリンク制御情報を送る。
【０３８６】
特に、アップリンク制御チャネルリソースを使用することによってネットワークデバイスにアップリンク制御情報を送るために端末デバイスによってどんな既存の処理方法でも使用され得る。たとえば、アップリンク制御情報上でチャネルコーディング、変調、およびマッピングを実施することなどのステップが含まれ得る。本出願のこの実施形態は、それに対していかなる特別な限定をも課さない。
【０３８７】
Ｓ３０５．ネットワークデバイスが、アップリンク制御情報を搬送するためのアップリンク制御チャネルリソース上で、端末デバイスによって送られたアップリンク制御情報を受信する。
【０３８８】
任意選択で、ダウンリンク制御情報が第２の情報をさらに含み、第２の情報が、アップリンク制御情報を搬送するためのサブフレームを示すために使用される場合、このステップは、
【０３８９】
ネットワークデバイスが、アップリンク制御情報を搬送するためのサブフレーム中のアップリンク制御情報を搬送するためのシンボル上で、端末デバイスによって送られたアップリンク制御情報を受信すること
をさらに含み得る。
【０３９０】
本出願のこの実施形態では、ステップＳ３０１からＳ３０５の順序は限定されず、ステップＳ３０１からＳ３０５の間の相互従属性も限定されないことに留意されたい。
【０３９１】
本出願のこの実施形態では、ダウンリンク制御情報、アップリンク制御情報、アップリンク制御チャネルリソース、第１のアップリンク制御チャネルリソースセット、第１の情報、第２の情報、第３の情報、シンボル、リソースブロック、スロット、サブフレーム、アップリンク制御チャネルリソースに対応するリソースインデックス、および他の態様についての説明は、本出願の方法実施形態１における説明と同じであり、原理は同様であることに留意されたい。詳細についてここで再び説明されない。
【０３９２】
以下で、特定の例を使用することによって本出願のこの実施形態において提供される情報送信方法について詳細に説明する。
【０３９３】
第１のアップリンク制御チャネルリソースセットは、第４のアップリンク制御チャネルリソースセットおよび第５のアップリンク制御チャネルリソースセットを含み、第４のアップリンク制御チャネルリソースセット中に含まれるアップリンク制御チャネルリソースは第１のスロットに対応し、第５のアップリンク制御チャネルリソースセット中に含まれるアップリンク制御チャネルリソースは第２のスロットに対応する。
【０３９４】
第４のアップリンク制御チャネルリソースセットは、第１のアップリンク制御チャネルリソースおよび第２のアップリンク制御チャネルリソースを含み、第１のアップリンク制御チャネルリソースおよび第２のアップリンク制御チャネルリソースは、第１のスロット中に含まれるアップリンクシンボルに対応する。
【０３９５】
第５のアップリンク制御チャネルリソースセットは、第３のアップリンク制御チャネルリソースおよび第４のアップリンク制御チャネルリソースを含み、第３のアップリンク制御チャネルリソースおよび第４のアップリンク制御チャネルリソースは、第２のスロット中に含まれるアップリンクシンボルに対応する。
【０３９６】
図１０は、本出願の一実施形態による情報送信方法の実施形態３におけるアップリンク制御チャネルリソースの概略構造図である。図１０に示されているように、説明のための一例として２つのスロットが使用される。スロットの通し番号は、それぞれスロット０およびスロット１である。
【０３９７】
特に、スロット０中の第１のシンボル上で搬送されるＤＣＩを使用することによってスケジュールされるＰＤＳＣＨ送信は、スロット０中で搬送される。ＤＣＩは、第１の情報を使用することによって、ＰＤＳＣＨ送信に対応するＨＡＲＱフィードバックがスロット０中で送信されるべきことを示し、言い換えれば、ＰＤＳＣＨ送信に対応するＨＡＲＱフィードバックが、第４のアップリンク制御チャネルセット中の第１のアップリンク制御チャネルリソースを使用することによって送信されるべきことを示す。このようにして、高速なＨＡＲＱフィードバックが実施され、サービスレイテンシが低減される。
【０３９８】
スロット０中の第１のシンボル上で搬送されるＤＣＩを使用することによってスケジュールされるＰＤＳＣＨ送信がスロット０およびスロット１中で搬送される場合、ＤＣＩは、第１の情報を使用することによって、ＰＤＳＣＨ送信に対応するＨＡＲＱフィードバックがスロット１中で送信されるべきことを示し、言い換えれば、ＰＤＳＣＨ送信に対応するＨＡＲＱフィードバックが、第５のアップリンク制御チャネルセット中の第３のアップリンク制御チャネルリソースを使用することによって送信されるべきことを示す。加えて、ＤＣＩを使用することによってスケジュールされるＰＤＳＣＨ送信がスロット０中で搬送される場合でも、ＰＤＳＣＨ送信に対応するデータのレイテンシ要件が低い場合、ＤＣＩ中の第１の情報は、ＰＤＳＣＨ送信に対応するＨＡＲＱフィードバックが、第５のアップリンク制御チャネルセット中の第３のアップリンク制御チャネルリソースを使用することによって送信されるべきことを示すために使用され得、したがって、ＨＡＲＱフィードバックがスロット０中で送信される必要があるので、ＧＰがスロット０に導入されるのを防止され、ＧＰオーバーヘッドが低減される。このようにして、１つのサブフレームに２つのＧＰを導入する必要がなくなり、リソース利用が改善される。
【０３９９】
本出願のこの実施形態は、ネットワークデバイスがダウンリンク制御情報を送り、ダウンリンク制御情報が第１の情報を含むことと、端末デバイスが、ダウンリンク制御情報を受信し、第１の情報に基づいて、アップリンク制御情報を搬送するためのアップリンク制御チャネルリソースを判定し、アップリンク制御チャネルリソースを使用することによってネットワークデバイスにアップリンク制御情報を送ることと、ネットワークデバイスが、アップリンク制御情報を搬送するためのアップリンク制御チャネルリソース上で、端末デバイスによって送られたアップリンク制御情報を受信することとを含む、情報送信方法を提供する。したがって、本出願のこの実施形態において提供される情報送信方法によれば、第１の情報は、各サブフレーム中でアップリンク制御情報を送信するために使用されるアップリンク制御チャネルリソースをフレキシブルに予約し示すために使用され得る。このようにして、アップリンク制御チャネルリソースの構成フレキシビリティが改善され、システムリソース利用が改善される。
【０４００】
以下で、本出願の実施形態において提供される端末デバイスおよびネットワークデバイスについて説明する。本デバイスは、上記の方法と１対１の対応にあり、上記の方法実施形態における情報送信方法を実装するために使用され、上記の方法と同じ技術的特徴および技術的効果を有する。詳細について本出願の実施形態では再び説明されない。
【０４０１】
一体化されたユニットが使用されるとき、図１１は、上記の方法実施形態における端末デバイスの可能な概略構造図である。図１１は、本出願の一実施形態による端末デバイスの実施形態１の概略構造図である。図１１に示されているように、端末デバイスは、トランシーバユニット１１および処理ユニット１２を含む。処理ユニット１２は、端末デバイスのアクションを制御し、管理し、かつ実施するように構成される。トランシーバユニット１１は、端末デバイスとネットワークデバイスとの間の通信をサポートするように構成される。端末デバイスは、端末デバイスのプログラムコードおよびデータを記憶するように構成された記憶ユニットをさらに含み得る。
【０４０２】
一体化されたユニットが使用されるとき、図１２は、上記の実施形態におけるネットワークデバイスの可能な概略構造図である。図１２は、本出願の一実施形態によるネットワークデバイスの実施形態１の概略構造図である。図１２に示されているように、ネットワークデバイスは、トランシーバユニット２１および処理ユニット２２を含み得る。処理ユニット２２は、ネットワークデバイスのアクションを制御し、管理し、かつ実施するように構成される。トランシーバユニット２１は、ネットワークデバイスと端末デバイスとの間の通信をサポートするように構成される。ネットワークデバイスは、ネットワークデバイスのプログラムコードおよびデータを記憶するように構成された記憶ユニットをさらに含み得る。
【０４０３】
端末デバイスおよびネットワークデバイスは、図２から図１０に示されている方法実施形態における情報送信方法を実施するように構成され得る。たとえば、端末デバイス中のトランシーバユニット２１は、図２のＳ１０２およびＳ１０４、図５のＳ２０２およびＳ２０４、ならびに図９のＳ３０２およびＳ３０４を実施するように構成されることがあり、端末デバイス中の処理ユニット２２は、図２のＳ１０３、図５のＳ２０３、および図９のＳ３０３を実施するように構成されることがあり、ネットワークデバイス中のトランシーバユニット２１は、図２のＳ１０１およびＳ１０５、図５のＳ２０１およびＳ２０５、ならびに図９のＳ３０１およびＳ３０５を実施するように構成されることがある。
【０４０４】
処理ユニットは、プロセッサまたはコントローラであってよく、たとえば、中央処理ユニット（Ｃｅｎｔｒａｌ  Ｐｒｏｃｅｓｓｉｎｇ  Ｕｎｉｔ、ＣＰＵ）、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）もしくは別のプログラマブル論理デバイス、トランジスタ論理デバイス、ハードウェア構成要素、またはそれらの任意の組合せであり得る。処理ユニットは、本出願で開示される内容に関して説明される論理ブロック、モジュール、および回路の様々な例を実装または実行し得る。代替として、プロセッサは、コンピューティング機能を実装する組合せ、たとえば、１つもしくは複数のマイクロプロセッサの組合せまたはＤＳＰとマイクロプロセッサの組合せであり得る。トランシーバユニットは、トランシーバ、トランシーバ回路などであり得る。記憶ユニットはメモリであり得る。
【０４０５】
以下で、本出願の実施形態において提供される端末デバイスおよびネットワークデバイスについて説明する。本デバイスは、上記の方法と１対１の対応にあり、上記の方法実施形態における情報送信方法を実装するために使用され、上記の方法と同じ技術的特徴および技術的効果を有する。詳細について本出願の実施形態では再び説明されない。
【０４０６】
図１３は、上記の方法実施形態における端末デバイスの可能な概略構造図である。図１３は、本出願の一実施形態による端末デバイスの実施形態１の概略構造図である。図１３に示されているように、端末デバイスは、トランシーバ３１およびプロセッサ３２を含む。プロセッサ３２は、端末デバイスのアクションを制御し、管理し、かつ実施するように構成される。トランシーバ３１は、端末デバイスとネットワークデバイスとの間の通信をサポートするように構成される。端末デバイスは、端末デバイスのプログラムコードおよびデータを記憶するように構成された記憶ユニットをさらに含み得る。
【０４０７】
一体化されたユニットが使用されるとき、図１４は、上記の実施形態におけるネットワークデバイスの可能な概略構造図である。図１４は、本出願の一実施形態によるネットワークデバイスの実施形態１の概略構造図である。図１４に示されているように、ネットワークデバイスは、トランシーバ４１およびプロセッサ４２を含み得る。プロセッサ４２は、ネットワークデバイスのアクションを制御し、管理し、かつ実施するように構成される。トランシーバ４１は、ネットワークデバイスと端末デバイスとの間の通信をサポートするように構成される。ネットワークデバイスは、ネットワークデバイスのプログラムコードおよびデータを記憶するように構成された記憶ユニットをさらに含み得る。
【０４０８】
端末デバイスおよびネットワークデバイスは、図２から図１０に示されている方法実施形態における情報送信方法を実施するように構成され得る。たとえば、端末デバイス中のトランシーバユニット２１は、図２のＳ１０２およびＳ１０４、図５のＳ２０２およびＳ２０４、ならびに図９のＳ３０２およびＳ３０４を実施するように構成されることがあり、端末デバイス中の処理ユニット２２は、図２のＳ１０３、図５のＳ２０３、および図９のＳ３０３を実施するように構成されることがあり、ネットワークデバイス中のトランシーバユニット２１は、図２のＳ１０１およびＳ１０５、図５のＳ２０１およびＳ２０５、ならびに図９のＳ３０１およびＳ３０５を実施するように構成されることがある。
【０４０９】
本出願の実施形態で開示される内容に関して説明される方法またはアルゴリズムステップは、ハードウェアを使用することによって実装され得るか、またはプロセッサによってソフトウェア命令を実行することによって実装され得る。ソフトウェア命令は、対応するソフトウェアモジュールを含み得る。ソフトウェアモジュールは、ランダムアクセスメモリ（Ｒａｎｄｏｍ  Ａｃｃｅｓｓ  Ｍｅｍｏｒｙ、ＲＡＭ）、フラッシュメモリ、読取り専用メモリ（Ｒｅａｄ−Ｏｎｌｙ  Ｍｅｍｏｒｙ、ＲＯＭ）、消去可能プログラマブル読取り専用メモリ（Ｅｒａｓａｂｌｅ  Ｐｒｏｇｒａｍｍａｂｌｅ  ＲＯＭ、ＥＰＲＯＭ）、電気消去可能プログラマブル読取り専用メモリ（Ｅｌｅｃｔｒｉｃａｌｌｙ  ＥＰＲＯＭ、ＥＥＰＲＯＭ）、レジスタ、ハードディスク、リムーバブルハードディスク、コンパクトディスク読取り専用メモリ（ＣＤ−ＲＯＭ）、または当技術分野でよく知られている任意の他の形態の記憶媒体に記憶され得る。例として使用される記憶媒体はプロセッサに結合され、したがって、プロセッサは、記憶媒体から情報を読み取ることができ、かつ記憶媒体に情報を書き込むことができる。もちろん、記憶媒体はプロセッサの一部であり得る。プロセッサおよび記憶媒体はＡＳＩＣ中に配置され得る。加えて、ＡＳＩＣは基地局または端末中に配置され得る。もちろん、プロセッサおよび記憶媒体は、基地局または端末中の個別構成要素として働き得る。
【０４１０】
上記の例のうちの１つまたは複数では、本出願の実施形態において説明される機能は、ハードウェア、ソフトウェア、ファームウェア、またはそれらの任意の組合せを使用することによって実装され得ることを当業者は認識されたい。本出願がソフトウェアを使用することによって実装されるとき、これらの機能は、コンピュータ可読媒体中の１つまたは複数の命令またはコードとしてコンピュータ可読媒体に記憶され得るか、または送信され得る。コンピュータ可読媒体は、コンピュータ記憶媒体および通信媒体を含み、通信媒体は、ある場所から別の場所にコンピュータプログラムを送信するのを助ける任意の媒体を含む。記憶媒体は、汎用または専用コンピュータにとってアクセス可能な任意の利用可能な媒体であり得る。
【０４１１】
方法実施形態におけるすべてまたはいくつかのステップは、関係するハードウェアに命令するプログラムを使用することによって実装され得ることを当業者は理解されよう。プログラムはコンピュータ可読記憶媒体に記憶され得る。プログラムが実行されたとき、方法実施形態におけるステップが実施される。記憶媒体は、ＲＯＭ、ＲＡＭ、磁気ディスク、または光ディスクなど、プログラムコードを記憶することができる任意の媒体を含む。
【図１】
2019535189.tif 000003
【図２】
2019535189.tif 000004
【図３】
2019535189.tif 000005
【図４】
2019535189.tif 000006
【図５】
2019535189.tif 000007
【図６】
2019535189.tif 000008
【図７】
2019535189.tif 000009
【図８】
2019535189.tif 000010
【図９】
2019535189.tif 000011
【図１０】
2019535189.tif 000012
【図１１】
2019535189.tif 000013
【図１２】
2019535189.tif 000014
【図１３】
2019535189.tif 000015
【図１４】
2019535189.tif 000016
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
ダウンリンク制御情報を受信するステップであって、前記ダウンリンク制御情報は第１の情報を備え、前記第１の情報は、アップリンク制御情報を搬送するためのアップリンク制御チャネルリソースを示し、前記アップリンク制御チャネルリソースは第１のアップリンク制御チャネルリソースセットに属し、前記第１のアップリンク制御チャネルリソースセットは、異なる量のシンボルに対応する少なくとも２つのアップリンク制御チャネルリソースを備える、ステップと、
前記第１の情報に基づいて、アップリンク制御情報を搬送するための前記アップリンク制御チャネルリソースを判定するステップと、
前記アップリンク制御チャネルリソースを使用することによってネットワークデバイスに前記アップリンク制御情報を送るステップと
を備える、情報を送るための方法。
【請求項２】
前記第１のアップリンク制御チャネルリソースセットは第１のアップリンク制御チャネルリソースを備え、前記第１のアップリンク制御チャネルリソースは１つのシンボルに対応し、
前記第１のアップリンク制御チャネルリソースセットは第２のアップリンク制御チャネルリソースをさらに備え、前記第２のアップリンク制御チャネルリソースは２つのシンボルに対応する
請求項１に記載の方法。
【請求項３】
前記第１のアップリンク制御チャネルリソースセットは第３のアップリンク制御チャネルリソースを備え、前記第３のアップリンク制御チャネルリソースは７つのシンボルに対応し、
前記第１のアップリンク制御チャネルリソースセットは第４のアップリンク制御チャネルリソースをさらに備え、前記第４のアップリンク制御チャネルリソースは１４個のシンボルに対応する
請求項１または２に記載の方法。
【請求項４】
上位レイヤシグナリングを受信するステップと、
前記上位レイヤシグナリングに基づいて前記第１のアップリンク制御チャネルリソースセットを判定するステップと
をさらに備える請求項１乃至３のいずれか一項に記載の方法。
【請求項５】
前記上位レイヤシグナリングに基づいて前記第１のアップリンク制御チャネルリソースセットを判定する前記ステップは、
前記上位レイヤシグナリングに基づいて、前記第１のアップリンク制御チャネルリソースセット中のアップリンク制御チャネルリソースに対応するシンボルの量を判定するステップ
を備える請求項４に記載の方法。
【請求項６】
ダウンリンク制御情報を送るステップであって、前記ダウンリンク制御情報は第１の情報を備え、前記第１の情報は、アップリンク制御情報を搬送するためのアップリンク制御チャネルリソースを示し、前記アップリンク制御チャネルリソースは第１のアップリンク制御チャネルリソースセットに属し、前記第１のアップリンク制御チャネルリソースセットは、異なる量のシンボルに対応する少なくとも２つのアップリンク制御チャネルリソースを備える、ステップと、
アップリンク制御情報を搬送するための前記アップリンク制御チャネルリソース上で、端末デバイスによって送られたアップリンク制御情報を受信するステップと
を備える、情報を受信するための方法。
【請求項７】
前記第１のアップリンク制御チャネルリソースセットは第１のアップリンク制御チャネルリソースを備え、前記第１のアップリンク制御チャネルリソースは１つのシンボルに対応し、
前記第１のアップリンク制御チャネルリソースセットは第２のアップリンク制御チャネルリソースをさらに備え、前記第２のアップリンク制御チャネルリソースは２つのシンボルに対応する
請求項６に記載の方法。
【請求項８】
前記第１のアップリンク制御チャネルリソースセットは第３のアップリンク制御チャネルリソースを備え、前記第３のアップリンク制御チャネルリソースは７つのシンボルに対応し、
前記第１のアップリンク制御チャネルリソースセットは第４のアップリンク制御チャネルリソースをさらに備え、前記第４のアップリンク制御チャネルリソースは１４個のシンボルに対応する
請求項６または７に記載の方法。
【請求項９】
上位レイヤシグナリングを送るステップであって、前記上位レイヤシグナリングは、前記第１のアップリンク制御チャネルリソースセットを示す、ステップ
をさらに備える請求項６乃至８のいずれか一項に記載の方法。
【請求項１０】
前記上位レイヤシグナリングは、前記第１のアップリンク制御チャネルリソースセット中のアップリンク制御チャネルリソースに対応するシンボルの量を示す
請求項９に記載の方法。
【請求項１１】
ダウンリンク制御情報を受信するように構成されたトランシーバユニットであって、前記ダウンリンク制御情報は第１の情報を備え、前記第１の情報は、アップリンク制御情報を搬送するためのアップリンク制御チャネルリソースを示し、前記アップリンク制御チャネルリソースは第１のアップリンク制御チャネルリソースセットに属し、前記第１のアップリンク制御チャネルリソースセットは、異なる量のシンボルに対応する少なくとも２つのアップリンク制御チャネルリソースを備える、トランシーバユニットと、
前記第１の情報に基づいて、アップリンク制御情報を搬送するための前記アップリンク制御チャネルリソースを判定するように構成された処理ユニットと
を備える、端末デバイスであって、
前記トランシーバユニットは、前記アップリンク制御チャネルリソースを使用することによってネットワークデバイスに前記アップリンク制御情報を送るようにさらに構成された
端末デバイス。
【請求項１２】
前記第１のアップリンク制御チャネルリソースセットは第１のアップリンク制御チャネルリソースを備え、前記第１のアップリンク制御チャネルリソースは１つのシンボルに対応し、
前記第１のアップリンク制御チャネルリソースセットは第２のアップリンク制御チャネルリソースをさらに備え、前記第２のアップリンク制御チャネルリソースは２つのシンボルに対応する
請求項１１に記載の端末デバイス。
【請求項１３】
前記第１のアップリンク制御チャネルリソースセットは第３のアップリンク制御チャネルリソースを備え、前記第３のアップリンク制御チャネルリソースは７つのシンボルに対応し、
前記第１のアップリンク制御チャネルリソースセットは第４のアップリンク制御チャネルリソースをさらに備え、前記第４のアップリンク制御チャネルリソースは１４個のシンボルに対応する
請求項１１または１２に記載の端末デバイス。
【請求項１４】
前記トランシーバユニットは、上位レイヤシグナリングを受信するようにさらに構成され、
前記処理ユニットは、前記上位レイヤシグナリングに基づいて前記第１のアップリンク制御チャネルリソースセットを判定するようにさらに構成された
請求項１１乃至１３のいずれか一項に記載の端末デバイス。
【請求項１５】
前記処理ユニットは、
前記上位レイヤシグナリングに基づいて、前記第１のアップリンク制御チャネルリソースセット中のアップリンク制御チャネルリソースに対応するシンボルの量を判定する
ように特に構成された請求項１４に記載の端末デバイス。
【請求項１６】
ダウンリンク制御情報を送るように構成されたトランシーバユニットであって、前記ダウンリンク制御情報は第１の情報を備え、前記第１の情報は、アップリンク制御情報を搬送するためのアップリンク制御チャネルリソースを示し、前記アップリンク制御チャネルリソースは第１のアップリンク制御チャネルリソースセットに属し、前記第１のアップリンク制御チャネルリソースセットは、異なる量のシンボルに対応する少なくとも２つのアップリンク制御チャネルリソースを備える、トランシーバユニット
を備える、ネットワークデバイスであって、
前記トランシーバユニットは、アップリンク制御情報を搬送するための前記アップリンク制御チャネルリソース上で、端末デバイスによって送られたアップリンク制御情報を受信するようにさらに構成された
ネットワークデバイス。
【請求項１７】
前記第１のアップリンク制御チャネルリソースセットは第１のアップリンク制御チャネルリソースを備え、前記第１のアップリンク制御チャネルリソースは１つのシンボルに対応し、
前記第１のアップリンク制御チャネルリソースセットは第２のアップリンク制御チャネルリソースをさらに備え、前記第２のアップリンク制御チャネルリソースは２つのシンボルに対応する
請求項１６に記載のネットワークデバイス。
【請求項１８】
前記第１のアップリンク制御チャネルリソースセットは第３のアップリンク制御チャネルリソースを備え、前記第３のアップリンク制御チャネルリソースは７つのシンボルに対応し、
前記第１のアップリンク制御チャネルリソースセットは第４のアップリンク制御チャネルリソースをさらに備え、前記第４のアップリンク制御チャネルリソースは１４個のシンボルに対応する
請求項１６または１７に記載のネットワークデバイス。
【請求項１９】
前記トランシーバユニットは、
上位レイヤシグナリングを送ることであって、前記上位レイヤシグナリングは、前記第１のアップリンク制御チャネルリソースセットを示す、こと
を行うようにさらに構成された請求項１６乃至１８のいずれか一項に記載のネットワークデバイス。
【請求項２０】
前記上位レイヤシグナリングは、前記第１のアップリンク制御チャネルリソースセット中のアップリンク制御チャネルリソースに対応するシンボルの量を示す
請求項１９に記載のネットワークデバイス。
【請求項２１】
実行可能な命令を含む記憶媒体と、
プロセッサと
を備える、情報を送るための装置であって、
前記実行可能な命令は、前記プロセッサによって実行されたとき、請求項１乃至５のいずれか一項に記載の方法を前記装置に実施させる、
装置。
【請求項２２】
実行可能な命令を含む記憶媒体と、
プロセッサと
を備える、情報を受信するための装置であって、
前記実行可能な命令は、前記プロセッサによって実行されたとき、請求項６乃至１０のいずれか一項に記載の方法を前記装置に実施させる、
装置。
【請求項２３】
プログラムがその上に記録されたコンピュータ可読記憶媒体であって、前記プログラムは、請求項１乃至５のいずれか一項に記載の方法をコンピュータに実行させる、コンピュータ可読記憶媒体。
【請求項２４】
プログラムがその上に記録されたコンピュータ可読記憶媒体であって、前記プログラムは、請求項６乃至１０のいずれか一項に記載の方法をコンピュータに実行させる、コンピュータ可読記憶媒体。
【請求項２５】
請求項１乃至５のいずれか一項に記載の方法をコンピュータに実行させるプログラム。
【請求項２６】
請求項６乃至１０のいずれか一項に記載の方法をコンピュータに実行させるプログラム。
【手続補正２】
【補正対象書類名】明細書
【補正対象項目名】全文
【補正方法】変更
【補正の内容】
【発明の詳細な説明】
【技術分野】
【０００１】
本出願は、通信技術の分野に関し、詳細には、情報送信方法、端末デバイス、およびネットワークデバイスに関する。
【０００２】
本出願は、その全体が参照により本明細書に組み込まれる、２０１６年９月３０日に中国特許庁で出願され「ＩＮＦＯＲＭＡＴＩＯＮ  ＴＲＡＮＳＭＩＳＳＩＯＮ  ＭＥＴＨＯＤ，  ＴＥＲＭＩＮＡＬ  ＤＥＶＩＣＥ，  ＡＮＤ  ＮＥＴＷＯＲＫ  ＤＥＶＩＣＥ」と題する中国特許出願第２０１６１０８７８９０６．２号の優先権を主張する。
【背景技術】
【０００３】
５Ｇ通信システムは、より高いシステム性能をサポートすることを意図され、異なるサービス、異なる展開シナリオ、および異なるスペクトルをサポートすることができる。サポートされるサービスは、拡張モバイルブロードバンド（ｅｎｈａｎｃｅｄ  Ｍｏｂｉｌｅ  Ｂｒｏａｄｂａｎｄ、略してｅＭＢＢ）サービス、マシンタイプ通信（Ｍａｃｈｉｎｅ  Ｔｙｐｅ  Ｃｏｍｍｕｎｉｃａｔｉｏｎ、略してＭＴＣ）サービス、超高信頼および低レイテンシ通信（Ｕｌｔｒａ−ｒｅｌｉａｂｌｅ  ａｎｄ  ｌｏｗ  ｌａｔｅｎｃｙ  ｃｏｍｍｕｎｉｃａｔｉｏｎｓ、略してＵＲＬＬＣ）サービス、マルチメディアブロードキャストマルチキャストサービス（Ｍｕｌｔｉｍｅｄｉａ  Ｂｒｏａｄｃａｓｔ  Ｍｕｌｔｉｃａｓｔ  Ｓｅｒｖｉｃｅ、略してＭＢＭＳ）、測位サービスなどを含み得る。サポートされる展開シナリオは、屋内ホットスポット（Ｉｎｄｏｏｒ  ｈｏｔｓｐｏｔ）シナリオ、高密度都市（ｄｅｎｓｅ  ｕｒｂａｎ）シナリオ、近郊シナリオ、都市マクロ（Ｕｒｂａｎ  Ｍａｃｒｏ）カバレージシナリオ、高速鉄道シナリオなどを含み得る。サポートされるスペクトルは、１００ＧＨｚ内のどんな周波数範囲をも含み得る。
【０００４】
５Ｇ通信システムでは、ユーザプレーンレイテンシが重要なカウンタである。異なるサービスのレイテンシ要件を満たすために、異なるサービスおよび異なるユーザ能力について、５Ｇ通信システムは、フレキシブルなハイブリッド自動再送要求（Ｈｙｂｒｉｄ  Ａｕｔｏｍａｔｉｃ  Ｒｅｐｅａｔ  ｒｅＱｕｅｓｔ、略してＨＡＲＱ）フィードバックをサポートする。言い換えれば、異なるＨＡＲＱタイミングが使用され得る。異なるサブフレームに対応するＨＡＲＱ−ＡＣＫフィードバックの量は、フレキシブルなＨＡＲＱタイミングに起因して異なり得る。結果的に、アップリンク制御情報をフィードバックするためにいくつかのサブフレーム中で少数のリソースが使用され、アップリンク制御情報をフィードバックするためにいくつかのサブフレーム中で多くのリソースが使用される。
【０００５】
現在、アップリンク制御情報を送信するために固定のアップリンク制御チャネルリソースが通常予約される。しかしながら、最大利用可能リソースに従って各サブフレーム中でアップリンク制御チャネルリソースが予約された場合、リソース利用は低減され、最小利用可能リソースに従って各サブフレーム中でアップリンク制御チャネルリソースが予約された場合、アップリンク制御チャネルは、一部のアップリンク制御情報をフィードバックするには不十分であり得、不要なデータ再送信を引き起こし、リソース利用を低減させる。
【０００６】
アップリンク制御チャネルリソースをどのようにフレキシブルに構成すべきであるかが、解決されるべき喫緊の技術的問題であることがわかろう。
【発明の概要】
【０００７】
本出願の実施形態は、アップリンク制御チャネルリソースの構成フレキシビリティおよびシステムリソース利用が改善されるように、異なるサブフレーム中でアップリンク制御チャネルリソースをフレキシブルに予約し示すための、情報送信方法、端末デバイス、およびネットワークデバイスを提供する。
【０００８】
第１の態様によれば、本出願の一実施形態は情報送信方法を提供し、本方法は、端末デバイスがダウンリンク制御情報を受信し、ダウンリンク制御情報が第１の情報を含み、第１の情報が、アップリンク制御情報を搬送するためのアップリンク制御チャネルリソースを示すために使用され、アップリンク制御チャネルリソースが第１のアップリンク制御チャネルリソースセットに属し、第１のアップリンク制御チャネルリソースセットが、異なる量のシンボルに対応する少なくとも２つのアップリンク制御チャネルリソースを含むか、または異なる量のリソースブロックに対応する少なくとも２つのアップリンク制御チャネルリソースを含むことと、端末デバイスが、第１の情報に基づいて、アップリンク制御情報を搬送するためのアップリンク制御チャネルリソースを判定することと、端末デバイスが、アップリンク制御チャネルリソースを使用することによってネットワークデバイスにアップリンク制御情報を送ることとを含み得る。
【０００９】
第１の態様において提供される情報送信方法によれば、端末デバイスはダウンリンク制御情報中で第１の情報を受信する。アップリンク制御情報を搬送するために使用され第１の情報によって示される、予約されたアップリンク制御チャネルリソースに対応するシンボルまたはリソースブロックの量は、固定ではなく、変更され得る。言い換えれば、各サブフレーム中でアップリンク制御情報を送信するために使用されるアップリンク制御チャネルリソースは、フレキシブルに変更され得る。したがって、第１の情報は、各サブフレーム中でアップリンク制御情報を送信するために使用されるアップリンク制御チャネルリソースをフレキシブルに予約し示すために使用され得る。このようにして、アップリンク制御チャネルリソースの構成フレキシビリティが改善され、システムリソース利用が改善される。
【００１０】
任意選択で、第１の態様の可能な実装では、本方法は、端末デバイスが上位レイヤシグナリングを受信することと、端末デバイスが、上位レイヤシグナリングに基づいて第１のアップリンク制御チャネルリソースセットを判定することとをさらに含み得る。
【００１１】
この可能な実装において提供される情報送信方法によれば、端末デバイスは上位レイヤシグナリングを受信し、端末デバイスは、上位レイヤシグナリングを使用することによって、ネットワークデバイスによって構成された第１のアップリンク制御チャネルリソースセット中に含まれるすべてのアップリンク制御チャネルリソースを知り得る。端末デバイスは、異なるシナリオ要件および異なるサービス要件に基づいてネットワークデバイスによってフレキシブルに構成されたシンボルまたはリソースブロックの量を知り得るので、アップリンク制御チャネルリソースの構成フレキシビリティがさらに改善され、アップリンク制御情報送信性能が保証される。
【００１２】
任意選択で、第１の態様の可能な実装では、端末デバイスが上位レイヤシグナリングに基づいて第１のアップリンク制御チャネルリソースセットを判定することは、端末デバイスが、上位レイヤシグナリングに基づいて、第１のアップリンク制御チャネルリソースセット中のアップリンク制御チャネルリソースに対応するシンボルの量を判定すること、または端末デバイスが、上位レイヤシグナリングに基づいて、第１のアップリンク制御チャネルリソースセット中のアップリンク制御チャネルリソースに対応するリソースブロックの量を判定することを含む。
【００１３】
任意選択で、第１の態様の可能な実装では、第１のアップリンク制御チャネルリソースセットが、異なる量のシンボルに対応する少なくとも２つのアップリンク制御チャネルリソースを含むことは、第１のアップリンク制御チャネルリソースセットが第１のアップリンク制御チャネルリソースを含み、第１のアップリンク制御チャネルリソースが１つのシンボルに対応することと、第１のアップリンク制御チャネルリソースセットが第２のアップリンク制御チャネルリソースをさらに含み、第２のアップリンク制御チャネルリソースが２つのシンボルに対応することとを含み得る。
【００１４】
任意選択で、第１の態様の可能な実装では、第１のアップリンク制御チャネルリソースセットが、異なる量のシンボルに対応する少なくとも２つのアップリンク制御チャネルリソースを含むことは、第１のアップリンク制御チャネルリソースセットが第３のアップリンク制御チャネルリソースを含み、第３のアップリンク制御チャネルリソースが７つのシンボルに対応することと、第１のアップリンク制御チャネルリソースセットが第４のアップリンク制御チャネルリソースをさらに含み、第４のアップリンク制御チャネルリソースが１４個のシンボルに対応することとを含み得る。
【００１５】
任意選択で、第１の態様の可能な実装では、第１のアップリンク制御チャネルリソースセットが、異なる量のシンボルに対応する少なくとも２つのアップリンク制御チャネルリソースを含むことは、第１のアップリンク制御チャネルリソースセットが第１のアップリンク制御チャネルリソースを含み、第１のアップリンク制御チャネルリソースが１つのシンボルに対応することと、第１のアップリンク制御チャネルリソースセットが第２のアップリンク制御チャネルリソースをさらに含み、第２のアップリンク制御チャネルリソースが２つのシンボルに対応することと、第１のアップリンク制御チャネルリソースセットが第５のアップリンク制御チャネルリソースをさらに含み、第３のアップリンク制御チャネルリソースが３つのシンボルに対応することと、第１のアップリンク制御チャネルリソースセットが第６のアップリンク制御チャネルリソースをさらに含み、第４のアップリンク制御チャネルリソースが４つのシンボルに対応することとを含み得る。
【００１６】
任意選択で、第１の態様の可能な実装では、第１のアップリンク制御チャネルリソースセットが、異なる量のリソースブロックに対応する少なくとも２つのアップリンク制御チャネルリソースを含むことは、第１のアップリンク制御チャネルリソースセットが第７のアップリンク制御チャネルリソースを含み、第７のアップリンク制御チャネルリソースが１つのリソースブロックに対応することと、第１のアップリンク制御チャネルリソースセットが第８のアップリンク制御チャネルリソースをさらに含み、第８のアップリンク制御チャネルリソースが２つのリソースブロックに対応することとを含み得る。
【００１７】
任意選択で、第１の態様の可能な実装では、第１のアップリンク制御チャネルリソースセットが、異なる量のリソースブロックに対応する少なくとも２つのアップリンク制御チャネルリソースを含むことは、第１のアップリンク制御チャネルリソースセットが第９のアップリンク制御チャネルリソースを含み、第９のアップリンク制御チャネルリソースが３つのリソースブロックに対応することと、第１のアップリンク制御チャネルリソースセットが第１０のアップリンク制御チャネルリソースをさらに含み、第１０のアップリンク制御チャネルリソースが４つのリソースブロックに対応することとを含み得る。
【００１８】
上記の５つの可能な実装において提供される情報送信方法によれば、アップリンク制御情報を搬送するために使用され第１の情報によって示されるアップリンク制御チャネルリソースに対応するシンボルまたはリソースブロックの量は、上記の実装のいずれか１つであり得る。したがって、第１の情報は、アップリンク制御チャネルリソースのリソースブロックの量をフレキシブルに予約し示すために使用され得る。このようにして、アップリンク制御チャネルリソースの構成フレキシビリティが改善される。
【００１９】
任意選択で、第１の態様の可能な実装では、端末デバイスがダウンリンク制御情報を受信し、ダウンリンク制御情報が第１の情報を含み、第１の情報が、アップリンク制御情報を搬送するためのアップリンク制御チャネルリソースを示すために使用されることは、端末デバイスがダウンリンク制御チャネルを受信し、ダウンリンク制御チャネル上で搬送されるダウンリンク制御情報が第１の情報を含み、第１の情報が、アップリンク制御情報を搬送するためのアップリンク制御チャネルリソースを示すために使用されること、または端末デバイスがダウンリンク制御チャネルを受信し、ダウンリンク制御チャネルに対応するダウンリンク制御情報フォーマットが第１の情報フィールドを含み、第１の情報フィールドが、アップリンク制御情報を搬送するためのアップリンク制御チャネルリソースを示すために使用されること、または端末デバイスがダウンリンク制御情報フォーマットを検出し、ダウンリンク制御情報フォーマットが第１の情報フィールドを含み、第１の情報フィールドが、アップリンク制御情報を搬送するためのアップリンク制御チャネルリソースを示すために使用されることを含み得る。
【００２０】
この可能な実装において提供される情報送信方法は、端末デバイスによってダウンリンク制御チャネルを受信する特定の実装を提供する。これは情報送信フレキシビリティを改善する。
【００２１】
任意選択で、第１の態様の可能な実装では、アップリンク制御チャネルリソースは、アップリンク制御チャネルに対応する時間周波数領域リソースおよび／またはコードリソースであり得る。
【００２２】
任意選択で、第１の態様の可能な実装では、コードリソースは、アップリンク制御チャネルに対応するシーケンスのサイクリックシフトおよび／または直交拡散コードであり得る。
【００２３】
任意選択で、第１の態様の可能な実装では、端末デバイスが上位レイヤシグナリングに基づいて第１のアップリンク制御チャネルリソースセットを判定することは、端末デバイスが、上位レイヤシグナリングに基づいて、第１のアップリンク制御チャネルリソースセット中のアップリンク制御チャネルリソースに対応するシンボルの量、もしくは第１のアップリンク制御チャネルリソースセット中のアップリンク制御チャネルリソースに対応するリソースブロックの量を判定すること、または端末デバイスが、上位レイヤシグナリングに基づいて、第１のアップリンク制御チャネルリソースセット中のアップリンク制御チャネルリソースに対応するリソースインデックスを判定すること、または端末デバイスが、上位レイヤシグナリングに基づいて、第１のアップリンク制御チャネルリソースセット中のアップリンク制御チャネルリソースに対応するリソースインデックスを判定し、端末デバイスが、リソースインデックスに基づいて、リソースインデックスに対応するシンボルもしくはリソースブロックの量を判定することを含み得る。
【００２４】
任意選択で、第１の態様の可能な実装では、第１の情報が２ビット情報フィールドに対応する場合、第１の情報が、アップリンク制御情報を搬送するためのアップリンク制御チャネルリソースを示すために使用されることは、第１の情報に対応する２ビット情報フィールドが００である場合、アップリンク制御情報を搬送するためのアップリンク制御チャネルリソースが第１のアップリンク制御チャネルリソースであること、第１の情報に対応する２ビット情報フィールドが０１である場合、アップリンク制御情報を搬送するためのアップリンク制御チャネルリソースが第２のアップリンク制御チャネルリソースであること、第１の情報に対応する２ビット情報フィールドが１０である場合、アップリンク制御情報を搬送するためのアップリンク制御チャネルリソースが第３のアップリンク制御チャネルリソースであること、または第１の情報に対応する２ビット情報フィールドが１１である場合、アップリンク制御情報を搬送するためのアップリンク制御チャネルリソースが第４のアップリンク制御チャネルリソースであることであり得る。
【００２５】
この可能な実装において提供される情報送信方法によれば、アップリンク制御情報を搬送するために使用され第１の情報によって示されるアップリンク制御チャネルリソースに対応するシンボルまたはリソースブロックの量は変動する。したがって、第１の情報は、アップリンク制御チャネルリソースのリソースブロックの量をフレキシブルに予約し示すために使用され得る。このようにして、アップリンク制御チャネルリソースの構成フレキシビリティが改善される。
【００２６】
第２の態様によれば、本出願の一実施形態は情報送信方法を提供し、本方法は、ネットワークデバイスがダウンリンク制御情報を送り、ダウンリンク制御情報が第１の情報を含み、第１の情報が、アップリンク制御情報を搬送するためのアップリンク制御チャネルリソースを示すために使用され、アップリンク制御チャネルリソースが第１のアップリンク制御チャネルリソースセットに属し、第１のアップリンク制御チャネルリソースセットが、異なる量のシンボルに対応する少なくとも２つのアップリンク制御チャネルリソースを含むか、または異なる量のリソースブロックに対応する少なくとも２つのアップリンク制御チャネルリソースを含むことと、ネットワークデバイスが、アップリンク制御情報を搬送するためのアップリンク制御チャネルリソース上で、端末デバイスによって送られたアップリンク制御情報を受信することとを含み得る。
【００２７】
第２の態様において提供される情報送信方法によれば、ネットワークデバイスはダウンリンク制御情報を送り、ダウンリンク制御情報は第１の情報を含み、アップリンク制御情報を搬送するために使用され第１の情報によって示される、予約されたアップリンク制御チャネルリソースに対応するシンボルまたはリソースブロックの量は、固定ではなく、変更され得る。したがって、第１の情報は、各サブフレーム中でアップリンク制御情報を送信するために使用されるアップリンク制御チャネルリソースをフレキシブルに予約し示すために使用され得る。このようにして、アップリンク制御チャネルリソースの構成フレキシビリティが改善され、システムリソース利用が改善される。
【００２８】
任意選択で、第２の態様の可能な実装では、本方法は、ネットワークデバイスが上位レイヤシグナリングを送り、上位レイヤシグナリングが、第１のアップリンク制御チャネルリソースセットを示すために使用されることをさらに含み得る。
【００２９】
この可能な実装において提供される情報送信方法によれば、ネットワークデバイスは、異なるシナリオ要件および異なるサービス送信要件を満たすように、必要とされるシンボルまたはリソースブロックの量をフレキシブルに構成し得、ネットワークデバイスは、上位レイヤシグナリングを使用することによって端末デバイスのために第１のアップリンク制御チャネルリソースセット中に含まれるすべてのアップリンク制御チャネルリソースを構成し得る。このようにして、アップリンク制御チャネルリソースの構成フレキシビリティがさらに改善され、アップリンク制御情報送信性能が保証される。
【００３０】
任意選択で、第２の態様の可能な実装では、上位レイヤシグナリングが、第１のアップリンク制御チャネルリソースセットを示すために使用されることは、上位レイヤシグナリングが、第１のアップリンク制御チャネルリソースセット中のアップリンク制御チャネルリソースに対応するシンボルの量を示すために使用されること、または上位レイヤシグナリングが、第１のアップリンク制御チャネルリソースセット中のアップリンク制御チャネルリソースに対応するリソースブロックの量を示すために使用されることを含む。
【００３１】
任意選択で、第２の態様の可能な実装では、第１のアップリンク制御チャネルリソースセットが、異なる量のシンボルに対応する少なくとも２つのアップリンク制御チャネルリソースを含むことは、第１のアップリンク制御チャネルリソースセットが第１のアップリンク制御チャネルリソースを含み、第１のアップリンク制御チャネルリソースが１つのシンボルに対応することと、第１のアップリンク制御チャネルリソースセットが第２のアップリンク制御チャネルリソースをさらに含み、第２のアップリンク制御チャネルリソースが２つのシンボルに対応することとを含み得る。
【００３２】
任意選択で、第２の態様の可能な実装では、第１のアップリンク制御チャネルリソースセットが、異なる量のシンボルに対応する少なくとも２つのアップリンク制御チャネルリソースを含むことは、第１のアップリンク制御チャネルリソースセットが第３のアップリンク制御チャネルリソースを含み、第３のアップリンク制御チャネルリソースが７つのシンボルに対応することと、第１のアップリンク制御チャネルリソースセットが第４のアップリンク制御チャネルリソースをさらに含み、第４のアップリンク制御チャネルリソースが１４個のシンボルに対応することとを含み得る。
【００３３】
任意選択で、第２の態様の可能な実装では、第１のアップリンク制御チャネルリソースセットが、異なる量のリソースブロックに対応する少なくとも２つのアップリンク制御チャネルリソースを含むことは、第１のアップリンク制御チャネルリソースセットが第７のアップリンク制御チャネルリソースを含み、第７のアップリンク制御チャネルリソースが１つのリソースブロックに対応することと、第１のアップリンク制御チャネルリソースセットが第８のアップリンク制御チャネルリソースをさらに含み、第８のアップリンク制御チャネルリソースが２つのリソースブロックに対応することとを含み得る。
【００３４】
任意選択で、第２の態様の可能な実装では、第１のアップリンク制御チャネルリソースセットが、異なる量のリソースブロックに対応する少なくとも２つのアップリンク制御チャネルリソースを含むことは、第１のアップリンク制御チャネルリソースセットが第９のアップリンク制御チャネルリソースを含み、第９のアップリンク制御チャネルリソースが３つのリソースブロックに対応することと、第１のアップリンク制御チャネルリソースセットが第１０のアップリンク制御チャネルリソースをさらに含み、第１０のアップリンク制御チャネルリソースが４つのリソースブロックに対応することとを含み得る。
【００３５】
上記の４つの可能な実装において提供される情報送信方法によれば、アップリンク制御情報を搬送するために使用され第１の情報によって示されるアップリンク制御チャネルリソースに対応するシンボルまたはリソースブロックの量は変動する。したがって、第１の情報は、アップリンク制御チャネルリソースのリソースブロックの量をフレキシブルに予約し示すために使用され得る。このようにして、アップリンク制御チャネルリソースの構成フレキシビリティが改善される。
【００３６】
第３の態様によれば、本出願の一実施形態は情報送信方法を提供し、本方法は、端末デバイスがダウンリンク制御情報を受信し、ダウンリンク制御情報が第１の情報を含み、第１の情報が、アップリンク制御情報を搬送するためのアップリンク制御チャネルリソースを示すために使用され、アップリンク制御チャネルリソースが第１のアップリンク制御チャネルリソースセットに属し、第１のアップリンク制御チャネルリソースセットが、第２のアップリンク制御チャネルリソースセットおよび第３のアップリンク制御チャネルリソースセットを含み、第２のアップリンク制御チャネルリソースセット中に含まれるアップリンク制御チャネルリソースに対応するリソースインデックスが、第１に周波数領域および第２に時間領域の方式でソートされ、第３のアップリンク制御チャネルリソースセット中に含まれるアップリンク制御チャネルリソースに対応するリソースインデックスが、周波数領域においてソートされることと、端末デバイスが、第１の情報に基づいて、アップリンク制御情報を搬送するためのアップリンク制御チャネルリソースを判定することと、端末デバイスが、アップリンク制御チャネルリソースを使用することによってネットワークデバイスにアップリンク制御情報を送ることとを含む。
【００３７】
第３の態様において提供される情報送信方法によれば、アップリンク制御情報を搬送するために使用され第１の情報によって示される、予約されたアップリンク制御チャネルリソースに対応するリソースインデックスは、固定ではなく、異なるソート方式に基づいて変更され得る。言い換えれば、各サブフレーム中でアップリンク制御情報を送信するために使用されるアップリンク制御チャネルリソースは、フレキシブルに変更され得る。したがって、第１の情報は、各サブフレーム中でアップリンク制御情報を送信するために使用されるアップリンク制御チャネルリソースをフレキシブルに予約し示すために使用され得る。このようにして、アップリンク制御チャネルリソースの構成フレキシビリティが改善される。
【００３８】
任意選択で、第３の態様の可能な実装では、第２のアップリンク制御チャネルリソースセット中に含まれるアップリンク制御チャネルリソースに対応するシンボルの量は、第３のアップリンク制御チャネルリソースセット中に含まれるアップリンク制御チャネルリソースに対応するシンボルの量よりも少ない。
【００３９】
任意選択で、第３の態様の可能な実装では、ダウンリンク制御情報は第４の情報をさらに含み、端末デバイスが、第１の情報に基づいて、アップリンク制御情報を搬送するためのアップリンク制御チャネルリソースを判定することは、端末デバイスが、第４の情報に基づいて、アップリンク制御情報を搬送するためのアップリンク制御チャネルリソースが属するリソースセットを判定し、アップリンク制御チャネルリソースが属するリソースセットが、第２のアップリンク制御チャネルリソースセットまたは第３のアップリンク制御チャネルリソースセットであることと、端末デバイスが、第１の情報とアップリンク制御チャネルリソースが属するリソースセットとに基づいて、アップリンク制御情報を搬送するためのアップリンク制御チャネルリソースを判定することとを含む。
【００４０】
第４の態様によれば、本出願の一実施形態は情報送信方法を提供し、本方法は、ネットワークデバイスがダウンリンク制御情報を送り、ダウンリンク制御情報が第１の情報を含み、第１の情報が、アップリンク制御情報を搬送するためのアップリンク制御チャネルリソースを示すために使用され、アップリンク制御チャネルリソースが第１のアップリンク制御チャネルリソースセットに属し、第１のアップリンク制御チャネルリソースセットが、第２のアップリンク制御チャネルリソースセットおよび第３のアップリンク制御チャネルリソースセットを含み、第２のアップリンク制御チャネルリソースセット中に含まれるアップリンク制御チャネルリソースに対応するリソースインデックスが、第１に周波数領域および第２に時間領域の方式でソートされ、第３のアップリンク制御チャネルリソースセット中に含まれるアップリンク制御チャネルリソースに対応するリソースインデックスが、周波数領域においてソートされることと、ネットワークデバイスが、アップリンク制御情報を搬送するためのアップリンク制御チャネルリソース上で、端末デバイスによって送られたアップリンク制御情報を受信することとを含む。
【００４１】
第４の態様において提供される情報送信方法によれば、アップリンク制御情報を搬送するために使用され第１の情報によって示される、予約されたアップリンク制御チャネルリソースに対応するリソースインデックスは、固定ではなく、異なるソート方式に基づいて変更され得る。したがって、第１の情報は、各サブフレーム中でアップリンク制御情報を送信するために使用されるアップリンク制御チャネルリソースをフレキシブルに予約し示すために使用され得る。このようにして、アップリンク制御チャネルリソースの構成フレキシビリティが改善される。
【００４２】
任意選択で、第４の態様の可能な実装では、ダウンリンク制御情報は第４の情報をさらに含み、第４の情報は、アップリンク制御情報を搬送するためのアップリンク制御チャネルリソースが属するリソースセットを示すために使用され、アップリンク制御チャネルリソースが属するリソースセットは、第２のアップリンク制御チャネルリソースセットまたは第３のアップリンク制御チャネルリソースセットである。
【００４３】
第５の態様によれば、本出願の一実施形態は情報送信方法を提供し、本方法は、端末デバイスがダウンリンク制御情報を受信し、ダウンリンク制御情報が第１の情報を含み、第１の情報が、アップリンク制御情報を搬送するためのアップリンク制御チャネルリソースを示すために使用され、アップリンク制御チャネルリソースが第１のアップリンク制御チャネルリソースセットに属し、第１のアップリンク制御チャネルリソースセットが、第４のアップリンク制御チャネルリソースセットおよび第５のアップリンク制御チャネルリソースセットを含み、第４のアップリンク制御チャネルリソースセット中に含まれるアップリンク制御チャネルリソースが第１のスロットに対応し、第５のアップリンク制御チャネルリソースセット中に含まれるアップリンク制御チャネルリソースが第２のスロットに対応することと、端末デバイスが、第１の情報に基づいて、アップリンク制御情報を搬送するためのアップリンク制御チャネルリソースを判定することと、端末デバイスが、アップリンク制御チャネルリソースを使用することによってネットワークデバイスにアップリンク制御情報を送ることとを含み得る。
【００４４】
第５の態様において提供される情報送信方法によれば、アップリンク制御情報を搬送するために使用され第１の情報によって示される、予約されたアップリンク制御チャネルリソースに対応するスロットは、固定ではなく、変更され得る。言い換えれば、各サブフレーム中でアップリンク制御情報を送信するために使用されるアップリンク制御チャネルリソースは、フレキシブルに変更され得る。したがって、第１の情報は、各サブフレーム中でアップリンク制御情報を送信するために使用されるアップリンク制御チャネルリソースをフレキシブルに予約し示すために使用され得る。このようにして、アップリンク制御チャネルリソースの構成フレキシビリティが改善される。
【００４５】
任意選択で、第５の態様の可能な実装では、第１のスロットおよび第２のスロットは同じサブフレームに属する。
【００４６】
第６の態様によれば、本出願の一実施形態は情報送信方法を提供し、本方法は、ネットワークデバイスがダウンリンク制御情報を送り、ダウンリンク制御情報が第１の情報を含み、第１の情報が、アップリンク制御情報を搬送するためのアップリンク制御チャネルリソースを示すために使用され、アップリンク制御チャネルリソースが第１のアップリンク制御チャネルリソースセットに属し、第１のアップリンク制御チャネルリソースセットが、第４のアップリンク制御チャネルリソースセットおよび第５のアップリンク制御チャネルリソースセットを含み、第４のアップリンク制御チャネルリソースセット中に含まれるアップリンク制御チャネルリソースが第１のスロットに対応し、第５のアップリンク制御チャネルリソースセット中に含まれるアップリンク制御チャネルリソースが第２のスロットに対応することと、ネットワークデバイスが、アップリンク制御情報を搬送するためのアップリンク制御チャネルリソース上で、端末デバイスによって送られたアップリンク制御情報を受信することとを含み得る。
【００４７】
第６の態様において提供される情報送信方法によれば、アップリンク制御情報を搬送するために使用され第１の情報によって示される、予約されたアップリンク制御チャネルリソースに対応するスロットは、固定ではなく、変更され得る。言い換えれば、各サブフレーム中でアップリンク制御情報を送信するために使用されるアップリンク制御チャネルリソースは、フレキシブルに変更され得る。したがって、第１の情報は、各サブフレーム中でアップリンク制御情報を送信するために使用されるアップリンク制御チャネルリソースをフレキシブルに予約し示すために使用され得る。このようにして、アップリンク制御チャネルリソースの構成フレキシビリティが改善される。
【００４８】
任意選択で、第６の態様の可能な実装では、第１のスロットおよび第２のスロットは同じサブフレームに属する。
【００４９】
第７の態様によれば、本出願の一実施形態は端末装置を提供し、端末装置は、ダウンリンク制御情報を受信するように構成されたトランシーバユニットであって、ダウンリンク制御情報が第１の情報を含み、第１の情報が、アップリンク制御情報を搬送するためのアップリンク制御チャネルリソースを示すために使用され、アップリンク制御チャネルリソースが第１のアップリンク制御チャネルリソースセットに属し、第１のアップリンク制御チャネルリソースセットが、異なる量のシンボルに対応する少なくとも２つのアップリンク制御チャネルリソースを含むか、または異なる量のリソースブロックに対応する少なくとも２つのアップリンク制御チャネルリソースを含む、トランシーバユニットと、第１の情報に基づいて、アップリンク制御情報を搬送するためのアップリンク制御チャネルリソースを判定するように構成された処理ユニットとを含んでよく、トランシーバユニットは、アップリンク制御チャネルリソースを使用することによってネットワークデバイスにアップリンク制御情報を送るようにさらに構成される。
【００５０】
任意選択で、第７の態様の可能な実装では、トランシーバユニットは、上位レイヤシグナリングを受信するようにさらに構成され、処理ユニットは、上位レイヤシグナリングに基づいて第１のアップリンク制御チャネルリソースセットを判定するようにさらに構成される。
【００５１】
任意選択で、第７の態様の可能な実装では、処理ユニットは、上位レイヤシグナリングに基づいて、第１のアップリンク制御チャネルリソースセット中のアップリンク制御チャネルリソースに対応するシンボルの量を判定すること、または上位レイヤシグナリングに基づいて、第１のアップリンク制御チャネルリソースセット中のアップリンク制御チャネルリソースに対応するリソースブロックの量を判定することを行うように特に構成される。
【００５２】
任意選択で、第７の態様の可能な実装では、第１のアップリンク制御チャネルリソースセットが、異なる量のシンボルに対応する少なくとも２つのアップリンク制御チャネルリソースを含むことは、第１のアップリンク制御チャネルリソースセットが第１のアップリンク制御チャネルリソースを含み、第１のアップリンク制御チャネルリソースが１つのシンボルに対応することと、第１のアップリンク制御チャネルリソースセットが第２のアップリンク制御チャネルリソースをさらに含み、第２のアップリンク制御チャネルリソースが２つのシンボルに対応することとを含む。
【００５３】
任意選択で、第７の態様の可能な実装では、第１のアップリンク制御チャネルリソースセットが、異なる量のシンボルに対応する少なくとも２つのアップリンク制御チャネルリソースを含むことは、第１のアップリンク制御チャネルリソースセットが第３のアップリンク制御チャネルリソースを含み、第３のアップリンク制御チャネルリソースが７つのシンボルに対応することと、第１のアップリンク制御チャネルリソースセットが第４のアップリンク制御チャネルリソースをさらに含み、第４のアップリンク制御チャネルリソースが１４個のシンボルに対応することとを含む。
【００５４】
第８の態様によれば、本出願の一実施形態はネットワーク装置を提供し、ネットワーク装置は、ダウンリンク制御情報を送るように構成されたトランシーバユニットであって、ダウンリンク制御情報が第１の情報を含み、第１の情報が、アップリンク制御情報を搬送するためのアップリンク制御チャネルリソースを示すために使用され、アップリンク制御チャネルリソースが第１のアップリンク制御チャネルリソースセットに属し、第１のアップリンク制御チャネルリソースセットが、異なる量のシンボルに対応する少なくとも２つのアップリンク制御チャネルリソースを含むか、または異なる量のリソースブロックに対応する少なくとも２つのアップリンク制御チャネルリソースを含む、トランシーバユニットを含んでよく、トランシーバユニットは、アップリンク制御情報を搬送するためのアップリンク制御チャネルリソース上で、端末デバイスによって送られたアップリンク制御情報を受信するようにさらに構成される。
【００５５】
任意選択で、第８の態様の可能な実装では、トランシーバユニットは、上位レイヤシグナリングを送ることであって、上位レイヤシグナリングが、第１のアップリンク制御チャネルリソースセットを示すために使用される、ことを行うようにさらに構成される。
【００５６】
任意選択で、第８の態様の可能な実装では、上位レイヤシグナリングが、第１のアップリンク制御チャネルリソースセットを示すために使用されることは、上位レイヤシグナリングが、第１のアップリンク制御チャネルリソースセット中のアップリンク制御チャネルリソースに対応するシンボルの量を示すために使用されること、または上位レイヤシグナリングが、第１のアップリンク制御チャネルリソースセット中のアップリンク制御チャネルリソースに対応するリソースブロックの量を示すために使用されることを含む。
【００５７】
任意選択で、第８の態様の可能な実装では、第１のアップリンク制御チャネルリソースセットが、異なる量のシンボルに対応する少なくとも２つのアップリンク制御チャネルリソースを含むことは、第１のアップリンク制御チャネルリソースセットが第１のアップリンク制御チャネルリソースを含み、第１のアップリンク制御チャネルリソースが１つのシンボルに対応することと、第１のアップリンク制御チャネルリソースセットが第２のアップリンク制御チャネルリソースをさらに含み、第２のアップリンク制御チャネルリソースが２つのシンボルに対応することとを含む。
【００５８】
任意選択で、第８の態様の可能な実装では、第１のアップリンク制御チャネルリソースセットが、異なる量のシンボルに対応する少なくとも２つのアップリンク制御チャネルリソースを含むことは、第１のアップリンク制御チャネルリソースセットが第３のアップリンク制御チャネルリソースを含み、第３のアップリンク制御チャネルリソースが７つのシンボルに対応することと、第１のアップリンク制御チャネルリソースセットが第４のアップリンク制御チャネルリソースをさらに含み、第４のアップリンク制御チャネルリソースが１４個のシンボルに対応することとを含む。
【００５９】
第９の態様によれば、本出願の一実施形態は端末装置を提供し、端末装置は、ダウンリンク制御情報を受信するように構成されたトランシーバユニットであって、ダウンリンク制御情報が第１の情報を含み、第１の情報が、アップリンク制御情報を搬送するためのアップリンク制御チャネルリソースを示すために使用され、アップリンク制御チャネルリソースが第１のアップリンク制御チャネルリソースセットに属し、第１のアップリンク制御チャネルリソースセットが、第２のアップリンク制御チャネルリソースセットおよび第３のアップリンク制御チャネルリソースセットを含み、第２のアップリンク制御チャネルリソースセット中に含まれるアップリンク制御チャネルリソースに対応するリソースインデックスが、第１に周波数領域および第２に時間領域の方式でソートされ、第３のアップリンク制御チャネルリソースセット中に含まれるアップリンク制御チャネルリソースに対応するリソースインデックスが、周波数領域においてソートされる、トランシーバユニットと、第１の情報に基づいて、アップリンク制御情報を搬送するためのアップリンク制御チャネルリソースを判定するように構成された処理ユニットとを含んでよく、トランシーバユニットは、アップリンク制御チャネルリソースを使用することによってネットワークデバイスにアップリンク制御情報を送るようにさらに構成される。
【００６０】
任意選択で、第９の態様の可能な実装では、第２のアップリンク制御チャネルリソースセット中に含まれるアップリンク制御チャネルリソースに対応するシンボルの量は、第３のアップリンク制御チャネルリソースセット中に含まれるアップリンク制御チャネルリソースに対応するシンボルの量よりも少ない。
【００６１】
任意選択で、第９の態様の可能な実装では、ダウンリンク制御情報は第４の情報をさらに含み、処理ユニットは、第４の情報に基づいて、アップリンク制御情報を搬送するためのアップリンク制御チャネルリソースが属するリソースセットを判定することであって、アップリンク制御チャネルリソースが属するリソースセットが、第２のアップリンク制御チャネルリソースセットまたは第３のアップリンク制御チャネルリソースセットである、ことと、第１の情報とアップリンク制御チャネルリソースが属するリソースセットとに基づいて、アップリンク制御情報を搬送するためのアップリンク制御チャネルリソースを判定することとを行うように特に構成される。
【００６２】
第１０の態様によれば、本出願の一実施形態はネットワークデバイスを提供し、ネットワークデバイスは、ダウンリンク制御情報を送るように構成されたトランシーバユニットであって、ダウンリンク制御情報が第１の情報を含み、第１の情報が、アップリンク制御情報を搬送するためのアップリンク制御チャネルリソースを示すために使用され、アップリンク制御チャネルリソースが第１のアップリンク制御チャネルリソースセットに属し、第１のアップリンク制御チャネルリソースセットが、第２のアップリンク制御チャネルリソースセットおよび第３のアップリンク制御チャネルリソースセットを含み、第２のアップリンク制御チャネルリソースセット中に含まれるアップリンク制御チャネルリソースに対応するリソースインデックスが、第１に周波数領域および第２に時間領域の方式でソートされ、第３のアップリンク制御チャネルリソースセット中に含まれるアップリンク制御チャネルリソースに対応するリソースインデックスが、周波数領域においてソートされる、トランシーバユニットを含んでよく、トランシーバユニットは、アップリンク制御情報を搬送するためのアップリンク制御チャネルリソース上で、端末デバイスによって送られたアップリンク制御情報を受信するようにさらに構成される。
【００６３】
任意選択で、第１０の態様の可能な実装では、ダウンリンク制御情報は第４の情報をさらに含み、第４の情報は、アップリンク制御情報を搬送するためのアップリンク制御チャネルリソースが属するリソースセットを示すために使用され、アップリンク制御チャネルリソースが属するリソースセットは、第２のアップリンク制御チャネルリソースセットまたは第３のアップリンク制御チャネルリソースセットである。
【００６４】
第１１の態様によれば、本出願の一実施形態は端末デバイスを提供し、端末デバイスは、ダウンリンク制御情報を受信するように構成されたトランシーバユニットであって、ダウンリンク制御情報が第１の情報を含み、第１の情報が、アップリンク制御情報を搬送するためのアップリンク制御チャネルリソースを示すために使用され、アップリンク制御チャネルリソースが第１のアップリンク制御チャネルリソースセットに属し、第１のアップリンク制御チャネルリソースセットが、第４のアップリンク制御チャネルリソースセットおよび第５のアップリンク制御チャネルリソースセットを含み、第４のアップリンク制御チャネルリソースセット中に含まれるアップリンク制御チャネルリソースが第１のスロットに対応し、第５のアップリンク制御チャネルリソースセット中に含まれるアップリンク制御チャネルリソースが第２のスロットに対応する、トランシーバユニットと、第１の情報に基づいて、アップリンク制御情報を搬送するためのアップリンク制御チャネルリソースを判定するように構成された処理ユニットとを含んでよく、トランシーバユニットは、アップリンク制御チャネルリソースを使用することによってネットワークデバイスにアップリンク制御情報を送るようにさらに構成される。
【００６５】
任意選択で、第１１の態様の可能な実装では、第１のスロットおよび第２のスロットは同じサブフレームに属する。
【００６６】
第１２の態様によれば、本出願の一実施形態はネットワークデバイスを提供し、ネットワークデバイスは、ダウンリンク制御情報を送るように構成されたトランシーバユニットであって、ダウンリンク制御情報が第１の情報を含み、第１の情報が、アップリンク制御情報を搬送するためのアップリンク制御チャネルリソースを示すために使用され、アップリンク制御チャネルリソースが第１のアップリンク制御チャネルリソースセットに属し、第１のアップリンク制御チャネルリソースセットが、第４のアップリンク制御チャネルリソースセットおよび第５のアップリンク制御チャネルリソースセットを含み、第４のアップリンク制御チャネルリソースセット中に含まれるアップリンク制御チャネルリソースが第１のスロットに対応し、第５のアップリンク制御チャネルリソースセット中に含まれるアップリンク制御チャネルリソースが第２のスロットに対応する、トランシーバユニットを含んでよく、トランシーバユニットは、アップリンク制御情報を搬送するためのアップリンク制御チャネルリソース上で、端末デバイスによって送られたアップリンク制御情報を受信するようにさらに構成される。
【００６７】
任意選択で、第１２の態様の可能な実装では、第１のスロットおよび第２のスロットは同じサブフレームに属する。
【００６８】
本出願の実施形態は、情報送信方法、端末デバイス、およびネットワークデバイスを提供する。情報送信方法は、ネットワークデバイスがダウンリンク制御情報を送り、ダウンリンク制御情報が第１の情報を含むことと、端末デバイスが、ダウンリンク制御情報を受信し、第１の情報に基づいて、アップリンク制御情報を搬送するためのアップリンク制御チャネルリソースを判定し、アップリンク制御チャネルリソースを使用することによってネットワークデバイスにアップリンク制御情報を送ることと、ネットワークデバイスが、アップリンク制御情報を搬送するためのアップリンク制御チャネルリソース上で、端末デバイスによって送られたアップリンク制御情報を受信することとを含み得る。したがって、本出願の実施形態において提供される情報送信方法によれば、第１の情報は、各サブフレーム中でアップリンク制御情報を送信するために使用されるアップリンク制御チャネルリソースをフレキシブルに予約し示すために使用され得る。このようにして、アップリンク制御チャネルリソースの構成フレキシビリティが改善され、システムリソース利用が改善される。
【図面の簡単な説明】
【００６９】
【図１】５Ｇ通信システムにおけるサブフレームタイプの概略図である。
【図２】本出願の一実施形態による情報送信方法の実施形態１の概略フローチャートである。
【図３】本出願の一実施形態による情報送信方法の実施形態１におけるアップリンク制御チャネルリソースの概略構造図である。
【図４】本出願の一実施形態による情報送信方法の実施形態１におけるアップリンク制御チャネルリソースの別の概略構造図である。
【図５】本出願の一実施形態による情報送信方法の実施形態２の概略フローチャートである。
【図６】本出願の一実施形態による情報送信方法の実施形態２におけるアップリンク制御チャネルリソースの概略構造図である。
【図７】本出願の一実施形態による情報送信方法の実施形態２におけるアップリンク制御チャネルリソースの別の概略構造図である。
【図８】本出願の一実施形態による情報送信方法の実施形態２におけるアップリンク制御チャネルリソースのさらに別の概略構造図である。
【図９】本出願の一実施形態による情報送信方法の実施形態３の概略フローチャートである。
【図１０】本出願の一実施形態による情報送信方法の実施形態３におけるアップリンク制御チャネルリソースの概略構造図である。
【図１１】本出願の一実施形態による端末デバイスの実施形態１の概略構造図である。
【図１２】本出願の一実施形態によるネットワークデバイスの実施形態１の概略構造図である。
【図１３】本出願の一実施形態による端末デバイスの実施形態２の概略構造図である。
【図１４】本出願の一実施形態によるネットワークデバイスの実施形態２の概略構造図である。
【発明を実施するための形態】
【００７０】
本出願の実施形態における端末デバイス（ユーザ機器ＵＥ、Ｕｓｅｒ  Ｅｑｕｉｐｍｅｎｔとも呼ばれる）は、モバイルフォンまたはタブレットコンピュータなどのワイヤレス端末であり得る。ワイヤレス端末は、ユーザに音声および／またはデータサービスを提供するデバイスを含む。任意選択で、デバイスは、ワイヤレスモデムに接続されたワイヤレス接続機能または別の処理デバイスをもつハンドヘルドデバイスであり得る。加えて、ワイヤレス端末は、無線アクセスネットワーク（ＲＡＮ、Ｒａｄｉｏ  Ａｃｃｅｓｓ  Ｎｅｔｗｏｒｋ）を使用することによって１つまたは複数のコアネットワークと通信し得る。たとえば、ワイヤレス端末は、特に、モバイルフォン（または「セルラー」フォンと呼ばれる）などのモバイル端末およびモバイル端末をもつコンピュータであり得る。モバイル端末をもつコンピュータは、コアネットワークと音声および／またはデータを交換することができるポータブル、ポケットサイズ、ハンドヘルド、コンピュータ内蔵、または車載モバイル装置であり得る。たとえば、モバイル端末をもつコンピュータは、パーソナル通信サービス（ＰＣＳ、Ｐｅｒｓｏｎａｌ  Ｃｏｍｍｕｎｉｃａｔｉｏｎｓ  Ｓｅｒｖｉｃｅ）フォン、コードレス電話機、セッション開始プロトコル（ＳＩＰ）フォン、ワイヤレスローカルループ（ＷＬＬ、Ｗｉｒｅｌｅｓｓ  Ｌｏｃａｌ  Ｌｏｏｐ）局、または携帯情報端末（ＰＤＡ、Ｐｅｒｓｏｎａｌ  Ｄｉｇｉｔａｌ  Ａｓｓｉｓｔａｎｔ）などのデバイスであり得る。ワイヤレス端末は、システム、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、モバイルコンソール（Ｍｏｂｉｌｅ）、リモート局（Ｒｅｍｏｔｅ  Ｓｔａｔｉｏｎ）、アクセスポイント（Ａｃｃｅｓｓ  Ｐｏｉｎｔ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）、またはユーザ機器（Ｕｓｅｒ  Ｅｑｕｉｐｍｅｎｔ）と呼ばれることもある。代替として、本出願の実施形態における端末デバイスは、Ｖ２Ｘ（Ｖｅｈｉｃｌｅ  ｔｏ  Ｘ）通信している車両などであり得る。
【００７１】
本出願の実施形態におけるネットワークデバイスは、セルラー通信ネットワーク中の任意のデバイス、たとえば、（アクセスポイントなどの）基地局であってよく、基地局は、アクセスネットワーク中にあり、１つまたは複数のセクタを使用することによってエアインターフェースを介してワイヤレス端末と通信するデバイスであってよい。基地局は、受信されたオーバージエアフレームとＩＰパケットとを相互に変換し、ワイヤレス端末とアクセスネットワークの残りの部分との間のルータとして働くように構成されることがあり、アクセスネットワークの残りの部分はインターネットプロトコル（ＩＰ）ネットワークを含み得る。基地局は、エアインターフェースの属性管理をさらに協調させ得る。たとえば、基地局は、ＧＳＭもしくはＣＤＭＡにおける基地トランシーバ局（ＢＴＳ、Ｂａｓｅ  Ｔｒａｎｓｃｅｉｖｅｒ  Ｓｔａｔｉｏｎ）であり得るか、またはＷＣＤＭＡにおけるノードＢ（ＮｏｄｅＢ）であり得るか、またはＬＴＥにおける発展型ノードＢ（ＮｏｄｅＢもしくはｅＮＢもしくはｅ−ＮｏｄｅＢ、ｅｖｏｌｖｅｄ  ＮｏｄｅＢ）であり得、これは、本出願の実施形態では限定されない。
【００７２】
本出願の実施形態において提供される情報送信方法は、５Ｇ通信システム、ロングタームエボリューション（Ｌｏｎｇ  Ｔｅｒｍ  Ｅｖｏｌｕｔｉｏｎ、略してＬＴＥ）通信システム、および発展型ＬＴＥ通信システムにおける端末デバイスおよびネットワークデバイスに適用されてよく、情報送信方法は、シングルキャリアシナリオまたはキャリアアグリゲーションシナリオに適用されてよい。確かに、本出願の実施形態における情報送信方法は、限定はされないが、上記の適用シナリオを含む。本出願の実施形態において提供される情報送信方法は、アップリンク制御チャネルリソースが動的に予約され示されるどんなシナリオにおいても使用され得る。
【００７３】
５Ｇ通信システムに対応するフレーム構造は、図１に示されている４つのサブフレームタイプを含み得る。図１は、５Ｇ通信システムにおけるサブフレームタイプの概略図である。図１に示されているように、タイプ１サブフレームはダウンリンクサブフレームであり、タイプ２サブフレームはアップリンクサブフレームであり、タイプ３サブフレームおよびタイプ４サブフレームは、ダウンリンク送信のために使用されるシンボル、ガード期間（Ｇｕａｒｄ  Ｐｅｒｉｏｄ、略してＧＰ）、およびアップリンク送信のために使用されるシンボルをそれぞれ含む。タイプ３サブフレームおよびタイプ４サブフレームは、同じタイプのサブフレームの下に分類され得る。タイプ３サブフレームにおいて、ダウンリンク送信のために使用されるシンボルは、ダウンリンク制御チャネル送信およびダウンリンクデータ送信のために主に使用され、アップリンク送信のために使用されるシンボルは、アップリンク制御情報および／またはアップリンク基準信号（たとえば、サウンディング基準信号ＳＲＳ、Ｓｏｕｎｄｉｎｇ  Ｒｅｆｅｒｅｎｃｅ  Ｓｉｇｎａｌ）の送信のために主に使用される。タイプ４サブフレームにおいて、ダウンリンク送信のために使用されるシンボルは、ダウンリンク制御チャネル送信のために主に使用され、アップリンク送信のために使用されるシンボルは、アップリンクデータ、アップリンク制御情報、およびアップリンク基準信号の送信のために主に使用される。タイプ３サブフレームは１次ダウンリンクサブフレームと呼ばれることもある（ＤＬ優勢サブフレームまたはＤＬ中心サブフレームとも呼ばれる）。タイプ４サブフレームは１次アップリンクサブフレームと呼ばれることもある（ＵＬ優勢サブフレームまたはＵＬ中心サブフレームとも呼ばれる）。タイプ３サブフレームでは、ダウンリンク送信のために使用される時間領域シンボルの量は、アップリンク送信のために使用される時間領域シンボルの量以上であり得る。タイプ４サブフレームでは、ダウンリンク送信のために使用される時間領域シンボルの量は、アップリンク送信のために使用される時間領域シンボルの量未満であり得る。
【００７４】
本出願のすべての実施形態におけるサブフレームタイプはスロットタイプと呼ばれることもあることに留意されたい。この場合、タイプ１サブフレームは、タイプ１スロットと呼ばれることがあり、ダウンリンクスロットであり得、タイプ２サブフレームは、タイプ２スロットと呼ばれることがあり、アップリンクスロットであり得、タイプ３サブフレームはタイプ３スロットと呼ばれることがあり、タイプ４サブフレームはタイプ４スロットと呼ばれることがある。
【００７５】
本出願のすべての実施形態におけるスロットおよびサブフレームは、時間領域において長さが等しいことがあるか、または等しくないことがあることに留意されたい。
【００７６】
本出願のすべての実施形態におけるサブフレームタイプは時間領域構造と呼ばれることもあることに留意されたい。この場合、タイプ１サブフレームは第１の時間領域構造と呼ばれることがあり、タイプ２サブフレームは第２の時間領域構造と呼ばれることがあり、タイプ３サブフレームは第３の時間領域構造と呼ばれることがあり、タイプ４サブフレームは第４の時間領域構造と呼ばれることがある。
【００７７】
本出願の実施形態において提供される情報送信方法、端末デバイス、およびネットワークデバイスは、サブフレーム中でアップリンク制御チャネルリソースをフレキシブルに予約し示すことができないという従来技術の技術的問題を解決して、高速なＨＡＲＱ−ＡＣＫフィードバックおよび高速な再送信を実施し、フレキシブルなＨＡＲＱタイミングに適応することを意図される。
【００７８】
以下で、特定の実施形態を使用することによって本出願の技術的解決策について詳細に説明する。以下の特定の実施形態は相互に組み合わされてよく、同じまたは同様の概念または処理は、いくつかの実施形態では再び説明されないことがある。
【００７９】
図２は、本出願の一実施形態による情報送信方法の実施形態１の概略フローチャートである。図２に示されているように、本出願のこの実施形態において提供される情報送信方法は以下のステップを含み得る。
【００８０】
Ｓ１０１．ネットワークデバイスがダウンリンク制御情報を送り、ダウンリンク制御情報が第１の情報を含む。
【００８１】
第１の情報は、アップリンク制御情報を搬送するためのアップリンク制御チャネルリソースを示すために使用される。
【００８２】
アップリンク制御チャネルリソースは第１のアップリンク制御チャネルリソースセットに属し、第１のアップリンク制御チャネルリソースセットは、異なる量のシンボルに対応する少なくとも２つのアップリンク制御チャネルリソースを含むか、または異なる量のリソースブロックに対応する少なくとも２つのアップリンク制御チャネルリソースを含む。
【００８３】
特に、ネットワークデバイスは端末デバイスにダウンリンク制御情報を送り、ダウンリンク制御情報は第１の情報を含み、第１の情報はアップリンク制御チャネルリソースを示し、アップリンク制御チャネルリソースは、アップリンク制御情報を搬送するために使用される。アップリンク制御チャネルリソースは第１のアップリンク制御チャネルリソースセットに属し、第１のアップリンク制御チャネルリソースセットは少なくとも２つのアップリンク制御チャネルリソースを含み、少なくとも２つのアップリンク制御チャネルリソースは、異なる量のシンボルに対応するかまたは異なる量のリソースブロックに対応する。言い換えれば、アップリンク制御情報を搬送するために使用され第１の情報によって示される、予約されたアップリンク制御チャネルリソースに対応するシンボルまたはリソースブロックの量は、固定ではなく、変更され得る。言い換えれば、各サブフレーム中でアップリンク制御情報を送信するために使用されるアップリンク制御チャネルリソースは、フレキシブルに変更され得る。
【００８４】
固定のアップリンク制御チャネルリソースが予約される従来技術と比較して、本出願のこの実施形態において提供される情報送信方法では、第１の情報は、各サブフレーム中でアップリンク制御情報を送信するために使用されるアップリンク制御チャネルリソースをフレキシブルに予約し示すために使用され得ることがわかろう。このようにして、アップリンク制御チャネルリソースの構成フレキシビリティが改善される。
【００８５】
加えて、各サブフレーム中でアップリンク制御チャネルを送信するために使用されるアップリンク制御チャネルリソースがフレキシブルに予約され示され得るので、アップリンク制御チャネルリソースのサイズは、アップリンク制御情報フィードバックの量に基づいて変更されてよく、したがって、リソースの浪費またはリソースの不足が回避され、システムリソース利用が改善される。
【００８６】
異なる量のリソースブロックに対応する異なるアップリンク制御チャネルリソースは、同じ量のシンボルまたは異なる量のシンボルに対応し得ることに留意されたい。
【００８７】
たとえば、１つのリソースブロックに対応するアップリンク制御チャネルリソースが２つのシンボルに対応するか、または２つのリソースブロックに対応するアップリンク制御チャネルリソースが２つのシンボルに対応するか、または２つのリソースブロックに対応するアップリンク制御チャネルリソースが１つのシンボルに対応する。
【００８８】
本出願のこの実施形態におけるリソースブロックは、時間領域において長さが１つのスロットまたは１つのサブフレームに対応し得ることに留意されたい。リソースブロックが時間領域において長さが１つのサブフレームに対応するとき、リソースブロックはリソースブロックペアと呼ばれることもあり、リソースブロックの量はリソースブロックペアの量と呼ばれることもある。本出願のこの実施形態では、代替として、リソースブロックは、時間領域において長さがただ１つまたは複数のシンボルであることがあり、たとえば、１つのシンボルであり得るか、または２つのシンボルであり得る。サブフレームおよびスロットの定義は、異なる通信システムに従って変わり得る。本出願のこの実施形態は、サブフレームおよびスロットの定義ならびに対応に対していかなる特別な限定をも課さない。
【００８９】
本出願のこの実施形態におけるサブフレームは、送信時間単位と交換され得るか、または送信時間間隔と交換され得るか、またはリソース要素と交換され得ることに留意されたい。本出願のこの実施形態は、それに対していかなる特別な限定をも課さない。代替として、本出願のこの実施形態におけるサブフレームはスロットと交換され得る。
【００９０】
本出願のこの実施形態におけるシンボルは時間領域シンボルであってよく、たとえば、直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、略してＯＦＤＭ）シンボルであり得るか、またはシングルキャリア周波数分割多元接続（Ｓｉｎｇｌｅ−ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ、略してＳＣ−ＦＤＭＡ）シンボルであり得ることに留意されたい。
【００９１】
任意選択で、第１のアップリンク制御チャネルリソースセットが、異なる量のシンボルに対応する少なくとも２つのアップリンク制御チャネルリソースを含むことは、以下の４つの実装を有し得る。
【００９２】
第１の実装：
【００９３】
第１のアップリンク制御チャネルリソースセットが第１のアップリンク制御チャネルリソースを含み、第１のアップリンク制御チャネルリソースが１つのシンボルに対応し、
第１のアップリンク制御チャネルリソースセットが第２のアップリンク制御チャネルリソースをさらに含み、第２のアップリンク制御チャネルリソースが２つのシンボルに対応する。
【００９４】
第２の実装：
【００９５】
第１のアップリンク制御チャネルリソースセットが第３のアップリンク制御チャネルリソースを含み、第３のアップリンク制御チャネルリソースが７つのシンボルに対応し、
第１のアップリンク制御チャネルリソースセットが第４のアップリンク制御チャネルリソースをさらに含み、第４のアップリンク制御チャネルリソースが１４個のシンボルに対応する。
【００９６】
第３の実装：
【００９７】
第１のアップリンク制御チャネルリソースセットが第１のアップリンク制御チャネルリソースを含み、第１のアップリンク制御チャネルリソースが１つのシンボルに対応し、
第１のアップリンク制御チャネルリソースセットが第２のアップリンク制御チャネルリソースをさらに含み、第２のアップリンク制御チャネルリソースが２つのシンボルに対応し、
第１のアップリンク制御チャネルリソースセットが第３のアップリンク制御チャネルリソースをさらに含み、第３のアップリンク制御チャネルリソースが７つのシンボルに対応し、
第１のアップリンク制御チャネルリソースセットが第４のアップリンク制御チャネルリソースをさらに含み、第４のアップリンク制御チャネルリソースが１４個のシンボルに対応する。
【００９８】
第４の実装：
【００９９】
第１のアップリンク制御チャネルリソースセットが第１のアップリンク制御チャネルリソースを含み、第１のアップリンク制御チャネルリソースが１つのシンボルに対応し、
第１のアップリンク制御チャネルリソースセットが第２のアップリンク制御チャネルリソースをさらに含み、第２のアップリンク制御チャネルリソースが２つのシンボルに対応し、
第１のアップリンク制御チャネルリソースセットが第５のアップリンク制御チャネルリソースをさらに含み、第３のアップリンク制御チャネルリソースが３つのシンボルに対応し、
第１のアップリンク制御チャネルリソースセットが第６のアップリンク制御チャネルリソースをさらに含み、第４のアップリンク制御チャネルリソースが４つのシンボルに対応する。
【０１００】
特に、第１のアップリンク制御チャネルリソースセットは、１つのシンボルおよび２つのシンボル、もしくは７つのシンボルおよび１４個のシンボルにそれぞれ対応する２つのアップリンク制御チャネルリソースを含み得るか、または第１のアップリンク制御チャネルリソースセットは、１つのシンボル、２つのシンボル、７つのシンボル、および１４個のシンボル、もしくは１つのシンボル、２つのシンボル、３つのシンボル、および４つのシンボルにそれぞれ対応する４つのアップリンク制御チャネルリソースを含み得る。アップリンク制御情報を搬送するために使用され第１の情報によって示されるアップリンク制御チャネルリソースに対応するシンボルの量は、上記の実装のいずれか１つであり得る。したがって、第１の情報は、アップリンク制御チャネルリソースのシンボルの量をフレキシブルに予約し示すために使用され得る。このようにして、アップリンク制御チャネルリソースの構成フレキシビリティが改善される。
【０１０１】
本出願のこの実施形態では、第１のアップリンク制御チャネルリソースセット中のアップリンク制御チャネルリソースに対応するシンボルの量の実装は上記の４つの実装に限定されず、別の実装をさらに含み得ることに留意されたい。
【０１０２】
任意選択で、第１のアップリンク制御チャネルリソースセットが、異なる量のリソースブロックに対応する少なくとも２つのアップリンク制御チャネルリソースを含むことは、以下の３つの実装を有し得る。
【０１０３】
第１の実装：
【０１０４】
第１のアップリンク制御チャネルリソースセットが第７のアップリンク制御チャネルリソースを含み、第７のアップリンク制御チャネルリソースが１つのリソースブロックに対応し、
第１のアップリンク制御チャネルリソースセットが第８のアップリンク制御チャネルリソースをさらに含み、第８のアップリンク制御チャネルリソースが２つのリソースブロックに対応する。
【０１０５】
第２の実装：
【０１０６】
第１のアップリンク制御チャネルリソースセットが第９のアップリンク制御チャネルリソースを含み、第９のアップリンク制御チャネルリソースが３つのリソースブロックに対応し、
第１のアップリンク制御チャネルリソースセットが第１０のアップリンク制御チャネルリソースをさらに含み、第１０のアップリンク制御チャネルリソースが４つのリソースブロックに対応する。
【０１０７】
第３の実装：
【０１０８】
第１のアップリンク制御チャネルリソースセットが第７のアップリンク制御チャネルリソースを含み、第７のアップリンク制御チャネルリソースが１つのリソースブロックに対応し、
第１のアップリンク制御チャネルリソースセットが第８のアップリンク制御チャネルリソースをさらに含み、第８のアップリンク制御チャネルリソースが２つのリソースブロックに対応し、
第１のアップリンク制御チャネルリソースセットが第９のアップリンク制御チャネルリソースをさらに含み、第９のアップリンク制御チャネルリソースが３つのリソースブロックに対応し、
第１のアップリンク制御チャネルリソースセットが第１０のアップリンク制御チャネルリソースをさらに含み、第１０のアップリンク制御チャネルリソースが４つのリソースブロックに対応する。
【０１０９】
特に、第１のアップリンク制御チャネルリソースセットは、１つのリソースブロックおよび２つのリソースブロック、もしくは３つのリソースブロックおよび４つのリソースブロックにそれぞれ対応する２つのアップリンク制御チャネルリソースを含み得るか、または第１のアップリンク制御チャネルリソースセットは、１つのリソースブロック、２つのリソースブロック、３つのリソースブロック、および４つのリソースブロックにそれぞれ対応する４つのアップリンク制御チャネルリソースを含み得る。アップリンク制御情報を搬送するために使用され第１の情報によって示されるアップリンク制御チャネルリソースに対応するリソースブロックの量は、上記の実装のいずれか１つであり得る。したがって、第１の情報は、アップリンク制御チャネルリソースのリソースブロックの量をフレキシブルに予約し示すために使用され得る。このようにして、アップリンク制御チャネルリソースの構成フレキシビリティが改善される。
【０１１０】
本出願のこの実施形態では、第１のアップリンク制御チャネルリソースセット中のアップリンク制御チャネルリソースに対応するリソースブロックの量の実装は単に上記の３つの実装に限定されず、別の実装をさらに含み得ることに留意されたい。
【０１１１】
任意選択で、第１のアップリンク制御チャネルリソースセットは、異なるシンボルに対応する少なくとも２つのアップリンク制御チャネルリソースを含み得る。
【０１１２】
任意選択で、少なくとも２つのアップリンク制御チャネルリソースが、異なるシンボルに対応することは、少なくとも２つのアップリンク制御チャネルリソースが、異なるシンボル位置に対応するかまたは異なる量のシンボルに対応することであり得る。
【０１１３】
たとえば、第１のアップリンク制御チャネルリソースセットは、１つのシンボルにそれぞれ対応する２つのアップリンク制御チャネルリソースを含む。一方のアップリンク制御チャネルリソースはサブフレーム中の最後のシンボル上で搬送され、他方のアップリンク制御チャネルリソースはサブフレーム中の最後から２番目のシンボル上で搬送される。
【０１１４】
任意選択で、Ｓ１０１においてネットワークデバイスがダウンリンク制御情報を送り、ダウンリンク制御情報が第１の情報を含み、第１の情報が、アップリンク制御情報を搬送するためのアップリンク制御チャネルリソースを示すために使用されることは、以下の３つの実装を有し得る。
【０１１５】
第１の実装：ネットワークデバイスがダウンリンク制御チャネルを送り、ダウンリンク制御チャネル上で搬送されるダウンリンク制御情報が第１の情報を含み、第１の情報が、アップリンク制御情報を搬送するためのアップリンク制御チャネルリソースを示すために使用される。
【０１１６】
第２の実装：ネットワークデバイスがダウンリンク制御チャネルを送り、ダウンリンク制御チャネルに対応するダウンリンク制御情報フォーマットが第１の情報フィールドを含み、第１の情報フィールドが、アップリンク制御情報を搬送するためのアップリンク制御チャネルリソースを示すために使用される。
【０１１７】
第３の実装：ネットワークデバイスがダウンリンク制御情報フォーマットを送り、ダウンリンク制御情報フォーマットが第１の情報フィールドを含み、第１の情報フィールドが、アップリンク制御情報を搬送するためのアップリンク制御チャネルリソースを示すために使用される。
【０１１８】
任意選択で、アップリンク制御チャネルリソースは、アップリンク制御チャネルに対応する時間周波数領域リソースおよび／またはコードリソースであり得る。コードリソースは、アップリンク制御チャネルに対応するシーケンスのサイクリックシフトおよび／または直交拡散コードであり得る。
【０１１９】
任意選択で、第１の情報が、アップリンク制御情報を搬送するためのアップリンク制御チャネルリソースを示すために使用されることは、
【０１２０】
第１の情報が、アップリンク制御情報を搬送するためのアップリンク制御チャネルリソースに対応するリソースインデックスを示すために使用され、アップリンク制御チャネルリソースに対応するリソースインデックスが、リソースインデックスに基づいて、アップリンク制御チャネルに対応する時間周波数領域リソースおよび／またはコードリソースを判定するために端末デバイスによって使用されること
を含み得る。
【０１２１】
さらに、本出願のこの実施形態では、Ｓ１０１は、
【０１２２】
ネットワークデバイスが上位レイヤシグナリングを送り、上位レイヤシグナリングが、第１のアップリンク制御チャネルリソースセットを示すために使用されること
をさらに含み得る。
【０１２３】
特に、ネットワークデバイスは、異なるシナリオ要件および異なるサービス送信要件を満たすように、必要とされるシンボルまたはリソースブロックの量をフレキシブルに構成し得、ネットワークデバイスは、上位レイヤシグナリングを使用することによって端末デバイスのために第１のアップリンク制御チャネルリソースセット中に含まれるすべてのアップリンク制御チャネルリソースを構成し得る。このようにして、アップリンク制御チャネルリソースの構成フレキシビリティがさらに改善され、アップリンク制御情報送信性能が保証される。
【０１２４】
任意選択で、上位レイヤシグナリングが、第１のアップリンク制御チャネルリソースセットを示すために使用されることは、
【０１２５】
上位レイヤシグナリングが、第１のアップリンク制御チャネルリソースセット中のアップリンク制御チャネルリソースに対応するシンボルの量を示すために使用されること、または上位レイヤシグナリングが、第１のアップリンク制御チャネルリソースセット中のアップリンク制御チャネルリソースに対応するリソースブロックの量を示すために使用されること
を含み得る。
【０１２６】
任意選択で、上位レイヤシグナリングが、第１のアップリンク制御チャネルリソースセットを示すために使用されることは、
【０１２７】
上位レイヤシグナリングが、第１のアップリンク制御チャネルリソースセット中のアップリンク制御チャネルリソースに対応するシンボルを示すために使用されること
を含み得る。
【０１２８】
さらに、本出願のこの実施形態では、Ｓ１０１は、
【０１２９】
ネットワークデバイスが、アップリンク制御情報を搬送するためのアップリンク制御チャネルリソースを判定することと、
ネットワークデバイスが、アップリンク制御情報を搬送するためのアップリンク制御チャネルリソースに基づいてダウンリンク制御情報中の第１の情報を判定することと
をさらに含み得る。
【０１３０】
特に、上記のステップは、ネットワークデバイスによって第１の情報を判定する実装を提供する。ネットワークデバイスは、最初に、アップリンク制御情報を搬送するためのアップリンク制御チャネルリソースを判定し、次いで、アップリンク制御チャネルリソースに基づいてダウンリンク制御情報中の第１の情報を判定する。
【０１３１】
ネットワークデバイスは、異なる適用シナリオおよび異なるサービス要件に基づいてアップリンク制御チャネルリソースを判定することがあり、第１の情報は、異なる適用シナリオおよび異なるサービスにフレキシブルにマッチするために、アップリンク制御チャネルリソースを示すために使用される。
【０１３２】
本出願のこの実施形態は、第１の情報の特定の実装に対していかなる特別な限定をも課さず、第１の情報は要件に基づいて設定されることに留意されたい。
【０１３３】
任意選択で、特定の実装では、第１の情報が２ビット情報フィールドに対応する場合、ネットワークデバイスが、アップリンク制御情報を搬送するためのアップリンク制御チャネルリソースに基づいてダウンリンク制御情報中の第１の情報を判定することは、
【０１３４】
アップリンク制御情報を搬送するためのアップリンク制御チャネルリソースが第１のアップリンク制御チャネルリソースである場合、ネットワークデバイスが、第１の情報に対応する２ビット情報フィールドが００であると判定すること、
アップリンク制御情報を搬送するためのアップリンク制御チャネルリソースが第２のアップリンク制御チャネルリソースである場合、ネットワークデバイスが、第１の情報に対応する２ビット情報フィールドが０１であると判定すること、
アップリンク制御情報を搬送するためのアップリンク制御チャネルリソースが第３のアップリンク制御チャネルリソースである場合、ネットワークデバイスが、第１の情報に対応する２ビット情報フィールドが１０であると判定すること、または
アップリンク制御情報を搬送するためのアップリンク制御チャネルリソースが第４のアップリンク制御チャネルリソースである場合、ネットワークデバイスが、第１の情報に対応する２ビット情報フィールドが１１であると判定すること
を含み得る。
【０１３５】
第１のアップリンク制御チャネルリソース、第２のアップリンク制御チャネルリソース、第３のアップリンク制御チャネルリソース、および第４のアップリンク制御チャネルリソースは、第１のアップリンク制御チャネルリソースセットにすべて属し、第１のアップリンク制御チャネルリソース、第２のアップリンク制御チャネルリソース、第３のアップリンク制御チャネルリソース、および第４のアップリンク制御チャネルリソースは、異なる量のシンボルに対応するか、または異なる量のリソースブロックに対応するか、または異なるシンボルに対応する、少なくとも２つのアップリンク制御チャネルリソースをそれぞれ含む。
【０１３６】
さらに、ダウンリンク制御情報は第２の情報をさらに含むことがあり、第２の情報は、アップリンク制御情報を搬送するためのサブフレームを示すために使用される。
【０１３７】
特に、ダウンリンク制御情報がサブフレームｎ中で搬送される場合、アップリンク制御情報はサブフレームｎ＋ｋ中で搬送され、ｎは０以上の整数であり、ｋは０以上の整数であり、ｋの値は第２の情報に基づいて判定される。
【０１３８】
ｋが０に等しいとき、ダウンリンク制御情報およびアップリンク制御情報は同じサブフレーム中で搬送され得、したがって、高速なＨＡＲＱ再送信が実施され得、比較的小さいレイテンシのサービス要件が満たされ得、また、ｋが０よりも大きいとき、アップリンク制御情報は、ダウンリンク制御情報が搬送されるサブフレームに後続するサブフレーム中で搬送され、したがって、厳しいレイテンシ要件を有しないサービスの要件が満たされ得ることがわかろう。
【０１３９】
さらに、ダウンリンク制御情報は第３の情報をさらに含むことがあり、第３の情報は、チャネル状態情報の報告をトリガするために使用され、アップリンク制御情報はチャネル状態情報である。
【０１４０】
本出願のこの実施形態は、チャネル状態情報の定義および実装に対していかなる特別な限定をも課さないことに留意されたい。たとえば、チャネル状態情報は、チャネル品質情報、コード行列指示、レイヤ量指示、およびビーム関係情報を含み得る。
【０１４１】
任意選択で、ダウンリンク制御情報は、ダウンリンク共有チャネル送信をスケジュールするために使用され、アップリンク制御情報は、ダウンリンク共有チャネル送信に対応するハイブリッド自動再送要求フィードバックである。
【０１４２】
Ｓ１０２．端末デバイスがダウンリンク制御情報を受信し、ダウンリンク制御情報が第１の情報を含む。
【０１４３】
第１の情報は、アップリンク制御情報を搬送するためのアップリンク制御チャネルリソースを示すために使用される。
【０１４４】
アップリンク制御チャネルリソースは第１のアップリンク制御チャネルリソースセットに属し、第１のアップリンク制御チャネルリソースセットは、異なる量のシンボルに対応する少なくとも２つのアップリンク制御チャネルリソースを含むか、または異なる量のリソースブロックに対応する少なくとも２つのアップリンク制御チャネルリソースを含む。
【０１４５】
特に、端末デバイスは、ネットワークデバイスによって送られたダウンリンク制御情報を受信し、ダウンリンク制御情報は第１の情報を含み、第１の情報はアップリンク制御チャネルリソースを示し、アップリンク制御チャネルリソースは、アップリンク制御情報を搬送するために使用される。アップリンク制御チャネルリソースは第１のアップリンク制御チャネルリソースセットに属し、第１のアップリンク制御チャネルリソースセットは少なくとも２つのアップリンク制御チャネルリソースを含み、少なくとも２つのアップリンク制御チャネルリソースは、異なる量のシンボルに対応するかまたは異なる量のリソースブロックに対応する。言い換えれば、アップリンク制御情報を搬送するために使用され第１の情報によって示される、予約されたアップリンク制御チャネルリソースに対応するシンボルまたはリソースブロックの量は、固定ではなく、変更され得る。言い換えれば、各サブフレーム中でアップリンク制御情報を送信するために使用されるアップリンク制御チャネルリソースは、フレキシブルに変更され得る。
【０１４６】
したがって、固定のアップリンク制御チャネルリソースが予約される従来技術と比較して、本出願のこの実施形態において提供される情報送信方法では、第１の情報は、各サブフレーム中でアップリンク制御情報を送信するために使用されるアップリンク制御チャネルリソースをフレキシブルに予約し示すために使用され得る。このようにして、アップリンク制御チャネルリソースの構成フレキシビリティが改善される。
【０１４７】
加えて、各サブフレーム中でアップリンク制御チャネルを送信するために使用されるアップリンク制御チャネルリソースがフレキシブルに予約され示され得るので、アップリンク制御チャネルリソースのサイズは、アップリンク制御情報フィードバックの量に基づいて変更されてよく、したがって、リソースの浪費またはリソースの不足が回避され、システムリソース利用が改善される。
【０１４８】
任意選択で、Ｓ１０２において端末デバイスがダウンリンク制御情報を受信し、ダウンリンク制御情報が第１の情報を含み、第１の情報が、アップリンク制御情報を搬送するためのアップリンク制御チャネルリソースを示すために使用されることは、以下の３つの実装を有し得る。
【０１４９】
第１の実装：端末デバイスがダウンリンク制御チャネルを受信し、ダウンリンク制御チャネル上で搬送されるダウンリンク制御情報が第１の情報を含み、第１の情報が、アップリンク制御情報を搬送するためのアップリンク制御チャネルリソースを示すために使用される。
【０１５０】
第２の実装：端末デバイスがダウンリンク制御チャネルを受信し、ダウンリンク制御チャネルに対応するダウンリンク制御情報フォーマットが第１の情報フィールドを含み、第１の情報フィールドが、アップリンク制御情報を搬送するためのアップリンク制御チャネルリソースを示すために使用される。
【０１５１】
第３の実装：端末デバイスがダウンリンク制御情報フォーマットを検出し、ダウンリンク制御情報フォーマットが第１の情報フィールドを含み、第１の情報フィールドが、アップリンク制御情報を搬送するためのアップリンク制御チャネルリソースを示すために使用される。
【０１５２】
さらに、本出願のこの実施形態では、Ｓ１０２は、
【０１５３】
端末デバイスが上位レイヤシグナリングを受信することと、
端末デバイスが上位レイヤシグナリングに基づいて第１のアップリンク制御チャネルリソースセットを判定することと
をさらに含み得る。
【０１５４】
特に、端末デバイスは、ネットワークデバイスによって送られた上位レイヤシグナリングを受信し、端末デバイスは、上位レイヤシグナリングを使用することによって、ネットワークデバイスによって構成された第１のアップリンク制御チャネルリソースセット中に含まれるすべてのアップリンク制御チャネルリソースを知り得る。端末デバイスは、異なるシナリオ要件および異なるサービス要件に基づいてネットワークデバイスによってフレキシブルに構成されたシンボルまたはリソースブロックの量を知り得るので、アップリンク制御チャネルリソースの構成フレキシビリティがさらに改善され、アップリンク制御情報送信性能が保証される。
【０１５５】
任意選択で、端末デバイスが上位レイヤシグナリングに基づいて第１のアップリンク制御チャネルリソースセットを判定することは、以下の３つの実装を有し得る。
【０１５６】
第１の実装：端末デバイスが、上位レイヤシグナリングに基づいて、第１のアップリンク制御チャネルリソースセット中のアップリンク制御チャネルリソースに対応するシンボルの量、または第１のアップリンク制御チャネルリソースセット中のアップリンク制御チャネルリソースに対応するリソースブロックの量を判定する。
【０１５７】
第２の実装：端末デバイスが、上位レイヤシグナリングに基づいて、第１のアップリンク制御チャネルリソースセット中のアップリンク制御チャネルリソースに対応するリソースインデックスを判定する。
【０１５８】
第３の実装：端末デバイスが、上位レイヤシグナリングに基づいて、第１のアップリンク制御チャネルリソースセット中のアップリンク制御チャネルリソースに対応するリソースインデックスを判定し、端末デバイスが、リソースインデックスに基づいて、リソースインデックスに対応するシンボルまたはリソースブロックの量を判定する。
【０１５９】
任意選択で、第１の情報が２ビット情報フィールドに対応する場合、第１の情報が、アップリンク制御情報を搬送するためのアップリンク制御チャネルリソースを示すために使用されることは、
【０１６０】
第１の情報に対応する２ビット情報フィールドが００である場合、アップリンク制御情報を搬送するためのアップリンク制御チャネルリソースが第１のアップリンク制御チャネルリソースであること、
第１の情報に対応する２ビット情報フィールドが０１である場合、アップリンク制御情報を搬送するためのアップリンク制御チャネルリソースが第２のアップリンク制御チャネルリソースであること、
第１の情報に対応する２ビット情報フィールドが１０である場合、アップリンク制御情報を搬送するためのアップリンク制御チャネルリソースが第３のアップリンク制御チャネルリソースであること、または
第１の情報に対応する２ビット情報フィールドが１１である場合、アップリンク制御情報を搬送するためのアップリンク制御チャネルリソースが第４のアップリンク制御チャネルリソースであること
であり得る。
【０１６１】
第１のアップリンク制御チャネルリソース、第２のアップリンク制御チャネルリソース、第３のアップリンク制御チャネルリソース、および第４のアップリンク制御チャネルリソースは、第１のアップリンク制御チャネルリソースセットにすべて属し、第１のアップリンク制御チャネルリソース、第２のアップリンク制御チャネルリソース、第３のアップリンク制御チャネルリソース、および第４のアップリンク制御チャネルリソースを含む４つのアップリンク制御チャネルリソースは、異なる量のシンボルに対応するか、または異なる量のリソースブロックに対応するか、または異なるシンボルに対応する、少なくとも２つのアップリンク制御チャネルリソースをそれぞれ含む。
【０１６２】
このステップにおいて、ダウンリンク制御情報、アップリンク制御情報、アップリンク制御チャネルリソース、第１のアップリンク制御チャネルリソースセット、第１の情報、シンボル、リソースブロック、スロット、サブフレーム、および他の態様についての説明は、本出願のこの実施形態におけるＳ１０１の説明と同じであり、原理は同様であることに留意されたい。詳細についてここで再び説明されない。
【０１６３】
Ｓ１０３．端末デバイスが、第１の情報に基づいて、アップリンク制御情報を搬送するためのアップリンク制御チャネルリソースを判定する。
【０１６４】
任意選択で、Ｓ１０３において端末デバイスが、第１の情報に基づいて、アップリンク制御情報を搬送するためのアップリンク制御チャネルリソースを判定することは、以下の２つの実装を有し得る。
【０１６５】
第１の実装：
【０１６６】
端末デバイスが、第１の情報に基づいて、アップリンク制御情報を搬送するためのアップリンク制御チャネルリソースに対応するリソースインデックスを判定し、
端末デバイスが、アップリンク制御チャネルリソースに対応するリソースインデックスに基づいて、アップリンク制御チャネルに対応する時間周波数領域リソースおよび／またはコードリソースを判定する。
【０１６７】
第２の実装：
【０１６８】
端末デバイスが、第１の情報に基づいて、アップリンク制御情報を搬送するためのシンボル上でアップリンク制御情報を搬送するためのアップリンク制御チャネルに対応するリソースインデックスを判定し、
端末デバイスが、アップリンク制御チャネルリソースに対応するリソースインデックスに基づいて、アップリンク制御チャネルに対応する時間周波数領域リソースおよび／またはコードリソースを判定する。
【０１６９】
任意選択で、第１の情報が２ビット情報フィールドに対応する場合、端末デバイスが、第１の情報に基づいて、アップリンク制御情報を搬送するためのアップリンク制御チャネルリソースを判定することは、
【０１７０】
第１の情報に対応する２ビット情報フィールドが００である場合、端末デバイスは、アップリンク制御情報を搬送するためのアップリンク制御チャネルリソースが、上位レイヤシグナリングを使用することによって構成された第１のアップリンク制御チャネルリソースであると判定すること、
第１の情報に対応する２ビット情報フィールドが０１である場合、端末デバイスは、アップリンク制御情報を搬送するためのアップリンク制御チャネルリソースが、上位レイヤシグナリングを使用することによって構成された第２のアップリンク制御チャネルリソースであると判定すること、
第１の情報に対応する２ビット情報フィールドが１０である場合、端末デバイスは、アップリンク制御情報を搬送するためのアップリンク制御チャネルリソースが、上位レイヤシグナリングを使用することによって構成された第３のアップリンク制御チャネルリソースであると判定すること、または
第１の情報に対応する２ビット情報フィールドが１１である場合、端末デバイスは、アップリンク制御情報を搬送するためのアップリンク制御チャネルリソースが、上位レイヤシグナリングを使用することによって構成された第４のアップリンク制御チャネルリソースであると判定すること
を含み得る。
【０１７１】
第１のアップリンク制御チャネルリソース、第２のアップリンク制御チャネルリソース、第３のアップリンク制御チャネルリソース、および第４のアップリンク制御チャネルリソースは、第１のアップリンク制御チャネルリソースセットにすべて属し、第１のアップリンク制御チャネルリソース、第２のアップリンク制御チャネルリソース、第３のアップリンク制御チャネルリソース、および第４のアップリンク制御チャネルリソースを含む４つのアップリンク制御チャネルリソースは、異なる量のシンボルに対応するか、または異なる量のリソースブロックに対応するか、または異なるシンボルに対応する、少なくとも２つのアップリンク制御チャネルリソースをそれぞれ含む。
【０１７２】
Ｓ１０４．端末デバイスが、アップリンク制御チャネルリソースを使用することによってネットワークデバイスにアップリンク制御情報を送る。
【０１７３】
特に、アップリンク制御チャネルリソースを使用することによってネットワークデバイスにアップリンク制御情報を送るために端末デバイスによってどんな既存の処理方法でも使用され得る。たとえば、アップリンク制御情報上でチャネルコーディング、変調、およびマッピングを実施することなどのステップが含まれ得る。本出願のこの実施形態は、それに対していかなる特別な限定をも課さない。
【０１７４】
Ｓ１０５．ネットワークデバイスが、アップリンク制御情報を搬送するためのアップリンク制御チャネルリソース上で、端末デバイスによって送られたアップリンク制御情報を受信する。
【０１７５】
任意選択で、ダウンリンク制御情報が第２の情報をさらに含み、第２の情報が、アップリンク制御情報を搬送するためのサブフレームを示すために使用される場合、このステップは、
【０１７６】
ネットワークデバイスが、アップリンク制御情報を搬送するためのサブフレーム中のアップリンク制御情報を搬送するためのシンボル上で、端末デバイスによって送られたアップリンク制御情報を受信すること
をさらに含み得る。
【０１７７】
本出願のこの実施形態では、ステップＳ１０１からＳ１０５の順序は限定されず、ステップＳ１０１からＳ１０５の間の相互従属性も限定されないことに留意されたい。
【０１７８】
以下で、特定の例を使用することによって本出願のこの実施形態において提供される情報送信方法について詳細に説明する。
【０１７９】
第１のアップリンク制御チャネルリソースセットは、第１のアップリンク制御チャネルリソース、第２のアップリンク制御チャネルリソース、第３のアップリンク制御チャネルリソース、および第４のアップリンク制御チャネルリソースを含む。
【０１８０】
第１のアップリンク制御チャネルリソースは１つのシンボルに対応し、第１のアップリンク制御チャネルリソースは、サブフレーム中の最後から２番目のシンボル上で搬送され得る。第２のアップリンク制御チャネルリソースは１つのシンボルに対応し、第２のアップリンク制御チャネルリソースは、サブフレーム中の最後のシンボル上で搬送され得る。第３のアップリンク制御チャネルリソースは２つのシンボルに対応する。第４のアップリンク制御チャネルリソースは２つのシンボルに対応する。第３のアップリンク制御チャネルリソースおよび第４のアップリンク制御チャネルリソースは、異なるリソースブロックを占有し得る。
【０１８１】
ダウンリンク制御情報（Ｄｏｗｎｌｉｎｋ  Ｃｏｎｔｒｏｌ  Ｉｎｆｏｒｍａｔｉｏｎ、略してＤＣＩ）は、物理ダウンリンク共有チャネル（Ｐｈｙｓｉｃａｌ  Ｄｏｗｎｌｉｎｋ  Ｓｈａｒｅｄ  Ｃｈａｎｎｅｌ、略してＰＤＳＣＨ）送信をスケジュールするために使用され、アップリンク制御情報（Ｕｐｌｉｎｋ  Ｃｏｎｔｒｏｌ  Ｉｎｆｏｒｍａｔｉｏｎ、略してＵＣＩ）は、ＰＤＳＣＨ送信に対応するＨＡＲＱフィードバックである。ＨＡＲＱフィードバックは、肯定応答（Ａｃｋｎｏｗｌｅｄｇｍｅｎｔ、略してＡＣＫ）および／または否定応答（Ｎｅｇａｔｉｖｅ  Ａｃｋｎｏｗｌｅｄｇｅｍｅｎｔ、略してＮＡＣＫ）を特に含む。
【０１８２】
図３は、本出願の一実施形態による情報送信方法の実施形態１におけるアップリンク制御チャネルリソースの概略構造図である。図３に示されているように、説明のための一例として４つのサブフレームが使用される。サブフレームの通し番号は、それぞれサブフレームｎ、サブフレームｎ＋１、サブフレームｎ＋２、およびサブフレームｎ＋３であり、ｎはサブフレーム番号であり、ｎは０以上の整数である。サブフレームｎおよびサブフレームｎ＋１はタイプ１サブフレームであり、サブフレームｎ＋２およびサブフレームｎ＋３はタイプ３サブフレームである。
【０１８３】
特に、サブフレームｎはＤＣＩを搬送し、ＤＣＩはサブフレームｎ中の第１のシンボル上で搬送され、ＤＣＩは、ＰＤＳＣＨ送信をスケジュールするために使用され、ＰＤＳＣＨ送信はサブフレームｎ中で搬送される。ＤＣＩは第１の情報を含み、第１の情報は、ＰＤＳＣＨ送信に対応するＨＡＲＱフィードバックが、サブフレームｎ＋２中で送信されるアップリンク制御チャネルリソース、および特に、第１のアップリンク制御チャネルリソースセット中の第３のアップリンク制御チャネルリソース上で搬送されるべきことを示す。
【０１８４】
サブフレームｎ＋１はＤＣＩを搬送し、ＤＣＩはサブフレームｎ＋１中の第１のシンボル上で搬送され、ＤＣＩは、ＰＤＳＣＨ送信をスケジュールするために使用され、ＰＤＳＣＨ送信はサブフレームｎ＋１中で搬送される。ＤＣＩは第１の情報を含み、第１の情報は、ＰＤＳＣＨ送信に対応するＨＡＲＱフィードバックが、サブフレームｎ＋２中で送信されるアップリンク制御チャネルリソース、および特に、第１のアップリンク制御チャネルリソースセット中の第３のアップリンク制御チャネルリソース上で搬送されるべきことを示す。
【０１８５】
サブフレームｎ＋２はＤＣＩを搬送し、ＤＣＩはサブフレームｎ＋２中の第１のシンボル上で搬送され、ＤＣＩは、ＰＤＳＣＨ送信をスケジュールするために使用され、ＰＤＳＣＨ送信はサブフレームｎ＋２中で搬送される。ＤＣＩは第１の情報を含み、第１の情報は、ＰＤＳＣＨ送信に対応するＨＡＲＱフィードバックが、サブフレームｎ＋３中で送信されるアップリンク制御チャネルリソース、および特に、第１のアップリンク制御チャネルリソースセット中の第２のアップリンク制御チャネルリソース上で搬送されるべきことを示す。
【０１８６】
図３に示されている例では、サブフレームｎに対応するＨＡＲＱフィードバックおよびサブフレームｎ＋１に対応するＨＡＲＱフィードバックはサブフレームｎ＋２中で搬送される必要があり、したがって、比較的大きいアップリンク制御チャネルリソースが必要とされることがわかろう。サブフレームｎ中で搬送されるＤＣＩ中に含まれる第１の情報およびサブフレームｎ＋１中で搬送されるＤＣＩ中に含まれる第１の情報は、サブフレームｎに対応するＨＡＲＱフィードバックおよびサブフレームｎ＋１に対応するＨＡＲＱフィードバックを搬送するためのアップリンク制御チャネルリソースが、第１のアップリンク制御チャネルリソースセット中の第３のアップリンク制御チャネルリソースであることを示すために使用される。第３のアップリンク制御チャネルリソースは２つのシンボルに対応し、具体的には、端末デバイスは、２つのシンボルを占有しているアップリンク制御チャネルを使用することによってサブフレームｎ＋２中でＵＣＩを送信するので、サブフレームｎに対応するＨＡＲＱフィードバックと、サブフレームｎ＋１に対応するＨＡＲＱフィードバックの両方がサブフレームｎ＋２中で送信され得、したがってＵＣＩ送信信頼性が保証される。
【０１８７】
しかしながら、サブフレームｎ＋３については、サブフレームｎ＋２に対応するＨＡＲＱフィードバックのみがサブフレームｎ＋３中で搬送される必要があり、したがって、比較的小さいアップリンク制御チャネルリソースが必要とされる。サブフレームｎ＋２中で搬送されるＤＣＩ中に含まれる第１の情報は、サブフレームｎ＋２に対応するＨＡＲＱフィードバックを搬送するためのアップリンク制御チャネルリソースが、第１のアップリンク制御チャネルリソースセット中の第２のアップリンク制御チャネルリソースであることを示すために使用される。第２のアップリンク制御チャネルリソースは１つのシンボルに対応し、具体的には、端末デバイスは、１つのシンボルを占有しているアップリンク制御チャネルを使用することによってサブフレームｎ＋３中でＵＣＩを送信するので、サブフレームｎ＋２に対応するＨＡＲＱフィードバックはサブフレームｎ＋３中で送信され得る。アップリンク制御チャネル送信のためにただ１つのシンボルが使用されるので、ＵＣＩ送信性能が保証されながら、アップリンク制御チャネルオーバーヘッドが低減され、リソース利用が改善される。
【０１８８】
以下で、別の特定の例を使用することによって本出願のこの実施形態において提供される情報送信方法について詳細に説明する。
【０１８９】
第１のアップリンク制御チャネルリソースセットは、図３の対応する第１のアップリンク制御チャネルリソースセットと同じ方式で構成され、詳細についてここで再び説明されない。
【０１９０】
図４は、本出願の一実施形態による情報送信方法の実施形態１におけるアップリンク制御チャネルリソースの別の概略構造図である。図４に示されているように、説明のための一例として２つのサブフレームが使用される。サブフレームの通し番号は、それぞれサブフレームｎおよびサブフレームｎ＋１であり、ｎはサブフレーム番号であり、ｎは０以上の整数である。サブフレームｎおよびサブフレームｎ＋１はタイプ３サブフレームである。
【０１９１】
特に、サブフレームｎはＤＣＩを搬送し、ＤＣＩはサブフレームｎ中の第１のシンボル上で搬送され、ＤＣＩは、ＰＤＳＣＨ送信をスケジュールするために使用され、ＰＤＳＣＨ送信はサブフレームｎ中で搬送される。ＤＣＩは第１の情報および第２の情報を含む。第２の情報は、ＰＤＳＣＨ送信に対応するＨＡＲＱフィードバックが、同じサブフレーム（サブフレームｎ）中で送信されるべきことを示す。第１の情報は、ＰＤＳＣＨ送信に対応するＨＡＲＱフィードバックが、同じサブフレーム（サブフレームｎ）中で送信されるアップリンク制御チャネルリソース、および特に、第１のアップリンク制御チャネルリソースセット中の第１のアップリンク制御チャネルリソース上で搬送されるべきことを示す。
【０１９２】
ＰＤＳＣＨ送信においてエラーが生じた場合、ＰＤＳＣＨに対応する再送信がサブフレームｎ＋１中で搬送され、再送信に対応するＤＣＩは、サブフレームｎ＋１中の第１のシンボル上で搬送される。
【０１９３】
図４に示されている例では、サブフレームｎ中で搬送されるＤＣＩは第１の情報および第２の情報を含み、サブフレームｎ中で搬送されるＤＣＩは、現在のサブフレーム（サブフレームｎ）中でＰＤＳＣＨ送信をスケジュールするために使用され、第１の情報および第２の情報は、ＰＤＳＣＨ送信に対応するＨＡＲＱフィードバックが現在のサブフレーム（サブフレームｎ）中で送信されるべきであり、ＨＡＲＱフィードバックが、特に、現在のサブフレーム（サブフレームｎ）中の最後から２番目のシンボル上で搬送されることを示すことがわかろう。このようにして、ネットワークデバイス側のために１つのシンボル（サブフレームｎ中の最後のシンボル）の処理時間が予約され、したがって、再送信はサブフレームｎ＋１中の第１のシンボル上でスケジュールされて、高速な再送信が実施され得る。
【０１９４】
しかしながら、従来技術では、固定のアップリンク制御チャネルリソースが反転させられる。ＵＣＩを送信するためにサブフレームｎ中の最後のシンボルのみが予約された場合、ネットワークデバイス側は、ネットワークデバイス側のための処理時間が予約されないので、サブフレームｎ＋１中で再送信をスケジュールするのを失敗することがあり、再送信はサブフレームｎ＋２までスケジュールされることが不可能であり、サービスレイテンシの増加が生じる。ＵＣＩを送信するためにサブフレームｎ中の最後から２番目のシンボルが予約された場合、高速な再送信は実施され得るが、サブフレームｎ中の最後のシンボルは効率的に使用されることが不可能であり、比較的低いリソース利用が生じる。
【０１９５】
従来技術と比較して、本出願のこの実施形態において提供される情報送信方法は、サブフレーム中でアップリンク制御チャネルリソースをフレキシブルに予約し示すことができないという従来技術の技術的問題を解決して、高速なＨＡＲＱフィードバックおよび高速な再送信を実施し、フレキシブルなＨＡＲＱタイミングに適応することができることがわかろう。
【０１９６】
本出願のこの実施形態は、ネットワークデバイスがダウンリンク制御情報を送り、ダウンリンク制御情報が第１の情報を含むことと、端末デバイスが、ダウンリンク制御情報を受信し、第１の情報に基づいて、アップリンク制御情報を搬送するためのアップリンク制御チャネルリソースを判定し、アップリンク制御チャネルリソースを使用することによってネットワークデバイスにアップリンク制御情報を送ることと、ネットワークデバイスが、アップリンク制御情報を搬送するためのアップリンク制御チャネルリソース上で、端末デバイスによって送られたアップリンク制御情報を受信することとを含む、情報送信方法を提供する。したがって、本出願のこの実施形態において提供される情報送信方法によれば、第１の情報は、各サブフレーム中でアップリンク制御情報を送信するために使用されるアップリンク制御チャネルリソースをフレキシブルに予約し示すために使用され得る。このようにして、アップリンク制御チャネルリソースの構成フレキシビリティが改善され、システムリソース利用が改善される。
【０１９７】
図５は、本出願の一実施形態による情報送信方法の実施形態２の概略フローチャートである。本出願のこの実施形態と方法実施形態１との間の差異は、第１のアップリンク制御チャネルリソースセットの実装が異なることである。図５に示されているように、本出願のこの実施形態において提供される情報送信方法は以下のステップを含み得る。
【０１９８】
Ｓ２０１．ネットワークデバイスがダウンリンク制御情報を送り、ダウンリンク制御情報が第１の情報を含む。
【０１９９】
第１の情報は、アップリンク制御情報を搬送するためのアップリンク制御チャネルリソースを示すために使用される。
【０２００】
アップリンク制御チャネルリソースは第１のアップリンク制御チャネルリソースセットに属し、第１のアップリンク制御チャネルリソースセットは、第２のアップリンク制御チャネルリソースセットおよび第３のアップリンク制御チャネルリソースセットを含み、第２のアップリンク制御チャネルリソースセット中に含まれるアップリンク制御チャネルリソースに対応するリソースインデックスは、第１に周波数領域および第２に時間領域の方式でソートされ、第３のアップリンク制御チャネルリソースセット中に含まれるアップリンク制御チャネルリソースに対応するリソースインデックスは、周波数領域においてソートされる。
【０２０１】
特に、ネットワークデバイスは端末デバイスにダウンリンク制御情報を送り、ダウンリンク制御情報は第１の情報を含み、第１の情報はアップリンク制御チャネルリソースを示し、アップリンク制御チャネルリソースは、アップリンク制御情報を搬送するために使用される。アップリンク制御チャネルリソースは第１のアップリンク制御チャネルリソースセットに属し、第１のアップリンク制御チャネルリソースセットは、第２のアップリンク制御チャネルリソースセットおよび第３のアップリンク制御チャネルリソースセットを含み、第２のアップリンク制御チャネルリソースセット中に含まれるアップリンク制御チャネルリソースに対応するリソースインデックスは、第１に周波数領域および第２に時間領域の方式でソートされ、第３のアップリンク制御チャネルリソースセット中に含まれるアップリンク制御チャネルリソースに対応するリソースインデックスは、周波数領域においてソートされる。言い換えれば、アップリンク制御情報を搬送するために使用され第１の情報によって示される、予約されたアップリンク制御チャネルリソースに対応するリソースインデックスは、固定ではなく、異なるソート方式に基づいて変更され得る。言い換えれば、各サブフレーム中でアップリンク制御情報を送信するために使用されるアップリンク制御チャネルリソースは、フレキシブルに変更され得る。
【０２０２】
固定のアップリンク制御チャネルリソースが予約される従来技術と比較して、本出願のこの実施形態において提供される情報送信方法では、第１の情報は、各サブフレーム中でアップリンク制御情報を送信するために使用されるアップリンク制御チャネルリソースをフレキシブルに予約し示すために使用され得ることがわかろう。このようにして、アップリンク制御チャネルリソースの構成フレキシビリティが改善される。
【０２０３】
加えて、各サブフレーム中でアップリンク制御チャネルを送信するために使用されるアップリンク制御チャネルリソースがフレキシブルに予約され示され得るので、アップリンク制御チャネルリソースのサイズは、アップリンク制御情報フィードバックの量に基づいて変更されてよく、したがって、リソースの浪費またはリソースの不足が回避され、システムリソース利用が改善される。
【０２０４】
任意選択で、第２のアップリンク制御チャネルリソースセット中に含まれるアップリンク制御チャネルリソースに対応するリソースインデックスが第１に周波数領域および第２に時間領域の方式でソートされることは、
【０２０５】
第１に周波数領域および第２に時間領域の方式でソートされるリソースインデックスでは、最も小さいリソースインデックスが、サブフレーム中の最後のシンボルに対応すること、またはソートが第１に周波数領域および第２に時間領域の方式で実施されるとき、ソートがサブフレームまたはスロット中の最後のシンボルから開始すること
を含み得る。
【０２０６】
任意選択で、第２のアップリンク制御チャネルリソースセット中に含まれるアップリンク制御チャネルリソースに対応するシンボルの量は、第３のアップリンク制御チャネルリソースセット中に含まれるアップリンク制御チャネルリソースに対応するシンボルの量よりも少ない。
【０２０７】
任意選択で、第３のアップリンク制御チャネルリソースセット中に含まれるアップリンク制御チャネルリソースに対応するシンボルの量は２以上である。
【０２０８】
任意選択で、第２のアップリンク制御チャネルリソースセット中に含まれるアップリンク制御チャネルリソースに対応するシンボルの量は１に等しい。
【０２０９】
任意選択で、第２のアップリンク制御チャネルリソースセットは、異なるシンボルに対応する少なくとも２つのアップリンク制御チャネルリソースを含む。
【０２１０】
任意選択で、少なくとも２つのアップリンク制御チャネルリソースが異なるシンボルに対応することは、少なくとも２つのアップリンク制御チャネルリソースセットが、異なるシンボル位置または異なるリソースブロック位置に対応することであり得る。
【０２１１】
たとえば、第２のアップリンク制御チャネルリソースセットは２つのアップリンク制御チャネルリソースを含む。一方のアップリンク制御チャネルリソースはサブフレーム中の最後のシンボルに対応し、他方のアップリンク制御チャネルリソースはサブフレーム中の最後から２番目のシンボルに対応する。
【０２１２】
任意選択で、Ｓ２０１においてネットワークデバイスがダウンリンク制御情報を送り、ダウンリンク制御情報が第１の情報を含み、第１の情報が、アップリンク制御情報を搬送するためのアップリンク制御チャネルリソースを示すために使用されることは、以下の３つの実装を有し得る。
【０２１３】
第１の実装：ネットワークデバイスがダウンリンク制御チャネルを送り、ダウンリンク制御チャネル上で搬送されるダウンリンク制御情報が第１の情報を含み、第１の情報が、アップリンク制御情報を搬送するためのアップリンク制御チャネルリソースを示すために使用される。
【０２１４】
第２の実装：ネットワークデバイスがダウンリンク制御チャネルを送り、ダウンリンク制御チャネルに対応するダウンリンク制御情報フォーマットが第１の情報フィールドを含み、第１の情報フィールドが、アップリンク制御情報を搬送するためのアップリンク制御チャネルリソースを示すために使用される。
【０２１５】
第３の実装：ネットワークデバイスがダウンリンク制御情報フォーマットを送り、ダウンリンク制御情報フォーマットが第１の情報フィールドを含み、第１の情報フィールドが、アップリンク制御情報を搬送するためのアップリンク制御チャネルリソースを示すために使用される。
【０２１６】
任意選択で、アップリンク制御チャネルリソースは、アップリンク制御チャネルに対応する時間周波数領域リソースおよび／またはコードリソースであり得る。コードリソースは、アップリンク制御チャネルに対応するシーケンスのサイクリックシフトおよび／または直交拡散コードであり得る。
【０２１７】
任意選択で、第１の情報が、アップリンク制御情報を搬送するためのアップリンク制御チャネルリソースを示すために使用されることは、
【０２１８】
第１の情報が、アップリンク制御情報を搬送するためのアップリンク制御チャネルリソースに対応するリソースインデックスを示すために使用され、アップリンク制御チャネルリソースに対応するリソースインデックスが、リソースインデックスに基づいて、アップリンク制御チャネルに対応する時間周波数領域リソースおよび／またはコードリソースを判定するために端末デバイスによって使用されること
を含み得る。
【０２１９】
さらに、本出願のこの実施形態では、Ｓ２０１は、
【０２２０】
ネットワークデバイスが上位レイヤシグナリングを送り、上位レイヤシグナリングが、第１のアップリンク制御チャネルリソースセットを示すために使用されること
をさらに含み得る。
【０２２１】
特に、ネットワークデバイスは、異なるシナリオ要件および異なるサービス送信要件を満たすように、必要とされるアップリンク制御チャネルリソースをフレキシブルに構成し得、ネットワークデバイスは、上位レイヤシグナリングを使用することによって端末デバイスのために第１のアップリンク制御チャネルリソースセット中に含まれるすべてのアップリンク制御チャネルリソースを構成し得る。このようにして、アップリンク制御チャネルリソースの構成フレキシビリティがさらに改善され、アップリンク制御情報送信性能が保証される。
【０２２２】
任意選択で、上位レイヤシグナリングが、第１のアップリンク制御チャネルリソースセットを示すために使用されることは、以下の４つの実装を有し得る。
【０２２３】
第１の実装：
【０２２４】
上位レイヤシグナリングが、第１のアップリンク制御チャネルリソースセット中のアップリンク制御チャネルリソースに対応するリソースインデックスを示すために使用される。
【０２２５】
第２の実装：
【０２２６】
上位レイヤシグナリングが、第１のアップリンク制御チャネルリソースセット中のアップリンク制御チャネルリソースに対応するリソースインデックス、およびそれらのリソースインデックスに対応するシンボルまたはリソースブロックの量を示すために使用される。
【０２２７】
第３の実装：
【０２２８】
上位レイヤシグナリングが、第１のアップリンク制御チャネルリソースセット中に含まれる第２のアップリンク制御チャネルリソースセットおよび第３のアップリンク制御チャネルリソースセットを示すために使用される。
【０２２９】
第４の実装：
【０２３０】
上位レイヤシグナリングが、第１のアップリンク制御チャネルリソースセット中に含まれる第２のアップリンク制御チャネルリソースセット中のアップリンク制御チャネルリソースに対応するリソースインデックス、および第１のアップリンク制御チャネルリソースセット中に含まれる第３のアップリンク制御チャネルリソースセット中のアップリンク制御チャネルリソースに対応するリソースインデックスを示すために使用される。
【０２３１】
さらに、本出願のこの実施形態では、Ｓ２０１は、
【０２３２】
ネットワークデバイスが、アップリンク制御情報を搬送するためのアップリンク制御チャネルリソースを判定することと、
ネットワークデバイスが、アップリンク制御情報を搬送するためのアップリンク制御チャネルリソースに基づいてダウンリンク制御情報中の第１の情報を判定することと
をさらに含み得る。
【０２３３】
特に、上記のステップは、ネットワークデバイスによって第１の情報を判定する実装を提供する。ネットワークデバイスは、最初に、アップリンク制御情報を搬送するためのアップリンク制御チャネルリソースを判定し、次いで、アップリンク制御チャネルリソースに基づいてダウンリンク制御情報中の第１の情報を判定する。
【０２３４】
ネットワークデバイスは、異なる適用シナリオおよび異なるサービス要件に基づいてアップリンク制御チャネルリソースを判定することがあり、第１の情報は、異なる適用シナリオおよび異なるサービスにフレキシブルにマッチするために、アップリンク制御チャネルリソースを示すために使用される。
【０２３５】
本出願のこの実施形態は、第１の情報の特定の実装に対していかなる特別な限定をも課さず、第１の情報は要件に基づいて設定されることに留意されたい。
【０２３６】
任意選択で、特定の実装では、第１の情報が２ビット情報フィールドに対応する場合、ネットワークデバイスが、アップリンク制御情報を搬送するためのアップリンク制御チャネルリソースに基づいてダウンリンク制御情報中の第１の情報を判定することは、
【０２３７】
アップリンク制御情報を搬送するためのアップリンク制御チャネルリソースが第１のアップリンク制御チャネルリソースである場合、ネットワークデバイスが、第１の情報に対応する２ビット情報フィールドが００であると判定すること、
アップリンク制御情報を搬送するためのアップリンク制御チャネルリソースが第２のアップリンク制御チャネルリソースである場合、ネットワークデバイスが、第１の情報に対応する２ビット情報フィールドが０１であると判定すること、
アップリンク制御情報を搬送するためのアップリンク制御チャネルリソースが第３のアップリンク制御チャネルリソースである場合、ネットワークデバイスが、第１の情報に対応する２ビット情報フィールドが１０であると判定すること、または
アップリンク制御情報を搬送するためのアップリンク制御チャネルリソースが第４のアップリンク制御チャネルリソースである場合、ネットワークデバイスが、第１の情報に対応する２ビット情報フィールドが１１であると判定すること
を含み得る。
【０２３８】
第１のアップリンク制御チャネルリソース、第２のアップリンク制御チャネルリソース、第３のアップリンク制御チャネルリソース、および第４のアップリンク制御チャネルリソースは、第１のアップリンク制御チャネルリソースセットにすべて属し、第１のアップリンク制御チャネルリソースセットは、異なるアップリンク制御チャネルリソースセットからの少なくとも２つのアップリンク制御チャネルリソースを含む。少なくとも１つのアップリンク制御チャネルリソースは第２のアップリンク制御チャネルリソースセットから来て、少なくとも１つのアップリンク制御チャネルリソースは第３のアップリンク制御チャネルリソースセットから来る。
【０２３９】
さらに、ダウンリンク制御情報は第２の情報をさらに含むことがあり、第２の情報は、アップリンク制御情報を搬送するためのサブフレームを示すために使用される。
【０２４０】
特に、ダウンリンク制御情報がサブフレームｎ中で搬送される場合、アップリンク制御情報はサブフレームｎ＋ｋ中で搬送され、ｎは０以上の整数であり、ｋは０以上の整数であり、ｋの値は第２の情報に基づいて判定される。
【０２４１】
ｋが０に等しいとき、ダウンリンク制御情報およびアップリンク制御情報は同じサブフレーム中で搬送され得、したがって、高速なＨＡＲＱ再送信が実施され得、比較的小さいレイテンシのサービス要件が満たされ得、また、ｋが０よりも大きいとき、アップリンク制御情報は、ダウンリンク制御情報が搬送されるサブフレームに後続するサブフレーム中で搬送され、したがって、厳しいレイテンシ要件を有しないサービスの要件が満たされ得ることがわかろう。
【０２４２】
さらに、ダウンリンク制御情報は第３の情報をさらに含むことがあり、第３の情報は、チャネル状態情報の報告をトリガするために使用され、アップリンク制御情報はチャネル状態情報である。
【０２４３】
本出願のこの実施形態は、チャネル状態情報の定義および実装に対していかなる特別な限定をも課さないことに留意されたい。たとえば、チャネル状態情報は、チャネル品質情報、コード行列指示、レイヤ量指示、およびビーム関係情報を含み得る。
【０２４４】
さらに、ダウンリンク制御情報は第４の情報をさらに含むことがあり、第４の情報は、アップリンク制御情報を搬送するためのアップリンク制御チャネルリソースが属するリソースセットを示すために使用され、アップリンク制御チャネルリソースが属するリソースセットは、第２のアップリンク制御チャネルリソースセットまたは第３のアップリンク制御チャネルリソースセットである。
【０２４５】
特に、ダウンリンク制御情報中の第１の情報および第４の情報は、端末デバイスが、第１の情報および第４の情報に基づいて、アップリンク制御情報を搬送するためのアップリンク制御チャネルリソースを判定することを可能にするために使用され得る。
【０２４６】
任意選択で、ダウンリンク制御情報は、ダウンリンク共有チャネル送信をスケジュールするために使用され、アップリンク制御情報は、ダウンリンク共有チャネル送信に対応するハイブリッド自動再送要求フィードバックである。
【０２４７】
Ｓ２０２．端末デバイスがダウンリンク制御情報を受信し、ダウンリンク制御情報が第１の情報を含む。
【０２４８】
第１の情報は、アップリンク制御情報を搬送するためのアップリンク制御チャネルリソースを示すために使用される。
【０２４９】
アップリンク制御チャネルリソースは第１のアップリンク制御チャネルリソースセットに属し、第１のアップリンク制御チャネルリソースセットは、第２のアップリンク制御チャネルリソースセットおよび第３のアップリンク制御チャネルリソースセットを含み、第２のアップリンク制御チャネルリソースセット中に含まれるアップリンク制御チャネルリソースに対応するリソースインデックスは、第１に周波数領域および第２に時間領域の方式でソートされ、第３のアップリンク制御チャネルリソースセット中に含まれるアップリンク制御チャネルリソースに対応するリソースインデックスは、周波数領域においてソートされる。
【０２５０】
特に、端末デバイスは、ネットワークデバイスによって送られたダウンリンク制御情報を受信し、ダウンリンク制御情報は第１の情報を含み、第１の情報はアップリンク制御チャネルリソースを示し、アップリンク制御チャネルリソースは、アップリンク制御情報を搬送するために使用される。アップリンク制御チャネルリソースは第１のアップリンク制御チャネルリソースセットに属し、第１のアップリンク制御チャネルリソースセットは、第２のアップリンク制御チャネルリソースセットおよび第３のアップリンク制御チャネルリソースセットを含み、第２のアップリンク制御チャネルリソースセット中に含まれるアップリンク制御チャネルリソースに対応するリソースインデックスは、第１に周波数領域および第２に時間領域の方式でソートされ、第３のアップリンク制御チャネルリソースセット中に含まれるアップリンク制御チャネルリソースに対応するリソースインデックスは、周波数領域においてソートされる。言い換えれば、アップリンク制御情報を搬送するために使用され第１の情報によって示される、予約されたアップリンク制御チャネルリソースに対応するリソースインデックスは、固定ではなく、異なるソート方式に基づいて変更され得る。言い換えれば、各サブフレーム中でアップリンク制御情報を送信するために使用されるアップリンク制御チャネルリソースは、フレキシブルに変更され得る。
【０２５１】
したがって、固定のアップリンク制御チャネルリソースが予約される従来技術と比較して、本出願のこの実施形態において提供される情報送信方法では、第１の情報は、各サブフレーム中でアップリンク制御情報を送信するために使用されるアップリンク制御チャネルリソースをフレキシブルに予約し示すために使用され得る。このようにして、アップリンク制御チャネルリソースの構成フレキシビリティが改善される。
【０２５２】
加えて、各サブフレーム中でアップリンク制御チャネルを送信するために使用されるアップリンク制御チャネルリソースがフレキシブルに予約され示され得るので、アップリンク制御チャネルリソースのサイズは、アップリンク制御情報フィードバックの量に基づいて変更されてよく、したがって、リソースの浪費またはリソースの不足が回避され、システムリソース利用が改善される。
【０２５３】
任意選択で、Ｓ２０２において端末デバイスがダウンリンク制御情報を受信し、ダウンリンク制御情報が第１の情報を含み、第１の情報が、アップリンク制御情報を搬送するためのアップリンク制御チャネルリソースを示すために使用されることは、以下の３つの実装を有し得る。
【０２５４】
第１の実装：端末デバイスがダウンリンク制御チャネルを受信し、ダウンリンク制御チャネル上で搬送されるダウンリンク制御情報が第１の情報を含み、第１の情報が、アップリンク制御情報を搬送するためのアップリンク制御チャネルリソースを示すために使用される。
【０２５５】
第２の実装：端末デバイスがダウンリンク制御チャネルを受信し、ダウンリンク制御チャネルに対応するダウンリンク制御情報フォーマットが第１の情報フィールドを含み、第１の情報フィールドが、アップリンク制御情報を搬送するためのアップリンク制御チャネルリソースを示すために使用される。
【０２５６】
第３の実装：端末デバイスがダウンリンク制御情報フォーマットを検出し、ダウンリンク制御情報フォーマットが第１の情報フィールドを含み、第１の情報フィールドが、アップリンク制御情報を搬送するためのアップリンク制御チャネルリソースを示すために使用される。
【０２５７】
さらに、本出願のこの実施形態では、Ｓ２０２は、
【０２５８】
端末デバイスが上位レイヤシグナリングを受信することと、
端末デバイスが上位レイヤシグナリングに基づいて第１のアップリンク制御チャネルリソースセットを判定することと
をさらに含み得る。
【０２５９】
特に、端末デバイスは、ネットワークデバイスによって送られた上位レイヤシグナリングを受信し、端末デバイスは、上位レイヤシグナリングを使用することによって、ネットワークデバイスによって構成された第１のアップリンク制御チャネルリソースセット中に含まれるすべてのアップリンク制御チャネルリソースを知り得る。端末デバイスは、異なるシナリオ要件および異なるサービス要件に基づいてネットワークデバイスによってフレキシブルに構成されたアップリンク制御チャネルリソースを知り得るので、アップリンク制御チャネルリソースの構成フレキシビリティがさらに改善され、アップリンク制御情報送信性能が保証される。
【０２６０】
任意選択で、端末デバイスが上位レイヤシグナリングに基づいて第１のアップリンク制御チャネルリソースセットを判定することは、以下の４つの実装を有し得る。
【０２６１】
第１の実装：端末デバイスが、上位レイヤシグナリングに基づいて、第１のアップリンク制御チャネルリソースセット中のアップリンク制御チャネルリソースに対応するリソースインデックスを判定する。
【０２６２】
第２の実装：端末デバイスが、上位レイヤシグナリングに基づいて、第１のアップリンク制御チャネルリソースセット中のアップリンク制御チャネルリソースに対応するリソースインデックス、およびそれらのリソースインデックスに対応するシンボルまたはリソースブロックの量を判定する。
【０２６３】
第３の実装：端末デバイスが、上位レイヤシグナリングに基づいて、第１のアップリンク制御チャネルリソースセット中に含まれる第２のアップリンク制御チャネルリソースセットおよび第３のアップリンク制御チャネルリソースセットを判定する。
【０２６４】
第４の実装：
【０２６５】
端末デバイスが、上位レイヤシグナリングに基づいて、第１のアップリンク制御チャネルリソースセット中に含まれる第２のアップリンク制御チャネルリソースセット中のアップリンク制御チャネルリソースに対応するリソースインデックス、および第１のアップリンク制御チャネルリソースセット中に含まれる第３のアップリンク制御チャネルリソースセット中のアップリンク制御チャネルリソースに対応するリソースインデックスを判定する。
【０２６６】
任意選択で、第１の情報が２ビット情報フィールドに対応する場合、第１の情報が、アップリンク制御情報を搬送するためのアップリンク制御チャネルリソースを示すために使用されることは、
【０２６７】
第１の情報に対応する２ビット情報フィールドが００である場合、アップリンク制御情報を搬送するためのアップリンク制御チャネルリソースが第１のアップリンク制御チャネルリソースであること、
第１の情報に対応する２ビット情報フィールドが０１である場合、アップリンク制御情報を搬送するためのアップリンク制御チャネルリソースが第２のアップリンク制御チャネルリソースであること、
第１の情報に対応する２ビット情報フィールドが１０である場合、アップリンク制御情報を搬送するためのアップリンク制御チャネルリソースが第３のアップリンク制御チャネルリソースであること、または
第１の情報に対応する２ビット情報フィールドが１１である場合、アップリンク制御情報を搬送するためのアップリンク制御チャネルリソースが第４のアップリンク制御チャネルリソースであること
であり得る。
【０２６８】
第１のアップリンク制御チャネルリソース、第２のアップリンク制御チャネルリソース、第３のアップリンク制御チャネルリソース、および第４のアップリンク制御チャネルリソースは、第１のアップリンク制御チャネルリソースセットにすべて属し、第１のアップリンク制御チャネルリソースセットは、異なるアップリンク制御チャネルリソースセットからの少なくとも２つのアップリンク制御チャネルリソースを含む。少なくとも１つのアップリンク制御チャネルリソースは第２のアップリンク制御チャネルリソースセットから来て、少なくとも１つのアップリンク制御チャネルリソースは第３のアップリンク制御チャネルリソースセットから来る。
【０２６９】
このステップにおいて、ダウンリンク制御情報、アップリンク制御情報、アップリンク制御チャネルリソース、第１のアップリンク制御チャネルリソースセット、第１の情報、シンボル、リソースブロック、スロット、サブフレーム、および他の態様についての説明は、本出願のこの実施形態におけるＳ２０１の説明と同じであり、原理は同様であることに留意されたい。詳細についてここで再び説明されない。
【０２７０】
Ｓ２０３．端末デバイスが、第１の情報に基づいて、アップリンク制御情報を搬送するためのアップリンク制御チャネルリソースを判定する。
【０２７１】
任意選択で、Ｓ２０３において端末デバイスが、第１の情報に基づいて、アップリンク制御情報を搬送するためのアップリンク制御チャネルリソースを判定することは、以下の２つの実装を有し得る。
【０２７２】
第１の実装：
【０２７３】
端末デバイスが、第１の情報に基づいて、アップリンク制御情報を搬送するためのアップリンク制御チャネルリソースに対応するリソースインデックスを判定し、
端末デバイスが、アップリンク制御チャネルリソースに対応するリソースインデックスに基づいて、アップリンク制御チャネルに対応する時間周波数領域リソースおよび／またはコードリソースを判定する。
【０２７４】
第２の実装：
【０２７５】
端末デバイスが、第１の情報に基づいて、アップリンク制御情報を搬送するためのシンボル上でアップリンク制御情報を搬送するためのアップリンク制御チャネルに対応するリソースインデックスを判定し、
端末デバイスが、アップリンク制御チャネルリソースに対応するインデックスに基づいて、アップリンク制御チャネルに対応する時間周波数領域リソースおよび／またはコードリソースを判定する。
【０２７６】
任意選択で、ダウンリンク制御情報が第４の情報をさらに含む場合、Ｓ２０３は、
【０２７７】
端末デバイスが、第１の情報および第４の情報に基づいて、アップリンク制御情報を搬送するためのアップリンク制御チャネルリソースを判定すること
を含み得る。
【０２７８】
任意選択で、端末デバイスが、第１の情報および第４の情報に基づいて、アップリンク制御情報を搬送するためのアップリンク制御チャネルリソースを判定することは、
【０２７９】
端末デバイスが、第４の情報に基づいて、アップリンク制御情報を搬送するためのアップリンク制御チャネルリソースが属するリソースセットを判定し、アップリンク制御チャネルリソースが属するリソースセットが、第２のアップリンク制御チャネルリソースセットまたは第３のアップリンク制御チャネルリソースセットであることと、
端末デバイスが、第１の情報とアップリンク制御チャネルリソースが属するリソースセットとに基づいて、アップリンク制御情報を搬送するためのアップリンク制御チャネルリソースを判定することと
を含み得る。
【０２８０】
任意選択で、第１の情報が２ビット情報フィールドに対応する場合、端末デバイスが、第１の情報に基づいて、アップリンク制御情報を搬送するためのアップリンク制御チャネルリソースを判定することは、
【０２８１】
第１の情報に対応する２ビット情報フィールドが００である場合、端末デバイスは、アップリンク制御情報を搬送するためのアップリンク制御チャネルリソースが、上位レイヤシグナリングを使用することによって構成された第１のアップリンク制御チャネルリソースであると判定すること、
第１の情報に対応する２ビット情報フィールドが０１である場合、端末デバイスは、アップリンク制御情報を搬送するためのアップリンク制御チャネルリソースが、上位レイヤシグナリングを使用することによって構成された第２のアップリンク制御チャネルリソースであると判定すること、
第１の情報に対応する２ビット情報フィールドが１０である場合、端末デバイスは、アップリンク制御情報を搬送するためのアップリンク制御チャネルリソースが、上位レイヤシグナリングを使用することによって構成された第３のアップリンク制御チャネルリソースであると判定すること、または
第１の情報に対応する２ビット情報フィールドが１１である場合、端末デバイスは、アップリンク制御情報を搬送するためのアップリンク制御チャネルリソースが、上位レイヤシグナリングを使用することによって構成された第４のアップリンク制御チャネルリソースであると判定すること
を含み得る。
【０２８２】
第１のアップリンク制御チャネルリソース、第２のアップリンク制御チャネルリソース、第３のアップリンク制御チャネルリソース、および第４のアップリンク制御チャネルリソースは、第１のアップリンク制御チャネルリソースセットにすべて属し、第１のアップリンク制御チャネルリソースセットは、異なるアップリンク制御チャネルリソースセットからの少なくとも２つのアップリンク制御チャネルリソースを含む。少なくとも１つのアップリンク制御チャネルリソースは第２のアップリンク制御チャネルリソースセットから来て、少なくとも１つのアップリンク制御チャネルリソースは第３のアップリンク制御チャネルリソースセットから来る。
【０２８３】
Ｓ２０４．端末デバイスが、アップリンク制御チャネルリソースを使用することによってネットワークデバイスにアップリンク制御情報を送る。
【０２８４】
特に、アップリンク制御チャネルリソースを使用することによってネットワークデバイスにアップリンク制御情報を送るために端末デバイスによってどんな既存の処理方法でも使用され得る。たとえば、アップリンク制御情報上でチャネルコーディング、変調、およびマッピングを実施することなどのステップが含まれ得る。本出願のこの実施形態は、それに対していかなる特別な限定をも課さない。
【０２８５】
Ｓ２０５．ネットワークデバイスが、アップリンク制御情報を搬送するためのアップリンク制御チャネルリソース上で、端末デバイスによって送られたアップリンク制御情報を受信する。
【０２８６】
任意選択で、ダウンリンク制御情報が第２の情報をさらに含み、第２の情報が、アップリンク制御情報を搬送するためのサブフレームを示すために使用される場合、このステップは、
【０２８７】
ネットワークデバイスが、アップリンク制御情報を搬送するためのサブフレーム中のアップリンク制御情報を搬送するためのシンボル上で、端末デバイスによって送られたアップリンク制御情報を受信すること
をさらに含み得る。
【０２８８】
本出願のこの実施形態では、ステップＳ２０１からＳ２０５の順序は限定されず、ステップＳ２０１からＳ２０５の間の相互従属性も限定されないことに留意されたい。
【０２８９】
本出願のこの実施形態では、ダウンリンク制御情報、アップリンク制御情報、アップリンク制御チャネルリソース、第１のアップリンク制御チャネルリソースセット、第１の情報、第２の情報、第３の情報、シンボル、リソースブロック、スロット、サブフレーム、アップリンク制御チャネルリソースに対応するリソースインデックス、および他の態様についての説明は、本出願の方法実施形態１における説明と同じであり、原理は同様であることに留意されたい。詳細についてここで再び説明されない。
【０２９０】
以下で、特定の例を使用することによって本出願のこの実施形態において提供される情報送信方法について詳細に説明し、第２のアップリンク制御チャネルリソースセットの実装について主に説明する。
【０２９１】
図６は、本出願の一実施形態による情報送信方法の実施形態２におけるアップリンク制御チャネルリソースの概略構造図である。図６に示されているように、第２のアップリンク制御チャネルリソースセット中に含まれるアップリンク制御チャネルリソースに対応するリソースインデックスは、第１に周波数領域および第２に時間領域の方式でソートされ、第２のアップリンク制御チャネルリソースセット中の各アップリンク制御チャネルリソースは１つのシンボルに対応する。
【０２９２】
特に、最後のシンボル上のアップリンク制御チャネルリソースが最初にソートされ、次いで、最後から２番目のシンボル上のアップリンク制御チャネルリソースがソートされる。最後のシンボルは、リソースインデックスが０からＮ−１であるアップリンク制御チャネルリソースに対応し、最後から２番目のシンボルは、リソースインデックスがＮから２Ｎ−１であるアップリンク制御チャネルリソースに対応する。
【０２９３】
本出願のこの実施形態では、第２のアップリンク制御チャネルリソースセットは２つのアップリンク制御チャネルリソースを含み、たとえば、第１のアップリンク制御チャネルリソースおよび第２のアップリンク制御チャネルリソースを含むことがあり、第１のアップリンク制御チャネルリソースおよび第２のアップリンク制御チャネルリソースは異なるシンボルに対応する。たとえば、第１のアップリンク制御チャネルリソースは、リソースインデックス２に対応し、最後のシンボルに対応し、第２のアップリンク制御チャネルリソースは、リソースインデックスＮ＋２に対応し、最後から２番目のシンボルに対応する。
【０２９４】
本出願のこの実施形態では、代替として、第２のアップリンク制御チャネルリソースセットは４つのアップリンク制御チャネルリソースを含むことがあり、少なくとも２つのアップリンク制御チャネルリソースは異なるシンボルに対応する。たとえば、第１のアップリンク制御チャネルリソースは、リソースインデックス２に対応し、最後のシンボルに対応し、第２のアップリンク制御チャネルリソースは、リソースインデックスＮ＋２に対応し、最後から２番目のシンボルに対応し、第３のアップリンク制御チャネルリソースは、リソースインデックスＮ−１に対応し、最後のシンボルに対応し、第４のアップリンク制御チャネルリソースは、リソースインデックスＮ−２に対応し、最後のシンボルに対応する。
【０２９５】
以下で、別の特定の例を使用することによって本出願のこの実施形態において提供される情報送信方法について詳細に説明し、第３のアップリンク制御チャネルリソースセットの実装について主に説明する。
【０２９６】
図７は、本出願の一実施形態による情報送信方法の実施形態２におけるアップリンク制御チャネルリソースの別の概略構造図である。図７に示されているように、第３のアップリンク制御チャネルリソースセット中に含まれるアップリンク制御チャネルリソースに対応するリソースインデックスは周波数領域においてソートされ、第３のアップリンク制御チャネルリソースセット中の各アップリンク制御チャネルリソースは２つのシンボルに対応する。
【０２９７】
特に、第３のアップリンク制御チャネルリソースセット中に含まれるアップリンク制御チャネルリソースに対応するリソースインデックスは、異なるリソースブロックおよび／または異なるコードリソースのみに基づいてソートされる。
【０２９８】
本出願のこの実施形態では、第３のアップリンク制御チャネルリソースセットは２つのアップリンク制御チャネルリソースを含み、たとえば、第１のアップリンク制御チャネルリソースおよび第２のアップリンク制御チャネルリソースを含むことがあり、第１のアップリンク制御チャネルリソースおよび第２のアップリンク制御チャネルリソースは、異なるリソースブロックおよび／または異なるコードリソースに対応する。
【０２９９】
本出願のこの実施形態では、代替として、第３のアップリンク制御チャネルリソースセットは４つのアップリンク制御チャネルリソースを含むことがあり、異なるアップリンク制御チャネルリソースは異なるリソースブロックおよび／またはコードリソースに対応する。
【０３００】
以下で、さらに別の特定の例を使用することによって本出願のこの実施形態において提供される情報送信方法について詳細に説明する。
【０３０１】
第１のアップリンク制御チャネルリソースセットは、第２のアップリンク制御チャネルリソースセットおよび第３のアップリンク制御チャネルリソースセットを含む。
【０３０２】
第２のアップリンク制御チャネルリソースセットは、第１のアップリンク制御チャネルリソースおよび第２のアップリンク制御チャネルリソースを含む。第１のアップリンク制御チャネルリソースは１つのシンボルに対応し、第１のアップリンク制御チャネルリソースは、サブフレーム中の最後から２番目のシンボル上で搬送され得る。第２のアップリンク制御チャネルリソースは１つのシンボルに対応し、第２のアップリンク制御チャネルリソースは、サブフレーム中の最後のシンボル上で搬送され得る。
【０３０３】
第３のアップリンク制御チャネルリソースセットは、第３のアップリンク制御チャネルリソースおよび第４のアップリンク制御チャネルリソースを含む。第３のアップリンク制御チャネルリソースは２つのシンボルに対応し、第４のアップリンク制御チャネルリソースは２つのシンボルに対応する。第３のアップリンク制御チャネルリソースおよび第４のアップリンク制御チャネルリソースは、異なるリソースブロックを占有し得る。
【０３０４】
図８は、本出願の一実施形態による情報送信方法の実施形態２におけるアップリンク制御チャネルリソースのさらに別の概略構造図である。図８に示されているように、説明のための一例として３つのサブフレームが使用される。サブフレームの通し番号は、それぞれサブフレームｎ、サブフレームｎ＋１、およびサブフレームｎ＋２であり、ｎはサブフレーム番号であり、ｎは０以上の整数である。サブフレームｎ＋１はタイプ１サブフレームであり、サブフレームｎおよびサブフレームｎ＋２はタイプ３サブフレームである。
【０３０５】
特に、サブフレームｎはＤＣＩを搬送し、ＤＣＩはサブフレームｎ中の第１のシンボル上で搬送され、ＤＣＩは、ＰＤＳＣＨ送信をスケジュールするために使用され、ＰＤＳＣＨ送信はサブフレームｎ中で搬送される。ＤＣＩは第１の情報を含み、第１の情報は、ＰＤＳＣＨ送信に対応するＨＡＲＱフィードバックが、同じサブフレーム（サブフレームｎ）中で送信されるアップリンク制御チャネルリソース、および特に、第２のアップリンク制御チャネルリソースセット中の第１のアップリンク制御チャネルリソース上で搬送されるべきことを示す。
【０３０６】
ＰＤＳＣＨ送信においてエラーが生じた場合、ＰＤＳＣＨに対応する再送信がサブフレームｎ＋１中で搬送され、再送信に対応するＤＣＩは、サブフレームｎ＋１中の第１のシンボル上で搬送される。
【０３０７】
図８に示されている例では、サブフレームｎ中で送信されるＰＤＳＣＨ上で搬送されるデータは低レイテンシサービスに対応し、サブフレームｎ中で搬送されるＤＣＩは第１の情報を含み、サブフレームｎ中で搬送されるＤＣＩは、現在のサブフレーム（サブフレームｎ）中でＰＤＳＣＨ送信をスケジュールするために使用され、第１の情報は、ＰＤＳＣＨ送信に対応するＨＡＲＱフィードバックが現在のサブフレーム（サブフレームｎ）中で送信されるべきであり、ＨＡＲＱフィードバックが、特に、現在のサブフレーム（サブフレームｎ）中の最後から２番目のシンボル上で搬送されることを示すことがわかろう。このようにして、ネットワークデバイス側のために１つのシンボル（サブフレームｎ中の最後のシンボル）の処理時間が予約され、したがって、再送信はサブフレームｎ＋１中の第１のシンボル上でスケジュールされて、高速な再送信が実施され得る。
【０３０８】
さらに、サブフレームｎ＋１およびサブフレームｎ＋２中で搬送されるＰＤＳＣＨ送信に対応するＨＡＲＱフィードバックは、両方ともサブフレームｎ＋２中で送信される。この場合、サブフレームｎ＋１中で送信されるＰＤＳＣＨは、サブフレームｎ中にあるＰＤＳＣＨの再送信でないことがある。サブフレームｎ＋１およびサブフレームｎ＋２中で搬送されるＤＣＩ中の第１の情報は、サブフレームｎ＋２中でＨＡＲＱフィードバックを搬送するためのアップリンク制御チャネルリソースが、第３のアップリンク制御チャネルリソースセット中の第３のアップリンク制御チャネルリソースであることを示すために使用され、第３のアップリンク制御チャネルリソースは２つのシンボルに対応する。したがって、サブフレームｎ＋１とサブフレームｎ＋２に対応するＨＡＲＱフィードバックが両方、サブフレームｎ＋２中で送信され得る。このようにして、ＵＣＩ送信信頼性が保証される。
【０３０９】
本出願のこの実施形態は、ネットワークデバイスがダウンリンク制御情報を送り、ダウンリンク制御情報が第１の情報を含むことと、端末デバイスが、ダウンリンク制御情報を受信し、第１の情報に基づいて、アップリンク制御情報を搬送するためのアップリンク制御チャネルリソースを判定し、アップリンク制御チャネルリソースを使用することによってネットワークデバイスにアップリンク制御情報を送ることと、ネットワークデバイスが、アップリンク制御情報を搬送するためのアップリンク制御チャネルリソース上で、端末デバイスによって送られたアップリンク制御情報を受信することとを含む、情報送信方法を提供する。したがって、本出願のこの実施形態において提供される情報送信方法によれば、第１の情報は、各サブフレーム中でアップリンク制御情報を送信するために使用されるアップリンク制御チャネルリソースをフレキシブルに予約し示すために使用され得る。このようにして、アップリンク制御チャネルリソースの構成フレキシビリティが改善され、システムリソース利用が改善される。
【０３１０】
図９は、本出願の一実施形態による情報送信方法の実施形態３の概略フローチャートである。本出願のこの実施形態と、方法実施形態１と方法実施形態２の両方との間の差異は、第１のアップリンク制御チャネルリソースセットの実装が異なることである。図９に示されているように、本出願のこの実施形態において提供される情報送信方法は以下のステップを含み得る。
【０３１１】
Ｓ３０１．ネットワークデバイスがダウンリンク制御情報を送り、ダウンリンク制御情報が第１の情報を含む。
【０３１２】
第１の情報は、アップリンク制御情報を搬送するためのアップリンク制御チャネルリソースを示すために使用される。
【０３１３】
アップリンク制御チャネルリソースは第１のアップリンク制御チャネルリソースセットに属し、第１のアップリンク制御チャネルリソースセットは、第４のアップリンク制御チャネルリソースセットおよび第５のアップリンク制御チャネルリソースセットを含み、第４のアップリンク制御チャネルリソースセット中に含まれるアップリンク制御チャネルリソースは第１のスロットに対応し、第５のアップリンク制御チャネルリソースセット中に含まれるアップリンク制御チャネルリソースは第２のスロットに対応する。
【０３１４】
特に、ネットワークデバイスは端末デバイスにダウンリンク制御情報を送り、ダウンリンク制御情報は第１の情報を含み、第１の情報はアップリンク制御チャネルリソースを示し、アップリンク制御チャネルリソースは、アップリンク制御情報を搬送するために使用される。アップリンク制御チャネルリソースは第１のアップリンク制御チャネルリソースセットに属し、第１のアップリンク制御チャネルリソースセットは、第４のアップリンク制御チャネルリソースセットおよび第５のアップリンク制御チャネルリソースセットを含み、第４のアップリンク制御チャネルリソースセット中に含まれるアップリンク制御チャネルリソースは第１のスロットに対応し、第５のアップリンク制御チャネルリソースセット中に含まれるアップリンク制御チャネルリソースは第２のスロットに対応する。言い換えれば、アップリンク制御情報を搬送するために使用され第１の情報によって示される、予約されたアップリンク制御チャネルリソースに対応するスロットは、固定ではなく、変更され得る。言い換えれば、各サブフレーム中でアップリンク制御情報を送信するために使用されるアップリンク制御チャネルリソースは、フレキシブルに変更され得る。
【０３１５】
固定のアップリンク制御チャネルリソースが予約される従来技術と比較して、本出願のこの実施形態において提供される情報送信方法では、第１の情報は、各サブフレーム中でアップリンク制御情報を送信するために使用されるアップリンク制御チャネルリソースをフレキシブルに予約し示すために使用され得ることがわかろう。このようにして、アップリンク制御チャネルリソースの構成フレキシビリティが改善される。
【０３１６】
加えて、各サブフレーム中でアップリンク制御チャネルを送信するために使用されるアップリンク制御チャネルリソースがフレキシブルに予約され示され得るので、アップリンク制御チャネルリソースのサイズは、アップリンク制御情報フィードバックの量に基づいて変更されてよく、したがって、リソースの浪費またはリソースの不足が回避され、システムリソース利用が改善される。
【０３１７】
任意選択で、第１のスロットおよび第２のスロットは同じサブフレームに属し得る。
【０３１８】
任意選択で、Ｓ３０１においてネットワークデバイスがダウンリンク制御情報を送り、ダウンリンク制御情報が第１の情報を含み、第１の情報が、アップリンク制御情報を搬送するためのアップリンク制御チャネルリソースを示すために使用されることは、以下の３つの実装を有し得る。
【０３１９】
第１の実装：ネットワークデバイスがダウンリンク制御チャネルを送り、ダウンリンク制御チャネル上で搬送されるダウンリンク制御情報が第１の情報を含み、第１の情報が、アップリンク制御情報を搬送するためのアップリンク制御チャネルリソースを示すために使用される。
【０３２０】
第２の実装：ネットワークデバイスがダウンリンク制御チャネルを送り、ダウンリンク制御チャネルに対応するダウンリンク制御情報フォーマットが第１の情報フィールドを含み、第１の情報フィールドが、アップリンク制御情報を搬送するためのアップリンク制御チャネルリソースを示すために使用される。
【０３２１】
第３の実装：ネットワークデバイスがダウンリンク制御情報フォーマットを送り、ダウンリンク制御情報フォーマットが第１の情報フィールドを含み、第１の情報フィールドが、アップリンク制御情報を搬送するためのアップリンク制御チャネルリソースを示すために使用される。
【０３２２】
任意選択で、アップリンク制御チャネルリソースは、アップリンク制御チャネルに対応する時間周波数領域リソースおよび／またはコードリソースであり得る。コードリソースは、アップリンク制御チャネルに対応するシーケンスのサイクリックシフトおよび／または直交拡散コードであり得る。
【０３２３】
任意選択で、第１の情報が、アップリンク制御情報を搬送するためのアップリンク制御チャネルリソースを示すために使用されることは、
【０３２４】
第１の情報が、アップリンク制御情報を搬送するためのアップリンク制御チャネルリソースに対応するリソースインデックスを示すために使用され、アップリンク制御チャネルリソースに対応するリソースインデックスが、リソースインデックスに基づいて、アップリンク制御チャネルに対応する時間周波数領域リソースおよび／またはコードリソースを判定するために端末デバイスによって使用されること
を含み得る。
【０３２５】
さらに、本出願のこの実施形態では、Ｓ３０１は、
【０３２６】
ネットワークデバイスが上位レイヤシグナリングを送り、上位レイヤシグナリングが、第１のアップリンク制御チャネルリソースセットを示すために使用されること
をさらに含み得る。
【０３２７】
特に、ネットワークデバイスは、異なるシナリオ要件および異なるサービス送信要件を満たすように、アップリンク制御チャネルリソースに対応するスロットをフレキシブルに構成し得、ネットワークデバイスは、上位レイヤシグナリングを使用することによって端末デバイスのために第１のアップリンク制御チャネルリソースセット中に含まれるすべてのアップリンク制御チャネルリソースを構成し得る。このようにして、アップリンク制御チャネルリソースの構成フレキシビリティがさらに改善され、アップリンク制御情報送信性能が保証される。
【０３２８】
任意選択で、上位レイヤシグナリングが、第１のアップリンク制御チャネルリソースセットを示すために使用されることは、以下の４つの実装を有し得る。
【０３２９】
第１の実装：
【０３３０】
上位レイヤシグナリングが、第１のアップリンク制御チャネルリソースセット中のアップリンク制御チャネルリソースに対応するリソースインデックスを示すために使用される。
【０３３１】
第２の実装：
【０３３２】
上位レイヤシグナリングが、第１のアップリンク制御チャネルリソースセット中のアップリンク制御チャネルリソースに対応するリソースインデックス、およびそれらのリソースインデックスに対応するシンボルまたはリソースブロックの量を示すために使用される。
【０３３３】
第３の実装：
【０３３４】
上位レイヤシグナリングが、第１のアップリンク制御チャネルリソースセット中に含まれる第４のアップリンク制御チャネルリソースセットおよび第５のアップリンク制御チャネルリソースセットを示すために使用される。
【０３３５】
第４の実装：
【０３３６】
上位レイヤシグナリングが、第１のアップリンク制御チャネルリソースセット中に含まれる第４のアップリンク制御チャネルリソースセット中のアップリンク制御チャネルリソースに対応するリソースインデックス、および第１のアップリンク制御チャネルリソースセット中に含まれる第５のアップリンク制御チャネルリソースセット中のアップリンク制御チャネルリソースに対応するリソースインデックスを示すために使用される。
【０３３７】
任意選択で、第４のアップリンク制御チャネルリソースセット中に含まれるアップリンク制御チャネルリソースは第１のスロットに対応し、第５のアップリンク制御チャネルリソースセット中に含まれるアップリンク制御チャネルリソースは第２のスロットに対応する
【０３３８】
さらに、本出願のこの実施形態では、Ｓ３０１は、
【０３３９】
ネットワークデバイスが、アップリンク制御情報を搬送するためのアップリンク制御チャネルリソースを判定することと、
ネットワークデバイスが、アップリンク制御情報を搬送するためのアップリンク制御チャネルリソースに基づいてダウンリンク制御情報中の第１の情報を判定することと
をさらに含み得る。
【０３４０】
特に、上記のステップは、ネットワークデバイスによって第１の情報を判定する実装を提供する。ネットワークデバイスは、最初に、アップリンク制御情報を搬送するためのアップリンク制御チャネルリソースを判定し、次いで、アップリンク制御チャネルリソースに基づいてダウンリンク制御情報中の第１の情報を判定する。
【０３４１】
ネットワークデバイスは、異なる適用シナリオおよび異なるサービス要件に基づいてアップリンク制御チャネルリソースを判定することがあり、第１の情報は、異なる適用シナリオおよび異なるサービスにフレキシブルにマッチするために、アップリンク制御チャネルリソースを示すために使用される。
【０３４２】
本出願のこの実施形態は、第１の情報の特定の実装に対していかなる特別な限定をも課さず、第１の情報は要件に基づいて設定されることに留意されたい。
【０３４３】
任意選択で、特定の実装では、第１の情報が２ビット情報フィールドに対応する場合、ネットワークデバイスが、アップリンク制御情報を搬送するためのアップリンク制御チャネルリソースに基づいてダウンリンク制御情報中の第１の情報を判定することは、
【０３４４】
アップリンク制御情報を搬送するためのアップリンク制御チャネルリソースが第１のアップリンク制御チャネルリソースである場合、ネットワークデバイスが、第１の情報に対応する２ビット情報フィールドが００であると判定すること、
アップリンク制御情報を搬送するためのアップリンク制御チャネルリソースが第２のアップリンク制御チャネルリソースである場合、ネットワークデバイスが、第１の情報に対応する２ビット情報フィールドが０１であると判定すること、
アップリンク制御情報を搬送するためのアップリンク制御チャネルリソースが第３のアップリンク制御チャネルリソースである場合、ネットワークデバイスが、第１の情報に対応する２ビット情報フィールドが１０であると判定すること、または
アップリンク制御情報を搬送するためのアップリンク制御チャネルリソースが第４のアップリンク制御チャネルリソースである場合、ネットワークデバイスが、第１の情報に対応する２ビット情報フィールドが１１であると判定すること
を含み得る。
【０３４５】
第１のアップリンク制御チャネルリソース、第２のアップリンク制御チャネルリソース、第３のアップリンク制御チャネルリソース、および第４のアップリンク制御チャネルリソースは、第１のアップリンク制御チャネルリソースセットにすべて属し、第１のアップリンク制御チャネルリソースセットは、異なるアップリンク制御チャネルリソースセットからの少なくとも２つのアップリンク制御チャネルリソースを含む。少なくとも１つのアップリンク制御チャネルリソースは第４のアップリンク制御チャネルリソースセットから来て、少なくとも１つのアップリンク制御チャネルリソースは第５のアップリンク制御チャネルリソースセットから来る。
【０３４６】
さらに、ダウンリンク制御情報は第２の情報をさらに含むことがあり、第２の情報は、アップリンク制御情報を搬送するためのサブフレームを示すために使用される。
【０３４７】
特に、ダウンリンク制御情報がサブフレームｎ中で搬送される場合、アップリンク制御情報はサブフレームｎ＋ｋ中で搬送され、ｎは０以上の整数であり、ｋは０以上の整数であり、ｋの値は第２の情報に基づいて判定される。
【０３４８】
ｋが０に等しいとき、ダウンリンク制御情報およびアップリンク制御情報は同じサブフレーム中で搬送され得、したがって、高速なＨＡＲＱ再送信が実施され得、比較的小さいレイテンシのサービス要件が満たされ得、また、ｋが０よりも大きいとき、アップリンク制御情報は、ダウンリンク制御情報が搬送されるサブフレームに後続するサブフレーム中で搬送され、したがって、厳しいレイテンシ要件を有しないサービスの要件が満たされ得ることがわかろう。第２の情報を使用することは、アップリンク制御チャネルリソースの構成フレキシビリティを改善する。
【０３４９】
さらに、ダウンリンク制御情報は第３の情報をさらに含むことがあり、第３の情報は、チャネル状態情報の報告をトリガするために使用され、アップリンク制御情報はチャネル状態情報である。
【０３５０】
本出願のこの実施形態は、チャネル状態情報の定義および実装に対していかなる特別な限定をも課さないことに留意されたい。たとえば、チャネル状態情報は、チャネル品質情報、コード行列指示、レイヤ量指示、およびビーム関係情報を含み得る。
【０３５１】
任意選択で、ダウンリンク制御情報は、ダウンリンク共有チャネル送信をスケジュールするために使用され、アップリンク制御情報は、ダウンリンク共有チャネル送信に対応するハイブリッド自動再送要求フィードバックである。
【０３５２】
Ｓ３０２．端末デバイスがダウンリンク制御情報を受信し、ダウンリンク制御情報が第１の情報を含む。
【０３５３】
第１の情報は、アップリンク制御情報を搬送するためのアップリンク制御チャネルリソースを示すために使用される。
【０３５４】
アップリンク制御チャネルリソースは第１のアップリンク制御チャネルリソースセットに属し、第１のアップリンク制御チャネルリソースセットは、第４のアップリンク制御チャネルリソースセットおよび第５のアップリンク制御チャネルリソースセットを含み、第４のアップリンク制御チャネルリソースセット中に含まれるアップリンク制御チャネルリソースは第１のスロットに対応し、第５のアップリンク制御チャネルリソースセット中に含まれるアップリンク制御チャネルリソースは第２のスロットに対応する。
【０３５５】
特に、端末デバイスは、ネットワークデバイスによって送られたダウンリンク制御情報を受信し、ダウンリンク制御情報は第１の情報を含み、第１の情報はアップリンク制御チャネルリソースを示し、アップリンク制御チャネルリソースは、アップリンク制御情報を搬送するために使用される。アップリンク制御チャネルリソースは第１のアップリンク制御チャネルリソースセットに属し、第１のアップリンク制御チャネルリソースセットは、第４のアップリンク制御チャネルリソースセットおよび第５のアップリンク制御チャネルリソースセットを含み、第４のアップリンク制御チャネルリソースセット中に含まれるアップリンク制御チャネルリソースは第１のスロットに対応し、第５のアップリンク制御チャネルリソースセット中に含まれるアップリンク制御チャネルリソースは第２のスロットに対応する。言い換えれば、アップリンク制御情報を搬送するために使用され第１の情報によって示される、予約されたアップリンク制御チャネルリソースに対応するスロットは、固定ではなく、変更され得る。言い換えれば、各サブフレーム中でアップリンク制御情報を送信するために使用されるアップリンク制御チャネルリソースは、フレキシブルに変更され得る。
【０３５６】
したがって、固定のアップリンク制御チャネルリソースが予約される従来技術と比較して、本出願のこの実施形態において提供される情報送信方法では、第１の情報は、各サブフレーム中でアップリンク制御情報を送信するために使用されるアップリンク制御チャネルリソースをフレキシブルに予約し示すために使用され得る。このようにして、アップリンク制御チャネルリソースの構成フレキシビリティが改善される。
【０３５７】
加えて、各サブフレーム中でアップリンク制御チャネルを送信するために使用されるアップリンク制御チャネルリソースがフレキシブルに予約され示され得るので、アップリンク制御チャネルリソースのサイズは、アップリンク制御情報フィードバックの量に基づいて変更されてよく、したがって、リソースの浪費またはリソースの不足が回避され、システムリソース利用が改善される。
【０３５８】
任意選択で、Ｓ３０２において端末デバイスがダウンリンク制御情報を受信し、ダウンリンク制御情報が第１の情報を含み、第１の情報が、アップリンク制御情報を搬送するためのアップリンク制御チャネルリソースを示すために使用されることは、以下の３つの実装を有し得る。
【０３５９】
第１の実装：端末デバイスがダウンリンク制御チャネルを受信し、ダウンリンク制御チャネル上で搬送されるダウンリンク制御情報が第１の情報を含み、第１の情報が、アップリンク制御情報を搬送するためのアップリンク制御チャネルリソースを示すために使用される。
【０３６０】
第２の実装：端末デバイスがダウンリンク制御チャネルを受信し、ダウンリンク制御チャネルに対応するダウンリンク制御情報フォーマットが第１の情報フィールドを含み、第１の情報フィールドが、アップリンク制御情報を搬送するためのアップリンク制御チャネルリソースを示すために使用される。
【０３６１】
第３の実装：端末デバイスがダウンリンク制御情報フォーマットを検出し、ダウンリンク制御情報フォーマットが第１の情報フィールドを含み、第１の情報フィールドが、アップリンク制御情報を搬送するためのアップリンク制御チャネルリソースを示すために使用される。
【０３６２】
さらに、本出願のこの実施形態では、Ｓ３０２は、
【０３６３】
端末デバイスが上位レイヤシグナリングを受信することと、
端末デバイスが上位レイヤシグナリングに基づいて第１のアップリンク制御チャネルリソースセットを判定することと
をさらに含み得る。
【０３６４】
特に、端末デバイスは、ネットワークデバイスによって送られた上位レイヤシグナリングを受信し、端末デバイスは、上位レイヤシグナリングを使用することによって、ネットワークデバイスによって構成された第１のアップリンク制御チャネルリソースセット中に含まれるすべてのアップリンク制御チャネルリソースを知り得る。端末デバイスは、異なるシナリオ要件および異なるサービス要件に基づいてネットワークデバイスによってフレキシブルに構成されたアップリンク制御チャネルリソースを知り得るので、アップリンク制御チャネルリソースの構成フレキシビリティがさらに改善され、アップリンク制御情報送信性能が保証される。
【０３６５】
任意選択で、端末デバイスが上位レイヤシグナリングに基づいて第１のアップリンク制御チャネルリソースセットを判定することは、以下の４つの実装を有し得る。
【０３６６】
第１の実装：端末デバイスが、上位レイヤシグナリングに基づいて、第１のアップリンク制御チャネルリソースセット中のアップリンク制御チャネルリソースに対応するリソースインデックスを判定する。
【０３６７】
第２の実装：端末デバイスが、上位レイヤシグナリングに基づいて、第１のアップリンク制御チャネルリソースセット中のアップリンク制御チャネルリソースに対応するリソースインデックス、およびそれらのリソースインデックスに対応するシンボルまたはリソースブロックの量を判定する。
【０３６８】
第３の実装：端末デバイスが、上位レイヤシグナリングに基づいて、第１のアップリンク制御チャネルリソースセット中に含まれる第４のアップリンク制御チャネルリソースセットおよび第５のアップリンク制御チャネルリソースセットを判定する。
【０３６９】
第４の実装：
【０３７０】
端末デバイスが、上位レイヤシグナリングに基づいて、第１のアップリンク制御チャネルリソースセット中に含まれる第４のアップリンク制御チャネルリソースセット中のアップリンク制御チャネルリソースに対応するリソースインデックス、および第１のアップリンク制御チャネルリソースセット中に含まれる第５のアップリンク制御チャネルリソースセット中のアップリンク制御チャネルリソースに対応するリソースインデックスを判定する。
【０３７１】
任意選択で、第４のアップリンク制御チャネルリソースセット中に含まれるアップリンク制御チャネルリソースは第１のスロットに対応し、第５のアップリンク制御チャネルリソースセット中に含まれるアップリンク制御チャネルリソースは第２のスロットに対応する
【０３７２】
任意選択で、第１の情報が２ビット情報フィールドに対応する場合、第１の情報が、アップリンク制御情報を搬送するためのアップリンク制御チャネルリソースを示すために使用されることは、
【０３７３】
第１の情報に対応する２ビット情報フィールドが００である場合、アップリンク制御情報を搬送するためのアップリンク制御チャネルリソースが第１のアップリンク制御チャネルリソースであること、
第１の情報に対応する２ビット情報フィールドが０１である場合、アップリンク制御情報を搬送するためのアップリンク制御チャネルリソースが第２のアップリンク制御チャネルリソースであること、
第１の情報に対応する２ビット情報フィールドが１０である場合、アップリンク制御情報を搬送するためのアップリンク制御チャネルリソースが第３のアップリンク制御チャネルリソースであること、または
第１の情報に対応する２ビット情報フィールドが１１である場合、アップリンク制御情報を搬送するためのアップリンク制御チャネルリソースが第４のアップリンク制御チャネルリソースであること
であり得る。
【０３７４】
第１のアップリンク制御チャネルリソース、第２のアップリンク制御チャネルリソース、第３のアップリンク制御チャネルリソース、および第４のアップリンク制御チャネルリソースは、第１のアップリンク制御チャネルリソースセットにすべて属し、第１のアップリンク制御チャネルリソースセットは、異なるアップリンク制御チャネルリソースセットからの少なくとも２つのアップリンク制御チャネルリソースを含む。少なくとも１つのアップリンク制御チャネルリソースは第４のアップリンク制御チャネルリソースセットから来て、少なくとも１つのアップリンク制御チャネルリソースは第５のアップリンク制御チャネルリソースセットから来る。
【０３７５】
このステップにおいて、ダウンリンク制御情報、アップリンク制御情報、アップリンク制御チャネルリソース、第１のアップリンク制御チャネルリソースセット、第１の情報、シンボル、リソースブロック、スロット、サブフレーム、および他の態様についての説明は、本出願のこの実施形態におけるＳ３０１の説明と同じであり、原理は同様であることに留意されたい。詳細についてここで再び説明されない。
【０３７６】
Ｓ３０３．端末デバイスが、第１の情報に基づいて、アップリンク制御情報を搬送するためのアップリンク制御チャネルリソースを判定する。
【０３７７】
任意選択で、Ｓ３０３において端末デバイスが、第１の情報に基づいて、アップリンク制御情報を搬送するためのアップリンク制御チャネルリソースを判定することは、以下の２つの実装を有し得る。
【０３７８】
第１の実装：
【０３７９】
端末デバイスが、第１の情報に基づいて、アップリンク制御情報を搬送するためのアップリンク制御チャネルリソースに対応するリソースインデックスを判定し、
端末デバイスが、アップリンク制御チャネルリソースに対応するリソースインデックスに基づいて、アップリンク制御チャネルに対応する時間周波数領域リソースおよび／またはコードリソースを判定する。
【０３８０】
第２の実装：
【０３８１】
端末デバイスが、第１の情報に基づいて、アップリンク制御情報を搬送するためのシンボル上でアップリンク制御情報を搬送するためのアップリンク制御チャネルに対応するリソースインデックスを判定し、
端末デバイスが、アップリンク制御チャネルリソースに対応するインデックスに基づいて、アップリンク制御チャネルに対応する時間周波数領域リソースおよび／またはコードリソースを判定する。
【０３８２】
任意選択で、第１の情報が２ビット情報フィールドに対応する場合、端末デバイスが、第１の情報に基づいて、アップリンク制御情報を搬送するためのアップリンク制御チャネルリソースを判定することは、
【０３８３】
第１の情報に対応する２ビット情報フィールドが００である場合、端末デバイスは、アップリンク制御情報を搬送するためのアップリンク制御チャネルリソースが、上位レイヤシグナリングを使用することによって構成された第１のアップリンク制御チャネルリソースであると判定すること、
第１の情報に対応する２ビット情報フィールドが０１である場合、端末デバイスは、アップリンク制御情報を搬送するためのアップリンク制御チャネルリソースが、上位レイヤシグナリングを使用することによって構成された第２のアップリンク制御チャネルリソースであると判定すること、
第１の情報に対応する２ビット情報フィールドが１０である場合、端末デバイスは、アップリンク制御情報を搬送するためのアップリンク制御チャネルリソースが、上位レイヤシグナリングを使用することによって構成された第３のアップリンク制御チャネルリソースであると判定すること、または
第１の情報に対応する２ビット情報フィールドが１１である場合、端末デバイスは、アップリンク制御情報を搬送するためのアップリンク制御チャネルリソースが、上位レイヤシグナリングを使用することによって構成された第４のアップリンク制御チャネルリソースであると判定すること
を含み得る。
【０３８４】
第１のアップリンク制御チャネルリソース、第２のアップリンク制御チャネルリソース、第３のアップリンク制御チャネルリソース、および第４のアップリンク制御チャネルリソースは、第１のアップリンク制御チャネルリソースセットにすべて属し、第１のアップリンク制御チャネルリソースセットは、異なるアップリンク制御チャネルリソースセットからの少なくとも２つのアップリンク制御チャネルリソースを含む。少なくとも１つのアップリンク制御チャネルリソースは第４のアップリンク制御チャネルリソースセットから来て、少なくとも１つのアップリンク制御チャネルリソースは第５のアップリンク制御チャネルリソースセットから来る。
【０３８５】
Ｓ３０４．端末デバイスが、アップリンク制御チャネルリソースを使用することによってネットワークデバイスにアップリンク制御情報を送る。
【０３８６】
特に、アップリンク制御チャネルリソースを使用することによってネットワークデバイスにアップリンク制御情報を送るために端末デバイスによってどんな既存の処理方法でも使用され得る。たとえば、アップリンク制御情報上でチャネルコーディング、変調、およびマッピングを実施することなどのステップが含まれ得る。本出願のこの実施形態は、それに対していかなる特別な限定をも課さない。
【０３８７】
Ｓ３０５．ネットワークデバイスが、アップリンク制御情報を搬送するためのアップリンク制御チャネルリソース上で、端末デバイスによって送られたアップリンク制御情報を受信する。
【０３８８】
任意選択で、ダウンリンク制御情報が第２の情報をさらに含み、第２の情報が、アップリンク制御情報を搬送するためのサブフレームを示すために使用される場合、このステップは、
【０３８９】
ネットワークデバイスが、アップリンク制御情報を搬送するためのサブフレーム中のアップリンク制御情報を搬送するためのシンボル上で、端末デバイスによって送られたアップリンク制御情報を受信すること
をさらに含み得る。
【０３９０】
本出願のこの実施形態では、ステップＳ３０１からＳ３０５の順序は限定されず、ステップＳ３０１からＳ３０５の間の相互従属性も限定されないことに留意されたい。
【０３９１】
本出願のこの実施形態では、ダウンリンク制御情報、アップリンク制御情報、アップリンク制御チャネルリソース、第１のアップリンク制御チャネルリソースセット、第１の情報、第２の情報、第３の情報、シンボル、リソースブロック、スロット、サブフレーム、アップリンク制御チャネルリソースに対応するリソースインデックス、および他の態様についての説明は、本出願の方法実施形態１における説明と同じであり、原理は同様であることに留意されたい。詳細についてここで再び説明されない。
【０３９２】
以下で、特定の例を使用することによって本出願のこの実施形態において提供される情報送信方法について詳細に説明する。
【０３９３】
第１のアップリンク制御チャネルリソースセットは、第４のアップリンク制御チャネルリソースセットおよび第５のアップリンク制御チャネルリソースセットを含み、第４のアップリンク制御チャネルリソースセット中に含まれるアップリンク制御チャネルリソースは第１のスロットに対応し、第５のアップリンク制御チャネルリソースセット中に含まれるアップリンク制御チャネルリソースは第２のスロットに対応する。
【０３９４】
第４のアップリンク制御チャネルリソースセットは、第１のアップリンク制御チャネルリソースおよび第２のアップリンク制御チャネルリソースを含み、第１のアップリンク制御チャネルリソースおよび第２のアップリンク制御チャネルリソースは、第１のスロット中に含まれるアップリンクシンボルに対応する。
【０３９５】
第５のアップリンク制御チャネルリソースセットは、第３のアップリンク制御チャネルリソースおよび第４のアップリンク制御チャネルリソースを含み、第３のアップリンク制御チャネルリソースおよび第４のアップリンク制御チャネルリソースは、第２のスロット中に含まれるアップリンクシンボルに対応する。
【０３９６】
図１０は、本出願の一実施形態による情報送信方法の実施形態３におけるアップリンク制御チャネルリソースの概略構造図である。図１０に示されているように、説明のための一例として２つのスロットが使用される。スロットの通し番号は、それぞれスロット０およびスロット１である。
【０３９７】
特に、スロット０中の第１のシンボル上で搬送されるＤＣＩを使用することによってスケジュールされるＰＤＳＣＨ送信は、スロット０中で搬送される。ＤＣＩは、第１の情報を使用することによって、ＰＤＳＣＨ送信に対応するＨＡＲＱフィードバックがスロット０中で送信されるべきことを示し、言い換えれば、ＰＤＳＣＨ送信に対応するＨＡＲＱフィードバックが、第４のアップリンク制御チャネルリソースセット中の第１のアップリンク制御チャネルリソースを使用することによって送信されるべきことを示す。このようにして、高速なＨＡＲＱフィードバックが実施され、サービスレイテンシが低減される。
【０３９８】
スロット０中の第１のシンボル上で搬送されるＤＣＩを使用することによってスケジュールされるＰＤＳＣＨ送信がスロット０およびスロット１中で搬送される場合、ＤＣＩは、第１の情報を使用することによって、ＰＤＳＣＨ送信に対応するＨＡＲＱフィードバックがスロット１中で送信されるべきことを示し、言い換えれば、ＰＤＳＣＨ送信に対応するＨＡＲＱフィードバックが、第５のアップリンク制御チャネルリソースセット中の第３のアップリンク制御チャネルリソースを使用することによって送信されるべきことを示す。加えて、ＤＣＩを使用することによってスケジュールされるＰＤＳＣＨ送信がスロット０中で搬送される場合でも、ＰＤＳＣＨ送信に対応するデータのレイテンシ要件が低い場合、ＤＣＩ中の第１の情報は、ＰＤＳＣＨ送信に対応するＨＡＲＱフィードバックが、第５のアップリンク制御チャネルリソースセット中の第３のアップリンク制御チャネルリソースを使用することによって送信されるべきことを示すために使用され得、したがって、ＨＡＲＱフィードバックがスロット０中で送信される必要があるので、ＧＰがスロット０に導入されるのを防止され、ＧＰオーバーヘッドが低減される。このようにして、１つのサブフレームに２つのＧＰを導入する必要がなくなり、リソース利用が改善される。
【０３９９】
本出願のこの実施形態は、ネットワークデバイスがダウンリンク制御情報を送り、ダウンリンク制御情報が第１の情報を含むことと、端末デバイスが、ダウンリンク制御情報を受信し、第１の情報に基づいて、アップリンク制御情報を搬送するためのアップリンク制御チャネルリソースを判定し、アップリンク制御チャネルリソースを使用することによってネットワークデバイスにアップリンク制御情報を送ることと、ネットワークデバイスが、アップリンク制御情報を搬送するためのアップリンク制御チャネルリソース上で、端末デバイスによって送られたアップリンク制御情報を受信することとを含む、情報送信方法を提供する。したがって、本出願のこの実施形態において提供される情報送信方法によれば、第１の情報は、各サブフレーム中でアップリンク制御情報を送信するために使用されるアップリンク制御チャネルリソースをフレキシブルに予約し示すために使用され得る。このようにして、アップリンク制御チャネルリソースの構成フレキシビリティが改善され、システムリソース利用が改善される。
【０４００】
以下で、本出願の実施形態において提供される端末デバイスおよびネットワークデバイスについて説明する。本デバイスは、上記の方法と１対１の対応にあり、上記の方法実施形態における情報送信方法を実装するために使用され、上記の方法と同じ技術的特徴および技術的効果を有する。詳細について本出願の実施形態では再び説明されない。
【０４０１】
一体化されたユニットが使用されるとき、図１１は、上記の方法実施形態における端末デバイスの可能な概略構造図である。図１１は、本出願の一実施形態による端末デバイスの実施形態１の概略構造図である。図１１に示されているように、端末デバイスは、トランシーバユニット１１および処理ユニット１２を含む。処理ユニット１２は、端末デバイスのアクションを制御し、管理し、かつ実施するように構成される。トランシーバユニット１１は、端末デバイスとネットワークデバイスとの間の通信をサポートするように構成される。端末デバイスは、端末デバイスのプログラムコードおよびデータを記憶するように構成された記憶ユニットをさらに含み得る。
【０４０２】
一体化されたユニットが使用されるとき、図１２は、上記の実施形態におけるネットワークデバイスの可能な概略構造図である。図１２は、本出願の一実施形態によるネットワークデバイスの実施形態１の概略構造図である。図１２に示されているように、ネットワークデバイスは、トランシーバユニット２１および処理ユニット２２を含み得る。処理ユニット２２は、ネットワークデバイスのアクションを制御し、管理し、かつ実施するように構成される。トランシーバユニット２１は、ネットワークデバイスと端末デバイスとの間の通信をサポートするように構成される。ネットワークデバイスは、ネットワークデバイスのプログラムコードおよびデータを記憶するように構成された記憶ユニットをさらに含み得る。
【０４０３】
端末デバイスおよびネットワークデバイスは、図２から図１０に示されている方法実施形態における情報送信方法を実施するように構成され得る。たとえば、端末デバイス中のトランシーバユニット１１は、図２のＳ１０２およびＳ１０４、図５のＳ２０２およびＳ２０４、ならびに図９のＳ３０２およびＳ３０４を実施するように構成されることがあり、端末デバイス中の処理ユニット２２は、図２のＳ１０３、図５のＳ２０３、および図９のＳ３０３を実施するように構成されることがあり、ネットワークデバイス中のトランシーバユニット１１は、図２のＳ１０１およびＳ１０５、図５のＳ２０１およびＳ２０５、ならびに図９のＳ３０１およびＳ３０５を実施するように構成されることがある。
【０４０４】
処理ユニットは、プロセッサまたはコントローラであってよく、たとえば、中央処理ユニット（Ｃｅｎｔｒａｌ  Ｐｒｏｃｅｓｓｉｎｇ  Ｕｎｉｔ、ＣＰＵ）、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）もしくは別のプログラマブル論理デバイス、トランジスタ論理デバイス、ハードウェア構成要素、またはそれらの任意の組合せであり得る。処理ユニットは、本出願で開示される内容に関して説明される論理ブロック、モジュール、および回路の様々な例を実装または実行し得る。代替として、処理ユニットは、コンピューティング機能を実装する組合せ、たとえば、１つもしくは複数のマイクロプロセッサの組合せまたはＤＳＰとマイクロプロセッサの組合せであり得る。トランシーバユニットは、トランシーバ、トランシーバ回路などであり得る。記憶ユニットはメモリであり得る。
【０４０５】
以下で、本出願の実施形態において提供される端末デバイスおよびネットワークデバイスについて説明する。本デバイスは、上記の方法と１対１の対応にあり、上記の方法実施形態における情報送信方法を実装するために使用され、上記の方法と同じ技術的特徴および技術的効果を有する。詳細について本出願の実施形態では再び説明されない。
【０４０６】
図１３は、上記の方法実施形態における端末デバイスの可能な概略構造図である。図１３は、本出願の一実施形態による端末デバイスの実施形態２の概略構造図である。図１３に示されているように、端末デバイスは、トランシーバ３１およびプロセッサ３２を含む。プロセッサ３２は、端末デバイスのアクションを制御し、管理し、かつ実施するように構成される。トランシーバ３１は、端末デバイスとネットワークデバイスとの間の通信をサポートするように構成される。端末デバイスは、端末デバイスのプログラムコードおよびデータを記憶するように構成された記憶ユニットをさらに含み得る。
【０４０７】
一体化されたユニットが使用されるとき、図１４は、上記の実施形態におけるネットワークデバイスの可能な概略構造図である。図１４は、本出願の一実施形態によるネットワークデバイスの実施形態１の概略構造図である。図１４に示されているように、ネットワークデバイスは、トランシーバ４１およびプロセッサ４２を含み得る。プロセッサ４２は、ネットワークデバイスのアクションを制御し、管理し、かつ実施するように構成される。トランシーバ４１は、ネットワークデバイスと端末デバイスとの間の通信をサポートするように構成される。ネットワークデバイスは、ネットワークデバイスのプログラムコードおよびデータを記憶するように構成された記憶ユニットをさらに含み得る。
【０４０８】
端末デバイスおよびネットワークデバイスは、図２から図１０に示されている方法実施形態における情報送信方法を実施するように構成され得る。たとえば、端末デバイス中のトランシーバ３１は、図２のＳ１０２およびＳ１０４、図５のＳ２０２およびＳ２０４、ならびに図９のＳ３０２およびＳ３０４を実施するように構成されることがあり、端末デバイス中のプロセッサ３２は、図２のＳ１０３、図５のＳ２０３、および図９のＳ３０３を実施するように構成されることがあり、ネットワークデバイス中のトランシーバ４１は、図２のＳ１０１およびＳ１０５、図５のＳ２０１およびＳ２０５、ならびに図９のＳ３０１およびＳ３０５を実施するように構成されることがある。
【０４０９】
本出願の実施形態で開示される内容に関して説明される方法またはアルゴリズムステップは、ハードウェアを使用することによって実装され得るか、またはプロセッサによってソフトウェア命令を実行することによって実装され得る。ソフトウェア命令は、対応するソフトウェアモジュールを含み得る。ソフトウェアモジュールは、ランダムアクセスメモリ（Ｒａｎｄｏｍ  Ａｃｃｅｓｓ  Ｍｅｍｏｒｙ、ＲＡＭ）、フラッシュメモリ、読取り専用メモリ（Ｒｅａｄ−Ｏｎｌｙ  Ｍｅｍｏｒｙ、ＲＯＭ）、消去可能プログラマブル読取り専用メモリ（Ｅｒａｓａｂｌｅ  Ｐｒｏｇｒａｍｍａｂｌｅ  ＲＯＭ、ＥＰＲＯＭ）、電気消去可能プログラマブル読取り専用メモリ（Ｅｌｅｃｔｒｉｃａｌｌｙ  ＥＰＲＯＭ、ＥＥＰＲＯＭ）、レジスタ、ハードディスク、リムーバブルハードディスク、コンパクトディスク読取り専用メモリ（ＣＤ−ＲＯＭ）、または当技術分野でよく知られている任意の他の形態の記憶媒体に記憶され得る。例として使用される記憶媒体はプロセッサに結合され、したがって、プロセッサは、記憶媒体から情報を読み取ることができ、かつ記憶媒体に情報を書き込むことができる。もちろん、記憶媒体はプロセッサの一部であり得る。プロセッサおよび記憶媒体はＡＳＩＣ中に配置され得る。加えて、ＡＳＩＣは基地局または端末中に配置され得る。もちろん、プロセッサおよび記憶媒体は、基地局または端末中の個別構成要素として働き得る。
【０４１０】
上記の例のうちの１つまたは複数では、本出願の実施形態において説明される機能は、ハードウェア、ソフトウェア、ファームウェア、またはそれらの任意の組合せを使用することによって実装され得ることを当業者は認識されたい。本出願がソフトウェアを使用することによって実装されるとき、これらの機能は、コンピュータ可読媒体中の１つまたは複数の命令またはコードとしてコンピュータ可読媒体に記憶され得るか、または送信され得る。コンピュータ可読媒体は、コンピュータ記憶媒体および通信媒体を含み、通信媒体は、ある場所から別の場所にコンピュータプログラムを送信するのを助ける任意の媒体を含む。記憶媒体は、汎用または専用コンピュータにとってアクセス可能な任意の利用可能な媒体であり得る。
【０４１１】
方法実施形態におけるすべてまたはいくつかのステップは、関係するハードウェアに命令するプログラムを使用することによって実装され得ることを当業者は理解されよう。プログラムはコンピュータ可読記憶媒体に記憶され得る。プログラムが実行されたとき、方法実施形態におけるステップが実施される。記憶媒体は、ＲＯＭ、ＲＡＭ、磁気ディスク、または光ディスクなど、プログラムコードを記憶することができる任意の媒体を含む。
【国際調査報告】
2019535189.tif 000017
2019535189.tif 000018
2019535189.tif 000019
2019535189.tif 000020